(57)【要約】想定した視聴形態が変化した場合でも、それぞれの視聴形態に適した条件で映像および／または音声を視聴することができなかった。  複数の異なる圧縮方式で圧縮された信号、および前記複数の異なる圧縮方式で圧縮された信号の互いの対応関係を示す記録管理情報がそれぞれ記録されている記録媒体１３１から前記いずれかの信号を取り出すための再生部１２１と、前記記録媒体１３１から取り出された信号を復号化する復号部１１１、１１３と、前記再生部１２１における再生中断情報を含む再生管理情報を前記記録管理情報に対応させて前記記録媒体１３１に記録する記録部１２０とを備える再生装置。
2004019612.tif 000002
【特許請求の範囲】
【請求項１】
複数の異なる圧縮方式で圧縮された信号、および前記複数の異なる圧縮方式で圧縮された信号の互いの対応関係を示す記録管理情報がそれぞれ記録されている記録媒体から前記いずれかの信号を取り出すための再生部と、
前記記録媒体から取り出された信号を復号化する復号部と、
前記再生部における再生中断情報を含む再生管理情報を前記記録管理情報に対応させて前記記録媒体に記録する記録部とを備える再生装置。
【請求項２】
前記再生中断情報は、前記信号の再生が開始されてからの経過時間である、請求項１に記載の再生装置。
【発明の詳細な説明】
【技術分野】  本発明は、光ディスク等の記録媒体を使って動画像を記録／再生する再生装置に関する。
【背景技術】  映像を低いビットレートで圧縮する方法として、ＭＰＥＧ２規格（ＩＳＯ／ＩＥＣ  １３８１８−１）で規定されているシステムストリームがある。このシステムストリームには、プログラムストリーム（ＰＳ）、トランスポートストリーム（ＴＳ）、及びＰＥＳストリームの３種類が規定されている。
また、さらに低いビットレートで圧縮する方法として、ＭＰＥＧ４規格（ＩＳＯ／ＩＥＣ  １４４９６−１）で規定されているシステムストリームもある。このシステムストリームには、プログラムストリーム（ＰＳ）、トランスポートストリーム（ＴＳ）、Ｈ．２２３ストリーム、ＲＴＰストリーム、およびＭＰ４ストリームの５種類が規定されている。
一方、磁気テープに代わる映像記録媒体としてＤＶＤ−ＲＡＭやＭＯ等の光ディスクが注目を浴びてきている。図１６に、従来のＤＶＤ−ＲＡＭディスクを使った映像のＡＶデータ記録再生装置３００の構成図を示す。図１６において、映像信号入力部１００及び音声信号入力部１０２から入力した信号から各々圧縮部３０１でプログラムストリームが作成され、作成されたプログラムストリームは記録部３２０及びピックアップ１３０を経由してＤＶＤ−ＲＡＭディスク１３１へ書き込まれる。再生時は、ピックアップ１３０及び再生部３２１を経由して取り出されたプログラムストリームは復号部３１１で映像信号と音声信号に復号され、復号された映像信号と音声信号は映像信号出力部１１０及び音声信号出力部１１２へ出力される。圧縮部３０１は、ＭＰＥＧ２およびＭＰＥＧ２よりも低ビットレートで圧縮することができ、復号部３１１は、ＭＰＥＧ２で圧縮された信号またはＭＰＥＧ２よりも低いビットレートで圧縮された信号を復号することができる。
記録時には、記録制御部３４１が記録部３２０の制御を行なう。また、連続データ領域検出部３４０は、記録制御部３４１の指示によって、論理ブロック管理部１４３で管理されるセクタの使用状況を調べて、物理的に連続する空き領域を検出する。記録された映像信号ファイルを削除する際には、記録制御部３４１が記録部３２０及び再生部３２１を制御して削除処理を実施する。
このように、従来は、ユーザーは、例えばＭＰＥＧ２で圧縮された信号をＡＶデータ記録再生装置３００において再生し、テレビ等の表示装置に接続して映像および音声を視聴していた。
また近年、さらに低ビットレートで映像を視聴することができるポータブルビデオプレーヤが登場してきている。このようなポータブルビデオプレーヤ４００の構成も図１６に示すＡＶデータ記録再生装置３００の構成と同様であるが、ポータブルプレーヤ４００は、携帯して視聴できるように電源としてバッテリー（図示せず）が使用されている。
従って、例えば放送番組を録画するとき、ユーザーは、その番組をテレビ画面を介して視聴する場合は、その番組をＭＰＥＧ２で映像信号および音声信号を圧縮して記録媒体に記録（以下、ＭＰＥＧ２で録画、という。）していた。また、その番組をポータブルビデオプレーヤ４００で視聴する場合には、ＭＰＥＧ２よりも低ビットレートで映像信号および音声信号を圧縮して記録（低ビットレートで録画、という。）していた。また、ＡＶデータ記録再生装置３００においても、ポータブルビデオプレーヤ４００においても、その再生を中断したときは、再生を中断した装置において、中断した続きを視聴することができるレジューム機能が備えられていた（例えば、特開２００１−３４４８７４号公報参照。）。
しかし、ユーザが、最初は番組をポータブルビデオプレーヤ４００で視聴するつもりで、低ビットレートで番組を録画し、屋外でポーダブルビデオプレーヤ４００を用いて録画された番組を途中まで視聴したが、続きを自宅で視聴する場合が考えられる。このような場合、番組は低ビットレートでしか記録媒体には録画されていないので、ポータブルビデオプレーヤ４００の画面よるはるかに大きな画面を有する自宅のテレビ画面を介して番組を視聴しようとしても、高精彩な画質で視聴することができないという問題があった。
また、逆に番組を自宅のテレビで視聴するつもりで、ＭＰＥＧ２で記録媒体に録画していても、自宅で途中まで視聴したが、続きを屋外でポータブルビデオプレーヤ４００を用いて視聴する場合が考えられる。このような場合、番組はＭＰＥＧ２でしか記録媒体に録画されていないので、ポータブルプレーヤ４００においてＭＰＥＧ２で録画された信号を復号することになる。ＭＰＥＧ２で録画された信号は、低ビットレートで録画された信号に比べて、記録媒体からの読み出しのための電力、および復号するときの消費電力がはるかに大きい。従って、ポータブルビデオプレーヤ４００のバッテリーが消耗しやすい、という問題があった。
このように、番組を記録するときに視聴形態を特定していたので、想定していた視聴形態が変更されたとき、それぞれの視聴形態に適した条件（画質、ビットレート、消費電力等）で視聴することが困難であった。
【発明の開示】
上記の課題を考慮し、本発明は、想定した視聴形態が変化した場合でも、それぞれの視聴形態に適した条件で映像および／または音声を視聴することができる、再生装置を提供することを目的とする。
上記課題を解決するために、第１の本発明は、複数の異なる圧縮方式で圧縮された信号、および前記複数の異なる圧縮方式で圧縮された信号の互いの対応関係を示す記録管理情報がそれぞれ記録されている記録媒体から前記いずれかの信号を取り出すための再生部と、
前記記録媒体から取り出された信号を復号化する復号部と、
前記再生部における再生中断情報を含む再生管理情報を前記記録管理情報に対応させて前記記録媒体に記録する記録部とを備える再生装置である。
第２の本発明は、前記再生中断情報は、前記信号の再生が開始されてからの経過時間である、第１の本発明の再生装置である。
第３の本発明は、その駆動がバッテリーによりなされる、第１の本発明の再生装置である。
第４の本発明は、ＭＰＥＧ２で圧縮された信号を復号した信号を表示するのに適合している、第１の本発明の再生装置である。
第５の本発明は、複数の異なる圧縮方式で圧縮された信号、および前記複数の異なる圧縮方式で圧縮された信号の互いの対応関係を示す記録管理情報、第１の本発明の再生装置によって記録されている前記再生管理情報がそれぞれ記録されている記録媒体から前記いずれかの信号、前記記録管理情報、および前記再生管理情報を取り出すための再生部と、
前記記録媒体から取り出されたいずれかの信号を復号化する復号部とを備え、
前記記録媒体から取り出されたいずれかの信号は、前記再生部および／または前記復号部に適合しており、
前記再生部は、前記記録管理情報および前記再生管理情報に基づいて、前記再生管理情報に含まれる前記再生中断情報に対応する信号以降の信号を前記記録媒体から取り出す再生装置である。
第６の本発明は、前記複数の圧縮方式は、ＭＰＥＧ２およびＭＰＥＧ４であり、
前記記録管理情報は、前記ＭＰＥＧ２で圧縮された信号および前記ＭＰＥＧ４で圧縮された信号を対応づける情報であり、
前記再生中断情報に対応する信号以降の信号の圧縮方式は、第１の本発明の再生装置において再生されていた信号の圧縮方式とは異なる圧縮方式である、第５の本発明の再生装置である。
第７の本発明は、複数の異なる圧縮方式で圧縮された信号、および前記複数の異なる圧縮方式で圧縮された信号の互いの対応関係を示す記録管理情報を記録媒体に記録する記録装置である。
第８の本発明は、前記記録部は、前記ＭＰＥＧ２で圧縮された信号および前記ＭＰＥＧ４で圧縮された信号を、交互に配列されたストリームとして前記記録媒体に記録する、第７の本発明の記録装置である。
第９の本発明は、前記ＭＰＥＧ２で圧縮された信号ストリームは、少なくとも第１の所定の連続データ領域を有して前記記録媒体に記録され、前記ＭＰＥＧ４で圧縮された信号ストリームは、少なくとも第２の所定の連続データ領域を有して前記記録媒体に記録される、第８の本発明の記録装置である。
第１０の本発明は、前記記録媒体は、光ディスクまたは磁気ディスクであり、前記記録媒体に記録された信号を取り出すための、第１または５の本発明の再生装置の再生部は、前記記録媒体から信号を読み出すためのヘッドを有しており、
前記第１または第２の所定の連続データ領城は、
（数１）
Ｖｏ×Ｔｊ×Ｖｒ／（Ｖｒ−Ｖｏ）、（Ｖｏ：前記ヘッドからの前記各信号の送り出し速度（Ｍｂｐｓ）、Ｔｊ：前記ヘッドの最大シーク時間（秒）、Ｖｒ：前記ヘッドへの前記記録媒体から前記各信号のデータ読み出し速度（Ｍｂｐｓ））で表される、第９の本発明の記録装置である。
第１１の本発明は、前記再生部において前記ＭＰＥＧ２で圧縮された信号ストリームを再生する時間、および前記ＭＰＥＧ４で圧縮された信号ストリームを再生する時間が等しくなるように、前記記録部は、前記ＭＰＥＧ２で圧縮された信号ストリームおよび前記ＭＰＥＧ４で圧縮された信号ストリームを前記記録媒体に記録する、第１０の本発明の記録装置である。
第１２の本発明は、複数の異なる圧縮方式で圧縮された信号、および前記複数の異なる圧縮方式で圧縮された信号の互いの対応関係を示す記録管理情報を記録媒体に記録する工程と、
前記記録媒体から前記いずれかの信号を取り出す工程と、
再生中断情報を含む再生管理情報を前記記録管理情報に対応させて前記記録媒体に記録する工程と、
前記再生管理情報が記録された前記記録媒体から前記記録管理情報および前記再生管理情報を取り出す工程と、
前記記録管理情報および前記再生管理情報に基づいて、前記再生管理情報に含まれる前記再生中断情報に対応する信号以降の信号を、前記再生管理情報が記録された前記記録媒体から取り出す工程と、
前記再生中断情報に対応する信号以降の信号を復号する工程と、
前記再生中断情報に対応する信号以降の信号は、前記再生工程および／または前記復号工程に適合している、記録再生方法である。
第１３の本発明は、第１の本発明の再生装置の、前記記録媒体から前記いずれかの信号を取り出すための再生部と、前記記録媒体から取り出された信号を復号化する復号部としてコンピュータを機能させるためのプログラムである。
第１４の本発明は、第５の本発明の再生装置の、前記記録媒体から前記いずれかの信号、前記記録管理情報、および前記再生管理情報を取り出すための再生部と、前記記録媒体から取り出された信号を復号する復号部としてコンピュータを機能させるためのプログラムである。
第１５の本発明は、第１３または１４の本発明のプログラムを担持させた記録媒体であって、コンピュータにより処理可能な記録媒体である。
第１６の本発明は、信号が複数の異なる圧縮方式で圧縮されて記録媒体に別々に記録されており、前記複数の異なる圧縮方式で圧縮された信号のそれぞれの対応関係を示す管理情報、およびその再生に際して再生中断情報を前記管理情報に対応させて記録することができるデータ構造である。
本発明によれば、想定した視聴形態が変化した場合でも、それぞれの視聴形態に適した条件で映像および／または音声を視聴することができる、再生装置を提供することができる。
【図面の簡単な説明】  図１は、本発明の実施の形態のＡＶデータ記録再生装置の構成図である。
図２は、本発明の実施の形態のＡＶデータ記録再生装置の使用例示す概略図である。
図３は、本発明の実施の形態のＡＶデータ記録再生装置の使用状況の概略説明図である。
図４は、本発明の実施の形態のＡＶデータ記録再生装置による記録形態の説明図である。
図５は、本発明の実施の形態のＡＶデータ記録再生装置による記録形態の説明図である。
図６は、本発明の実施の形態のＡＶデータ記録再生装置で作成されるフル動画ストリームの構成図である。
図７は、本発明の実施の形態のＡＶデータ記録再生装置で作成される時間情報ファイルの構成図である。
図８は、本発明の実施の形態のＡＶデータ記録再生装置で作成されるミニ動画ファイルの構成図である。
図９は、本発明の実施の形態のＡＶデータ記録再生装置で作成されるミニ動画ファイルの時間情報ファイルの構成図である。
図１０は、本発明の実施の形態のＡＶデータ記録再生装置で作成される各動画ストリームの構成図である。
図１１は、本発明の実施の形態のＡＶデータ記録再生装置で作成される動画ストリームの連続データ領域の説明図である。
図１２は、本発明の実施の形態のＡＶデータ記録再生装置で作成される動画ストリームの連続データの説明図である。
図１３は、本発明の実施の形態のＡＶデータ記録再生装置で作成される動画ストリームの連続データの説明図である。
図１４は、本発明の実施の形態のＡＶデータ記録再生装置で作成される動画ストリームの連続データの説明図である。
図１５は、本発明の記録再生システムの使用状況を説明する概略図である。
図１６は、従来のＡＶデータ記録再生装置の構成図である。
【符号の説明】
１００  映像信号入力部
１０１  ＭＰＥＧ２圧縮部
１０２  音声信号入力部
１０３  ＭＰＥＧ４圧縮部
１１０  映像信号出力部
１１１  ＭＰＥＧ２復号部
１１２  音声信号出力部
１１３  ＭＰＥＧ４復号部
１３０  ピックアップ
１３１  ＤＶＤ−ＲＡＭディスク
１４３  論理ブロック管理部
３２０  記録部
３２１  再生部
３４０  連続データ領域検出部
３４１  記録制御部
３４２  再生制御部
【発明を実施するための最良の形態】  以下、本発明の実施の形態について図面を参照しながら説明する。図１は、本発明の再生装置の一例であるＡＶデータ記録再生装置１のブロック構成図である。図１において、映像信号入力部１００及び音声信号入力部１０２から入力した信号は、ＭＰＥＧ２圧縮部１０１で圧縮されてＭＰＥＧ２ビデオストリームを含むプログラムストリームが作成される。また同じ信号がＭＰＥＧ４圧縮部１０３で圧縮されてＭＰＥＧ４ビデオストリームを含むＭＰ４ストリームが作成される。これらの圧縮された信号は、記録部１２０及びピックアップ１３０を経由して本発明の記録媒体の一例であるＤＶＤ−ＲＡＭディスク１３１へそれぞれ別々に書き込まれる。ＭＰＥＧ４圧縮部１０３においては、映像信号の画素数が１／４へ縮小された後で圧縮処理が実施される。ここでＭＰＥＧ２圧縮部１０１が出力するプログラムストリームのビットレートは一例として約９Ｍｂｐｓ、ＭＰＥＧ４圧縮部１０３が出力するＭＰ４ストリームのビットレートは一例として約０．５Ｍｂｐｓである。
再生時は、ユーザの選択によりＭＰＥＧ２ビデオストリームを含むプログラムストリームまたはＭＰＥＧ４ビデオストリームを含むＭＰ４ストリームのいずれかが再生される。具体的にはピックアップ１３０及び本発明の再生部の一例である再生部１２１を経由してプログラムストリームが取り出された場合はＭＰＥＧ２復号部１１１で映像信号と音声信号に復号され、復号された信号は映像信号出力部１１０及び音声信号出力部１１２へ出力される。また、ＭＰ４ストリームが取り出された場合はＭＰＥＧ４復号部１１３で映像信号と音声信号に復号され、復号された信号は映像信号出力部１１０および音声信号出力部１１２へ出力される。
図２は、本実施の形態のＡＶデータ記録再生装置１の使用例の概略を説明する図である。ポータブルビデオプレーヤ２は、本発明の再生装置の別の一例であり、その構成は、ＡＶデータ記録再生装置１の構成と同様であるのでその説明を省略する。ポータブルビデオプレーヤ２は、バッテリー（図示せず）を搭載しており、その駆動をバッテリーによってもすることができる。上記のプログラムストリームおよびＭＰ４ストリームが記録されたＤＶＤ−ＲＡＭディスク１３１を、ＡＶデータ記録再生装置１およびポータブル機器２のいずれか一方で再生を中断した場合、残りの映像を他方の装置において、その装置に最もふさわしい様式で視聴することができる。
具体的には、図３（ａ）に示すように、ユーザーが屋内でＡＶデータ記録再生装置１を使用してＤＶＤ−ＲＡＭディスクに録画された放送番組の視聴を途中で中断した場合でも、中断した番組の続きを、ポータブルプレーヤ２において、そのバッテリーの消耗を抑制しながら、視聴することができる。
また、これとは逆に、図３（ｂ）に示すように、ユーザが屋外でポータブルビデオプレーヤ２を使用してＤＶＤ−ＲＡＭディスク１３１に録画された放送番組の視聴を、途中で中断した場合でも、中断した番組の続きを、ＡＶデータ記録再生装置１において、高精細な画質で視聴することができる。
次に、本実施の形態のＡＶデータ記録再生装置１の具体的な動作を説明する。図４（ａ）に示す様に、ＭＰＥＧ２ビデオストリームを含むプログラムストリーム（以下、フル動画ストリームという。）は、フル動画ファイルＭＯＶ００１．ＭＰＧとしてＤＶＤ−ＲＡＭディスク１３１に記録される。このとき、フル動画ファイルに対応して時間情報ファイルも記録される。また、ＭＰＥＧ４ビデオストリームを含むＭＰ４ストリーム（以下、ミニ動画ストリームという。）は、ミニ動画ファイルＭＯＶ００１．ＭＰ４としてＤＶＤ−ＲＡＭディスクに記録される。ここで、ミニ動画ストリームに対応する時間情報はミニ動画ファイルのヘッダ部分に記録される。
このように同じ映像信号および音声信号を相異なるビットレートおよび画素数で別々のファイルとして記録し、図４（ｃ）に示すような記録管理ファイル内に、両方のファイル名を含んだ記録管理情報として同時録画識別情報を格納する。また、番組を識別するための識別子（図４の例ではＳＩＭＬ＃１）も記録する。これにより、どの番組がどの２つの動画ファイルに格納されたかを識別することができる。このようにして記録された放送番組を視聴する際に、例えば、屋外でポータブルビデオプレーヤ２を使用する場合は、ミニ動画ファイルを選択することにより、または自動的に選択がなされ、再生、復号がされる。そして、ユーザーは、例えば比較的小さな３インチ程度の液晶画面（映像信号出力部１１０の一部に相当）およびヘッドホン（音声信号出力部１１２の一部に相当）を使い記録された放送番組を視聴する。また、例えばＡＶデータ記録再生装置１に大画面ＴＶ３を接続して視聴する場合は、フル動画ファイルを選択することにより、または自動的に選択がなされ、再生、復号がされる。
次に、ＤＶＤ−ＲＡＭディスク１３１に記録された番組を、屋内で大画面ＴＶ３で視聴しており、途中から屋外でポータブルビデオプレーヤ２を用いて続きを視聴する場合の動作について説明する。
ＡＶデータ記録再生装置１を用いて、ＤＶＤ−ＲＡＭディスク１３１に記録された放送番組を視聴中に一旦視聴を中止する場合は、再生部１２１から記録制御部１４１を介して記録部１２０に再生の中断が伝達され、記録部１２０は、番組の先頭からの視聴経過時間を再生中断情報としてＤＶＤ−ＲＡＭディスク１３１に記録する。例えば番組の先頭から１０分経過した時に視聴を中断した場合は、記録部１２０は、１０分という数値および視聴中の放送番組の識別子を再生中断情報として図４（ｂ）に示す再生管理ファイルに記録する。
その後、ユーザが屋外に出かけ屋外でポータブルビデオプレーヤ２で番組の続きを視聴再開する場合は、ＡＶデータ記録再生装置１から取り出したＤＶＤ−ＲＡＭディスク１３１をポータブルビデオプレーヤ２にセットする。そしてユーザーは、ポータブルビデオプレーヤ２においてミニ動画ファイルを使用した視聴を選択する、または自動的にミニ動画ファイルが選択される。そして、再生部１２１は、再生中断情報をＤＶＤ−ＲＡＭディスク１３１上から読み出す。読み出された再生中断情報は、再生制御部１４２に渡され、再生制御部１４２は、再生中断情報に含まれている放送番組の識別子をキーとして、ミニ動画ファイルのファイル名をいちはやく割り出し、さらに再生中断情報に含まれる経過時間およびミニ動画ファイルのヘッダーに含まれる時間情報を参照して、該当するミニ動画ファイルの再生中断個所を検出する。そして、再生制御部１４２は、再生部１２１に該当ミニ動画ファイルの再生中断箇所から再生を再開するよう指示を出す。
以上の動作により、ユーザが屋内でＡＶデータ記録再生装置１を使用してＤＶＤ−ＲＡＭディスク１３１に録画された放送番組の視聴を、途中で中断した場合でも、中断した番組の続きをポータブルビデオプレーヤ２においてその消費電力を著しく低減して視聴することができる。例えば、２４Ｍｂｐｓの転送速度を有するＤＶＤ−ＲＡＭ上に記録された９Ｍｂｐｓのフル動画ファイルを再生する場合と、１Ｍｂｐｓのミニ動画ファイルを再生する場合を比較すると、ミニ動画ファイルを再生して復号する場合はフル動画ファイルを再生して復号する場合に比べて消費電力を１／４に下げることができる。すなわち、記録媒体から取り出されたＭＰＥＧ４で圧縮された信号は、再生部１２１および／または復号部１１１、１１３において消費電力を削減することができるという点で適合しているといえる。すなわち、ＭＰＥＧ４で圧縮された信号は、ポーダル機器で再生するのに適している。
また、これとは逆に、ＤＶＤ−ＲＡＭディスク１３１に記録された番組を、屋外でポータブルビデオプレーヤ２で視聴しており、途中から屋内でＡＶデータ記録再生装置１を用いて大画面で続きを視聴する場合の動作について説明する。
ポータブルビデオプレーヤ２を用いて、ＤＶＤ−ＲＡＭディスク１３１に記録された放送番組を視聴中に一旦視聴を中止する場合は、再生部１２１から記録制御部１４１を介して記録部１２０に再生の中断が伝達され、記録部１２０は、番組の先頭からの視聴経過時間を再生中断情報としてＤＶＤ−ＲＡＭディスク１３１に記録する。例えば番組の先頭から１０分経過した時に視聴を中断した場合は、記録部１２０は、１０分という数値および視聴中の放送番組の識別子を再生中断情報として図４（ｂ）に示す再生管理ファイルに記録する。
その後、ユーザが屋内に戻り屋内のＴＶで番組の続きを視聴再開する場合は、ポータブルビデオプレーヤ２からＤＶＤ−ＲＡＭディスク１３１を取り出し、ＡＶデータ記録再生装置１にセットする。そしてユーザーは、ＡＶデータ記録再生装置１においてフル動画ファイルを使用した視聴を選択する、または自動的にフル動画ファイルが選択される。そして、再生部１２１は、再生中断情報をＤＶＤ−ＲＡＭディスク１３１上から読み出す。読み出された再生中断情報は、再生制御部１４２に渡され、再生制御部１４２は、再生中断情報に含まれている放送番組の識別子をキーとして、フル動画ファイルのファイル名をいちはやく割り出し、さらに再生中断情報に含まれる経過時間および時間情報ファイルＭＯＶ００１．ＩＦＯを参照して、該当するフル動画ファイルの再生中断個所を検出する。そして、再生制御部１４２は、再生部１２１に該当フル動画ファイルの再生中断箇所から再生を再開するよう指示を出す。
以上の動作により、ユーザが屋外でポータブルビデオプレーヤ２を使用してＤＶＤ−ＲＡＭディスク１３１に録画された放送番組の視聴を、途中で中断した場合でも、中断した番組の続きを、ＡＶデータ記録再生装置１において視聴することができる。この場合、ＭＰＥＧ２で圧縮した信号は、復号したときに大画面で表示するために適合しているため、高精細な画質で視聴することができる。
さらにユーザーがいずれかの装置において番組の続きの視聴を再開する場合には、ユーザがフル動画（またはミニ動画）ファイルのファイル名を指定し、かつ、再生を中断した該当個所までスキップするといったわずらわしい動作をしなくとも、容易に続きの動画を視聴することができる。
図５は、以上の説明におけるフル動画ファイル、ミニ動画ファイル、時間情報ファイル、記録管理フィル、再生管理フィルのディレクトリの構成の一例を示す。
図６は、ＤＶＤ−ＲＡＭディスク１３１に記録されるフル動画ファイル（ＭＯＶ００１．ＭＰＧ）の構成の一例を示す。ＤＶＤ−ＲＡＭディスク１３１は２Ｋバイトのセクタから構成され、１６個のセクタを１つの論理ブロックとして取り扱い、この論理ブロックごとに誤り訂正符号を付与してＤＶＤ−ＲＡＭディスク１３１へ記録する。さらに最大記録レート換算で１１秒分以上の物理的に連続する論理ブロックを１つの連続データ領域として確保し、この領域へ０．４〜１秒分のＭＰＥＧストリームからなる単位ビデオパケット（Ｖｉｄｅｏ  ＯＢｊｅｃｔ  ＵＮＩＴ：以下、「ＶＯＢＵ」という。）を順に記録する。１つのＶＯＢＵは２Ｋバイト単位のＭＰＥＧプログラムストリームの下位階層であるパックから構成される。パックは、ビデオ圧縮データが格納されたビデオパック（Ｖ＿ＰＣＫ）と、オーディオ圧縮データが格納されたオーディオパック（Ａ＿ＰＣＫ）の２種類から構成される。また、１つのＶＯＢＵには、対応する時間のＶ＿ＰＣＫが全て含まれている。さらに、１つのＶＯＢＵには、タイミング的に必要となる音声フレームを含むＡ＿ＴＳＰが全て含まれている。すなわち、ＶＯＢＵ内において映像フレーム及び音声フレームは完結している。
ＡＶデータ記録再生装置１の連続データ領域検出部３４０は、１つの連続データ領域の残りが最大記録レート換算で３秒分を切った時点で、次の連続データ領域の再検出を行なう。そして、１つの連続データ領域が一杯になると、記録部１２０は次の連続データ領域に書き込みを行なう。
図７に、時間情報ファイルＭＯＶ００１．ＩＦＯの構成例を示す。フル動画ストリームの再生時におけるファイル先頭からの経過時間とファイル先頭からのデータアドレス（パック数）との対応を示す時間情報がフル動画ファイルとは別に時間情報ファイルＭＯＶ００１．ＩＦＯとして記録媒体１３１に格納される。
一方、ミニ動画ストリームは、ミニ動画ファイルＭＯＶ００１．ＭＰ４としてＤＶＤ−ＲＡＭディスク１３１に記録される。このミニ動画ファイルの構成例を図８に示す。ミニ動画ファイルにおいては、再生時におけるファイル先頭からの経過時間とファイル先頭からのデータアドレスとを示す時間情報は、ファイルのヘッダ部分に格納されている。ＭＰ４ファイルのヘッダは、アトム構造と呼ばれるデータ構造からなり、その中に種々の属性が格納されている。時間情報は、図９に示すように、Ｓａｍｐｌｅ  Ｔａｂｌｅ  Ａｔｏｍに格納されている。
これらの時間情報を参照することにより、例えば１０分後の映像に対応するそれぞれの動画ファイルの格納アドレスを再生制御部１４２は、簡単に知ることができる。例えば、図７に示す例では、一例として経過時間に対応するＶＯＢＵ再生時間（フィールド数）が求められ、その積算値に対応するＶＯＢＵデータサイズが決定される。また、図９に示す例においては、経過時間に対応するｖｉｄｅｏ  ｆｒａｍｅ周期（時間）が求められ、これに対応するｖｉｄｅｏ  ｆｒａｍｅ  ｓｉｚｅ（バイト数）が決定される。このような動作により、再生が中断された以降の信号のアドレスが決定される。ここで、時間情報ファイルＭＯＶ００１．ＩＦＯに格納される時間情報、およびミニ動画ファイルのヘッダに格納される時間情報は、本発明の記録管理情報に一例として対応する。また、各動画ファイルにおけるファイル先頭は、映像信号および音声信号が開始される位置である。
図１０は、ＤＶＤ−ＲＡＭディスク１３１上の記録内容がＵＤＦ（Ｕｎｉｖｅｒｓａｌ  Ｄｉｓｋ  Ｆｏｒｍａｔ）ファイルシステムもしくはＩＳＯ／ＩＥＣ  １３３４６（Ｖｏｌｕｍｅ  ａｎｄｆｉｌｅ  ｓｔｒｕｃｔｕｒｅ  ｏｆ  ｗｒｉｔｅ−  ｏｎｃｅ  ａｎｄ  ｒｅｗｒｉｔａｂｌｅ  ｍｅｄｉａ  ｕｓｉｎｇ  ｎｏｎ−ｓｅｑｕｅｎｔｉａｌｒｅｃｏｒｄｉｎｇ  ｆｏｒ  ｉｎｆｏｒｍａｔｉｏｎ  ｉｎｔｅｒｃｈａｎｇｅ）ファイルシステムによって管理されている状態を示す図である。図１０では、連続して記録された１つのＭＰＥＧプログラムストリームがファイルＶＲ＿ＭＯＶＩＥ．ＶＲＯとして記録されている。このファイルは、ファイル名及びファイルエントリの位置が、ＦＩＤ（Ｆｉｌｅ  Ｉｄｅｎｔｉｆｉｅｒ  Ｄｅｓｃｒｉｐｔｏｒ）で管理されている。そして、ファイル名はファイル・アイデンティファイア欄にＶＲ＿ＭＯＶＩＥ．ＶＲＯとして設定され、ファイルエントリの位置は、ＩＣＢ欄にファイルエントリの先頭セクタ番号として設定される。
なお、ＵＤＦ規格はＩＳＯ／ＩＥＣ  １３３４６規格の実装規約に相当する。また、ＤＶＤ−ＲＡＭドライブを１３９４インタフェース及びＳＢＰ−２（Ｓｅｒｉａｌ  Ｂｕｓ  Ｐｒｏｔｏｃｏｌ）プロトコルを介してパソコンへ接続することにより、ＵＤＦに準拠した形態で書きこんだファイルをパソコンからも１つのファイルとして扱うことが可能である。
また、ファイルエントリは、アロケーションディスクリプタを使ってデータが格納されている連続データ領域（ＣＤＡ：Ｃｏｎｔｉｇｕｏｕｓ  Ｄａｔａ  Ａｒｅａ）ａ、ｂ、ｃを管理する。具体的には、記録制御部３４１が連続データ領域ａへの記録中に不良論理ブロックを見つけると、当該論理ブロックをスキップして、連続データ領域ｂの先頭から書き込みを継続する。次に、記録制御部３４１が連続データ領域ｂへの記録中にＰＣファイルの記録領域とぶつかることを検出した場合には、連続データ領域ｃの先頭から書き込みを継続する。この結果、ファイルＶＲ＿ＭＯＶＩＥ．ＶＲＯは連続データ領域ａ、ｂ、ｃから構成されることになる。
また、アロケーションディスクリプタの記述規則として、図１０のアロケーションディスクリプタａ、ｂ、ｃが参照するデータの開始位置はセクタの先頭に一致し、かつ最後尾のアロケーションディスクリプタｃ以外のアロケーションディスクリプタａ、ｂが参照するデータのデータサイズは１セクタの整数倍である必要がある。
また、１つのＶＯＢＵのデータサイズは、映像が可変ビットレートであれば最大記録レート以下の範囲で変動する。映像が固定ビットレートであればＶＯＢＵのデータサイズはほぼ一定である。
また、記録内容の再生時は、ＤＶＤ−ＲＡＭディスク１３１等の相変化光ディスクからのデータの読み出しと読み出したデータのＭＰＥＧ２復号部への出力を同時に実施する。このとき、データの出力速度よりもデータの読出速度の方が高速となるように設定し、再生すべきデータが無くなることのないように制御を行う。したがって、連続したデータ読み出し及び連続したデータ出力を続けると、データ読み出し速度とデータ出力速度との速度差分だけ出力すべきデータを余分に確保できることになる。すなわち、ピックアップ１３０のジャンプによりデータ読み出しが途絶える間の出力データとして、このような余分に確保できるデータを使うことにより、連続再生を実現することができる。
具体的には、ＤＶＤ−ＲＡＭディスク１３１からのデータ読み出し速度が１１Ｍｂｐｓ、ＭＰＥＧ２復号部へのデータ出力速度が最大８Ｍｂｐｓ、ピックアップ１３０の最大移動時間が３秒の場合、ピックアップ１３０が移動中の２４Ｍビットのデータが余分な出力データとして必要になる。かかる余分なデーダを確保するためには、８秒間の連続読み出しが必要になる。すなわち２４Ｍビットをデータ読み出し速度１１Ｍｂｐｓとデータ出力速度８Ｍｂｐｓの差で割った時間だけ連続読み出しする必要がある。
したがって、８秒間の連続読み出しの間に８８Ｍビット分、すなわち１１秒分の出力データを読み出すことになるので、１１秒分以上の連続データ領域を確保することで、連続データ再生を保証することが可能となる。
なお、連続データ領域の途中には、数個の不良論理ブロックがあっても良い。ただし、この場合には、再生時にかかる不良論理ブロックを読み込むのに必要な読み出し時間を見越して、連続データ領域を１１秒分よりも少し多めに確保する必要が有る。
上記の説明を一般化すると、ピックアップ１３０の最大シーク時間をＴｊ（秒）、ピックアップ１３０のデータ出力速度をＶｏ（Ｍｂｐｓ）、ピックアップ１３０のデータ読み出し速度をＶｒ（Ｍｂｐｓ）とすると、連続データ領域の最小サイズは、以下、
（数２）
連続データ領域の最小サイズ  ＝  Ｖｏ×Ｔｊ×Ｖｒ／（Ｖｒ−Ｖｏ）で表すことができる。ここで、Ｖｏ、Ｖｒは、ＭＰＥＧ２の場合とＭＰＥＧ４の場合とで異なり、それぞれ圧縮方式に対して、適切な連続データ領域の最小サイズである、本発明の第１の所定の連続データ領域、および本発明の第２の所定の連続データ領域が決定される。また、図１１は上式の関係を図示したものである。このように連続データ領域が決定されることにより、図１２に示すように、２つの動画ストリームが交互に記録されている場合でも、データがフリーズすることなく各データを取り出すことができる。
ここで、連続データ再生が保障される連続データ領域は、ＭＰＥＧ４に比べてＭＰＥＧ２の方が大きくなる。そこで、例えば、ＭＰＥＧ２において連続再生が保障される１１〜１２秒分のフル動画データと、同じく１１〜１２秒分のミニ動画データを交互に記録することにより、両方の動画データの連続再生が可能となる。またこのとき、ミニ動画は、１１〜１２秒分のより長い単位で記録されるので、ミニ動画の各フレームの出画遅延時間は、ピックアップのシーク処理が不要となるケースが増えることにより、短くて済む。ミニ動画は、データサイズが小さいことからも、全データをメモリ上に配置でき、これにより記録済みの全フレームを使った滑らかな高速再生（例えば２倍速再生等）の実現が可能になる。フル動画の同様のケースでは、データサイズが大きいのでフレームデータをメモリ上に置くのは困難であり、高速再生時は、例えばディスク上の特定フレーム（例えばＩフレームのみ）の再生により実現されるので、ミニ動画の場合と比較すると滑らかさに劣る。また、ミニ動画はデータサイズが小さいので逆方向の１倍速再生や２倍速再生等も可能になる。また、コマ送りやコマ戻し等特殊再生の処理もメモリ上にデータがあれば高速かつ容易に実現できる。
ただし、この場合、動画データとミニ動画データは２つの連続データ領域を１つの組として、その組内では物理的に分離しないようにした方がよい。また、ミニ動画データの連続データ領域の方がフル動画の連続データよりも物理的にブロック番号のオーダーで前の方に位置していたほうが良い。同時再生時において、両者の再生すべきデータがより早く読み出し可能となるからである。これにより、同時再生時の最初の出画時間をより短縮化できる。
各連続データ領域は、それぞれのデータサイズが上式の関係を満たせば、図１３に示すように、物理的に連続していなくてもよい。ただし、映像および音声がフリーズすることなく連続的に再生可能である様に、ＭＰＥＧ２の場合は、第１の所定の連続データ領域（ＣＤＡ）を有して、ＭＰＥＧ２の場合は、第２の所定の連続データ領域を有して、これらの連続データ領域においては物理的に連続してそれぞれのファイルを記録する必要がある。これにより、２つのファイルを同時に記録する際のピックアップ１３０のシーク動作を減らすことができる。
なお、それぞれのデータの再生時間が同じになるように、それぞれのデータ領域が記録されている場合は、フル動画とミニ動画を同時に再生することができる。すなわち、例えば、図１、２における再生部１２１がＤＶＤ−ＲＡＭディスク１３１からフル動画ファイルおよびミニ動画ファイルの両方を取り出し、ＭＰＥＧ２復号部１１１およびＭＰＥＧ４復号部１１３がそれぞれの動画ファイルを復号し、復号されたそれぞれの映像信号および音声信号をポータブルビデオプレーヤ２の表示部およびＡＶデータ記録再生装置１に接続された表示装置３に出力することができれば、フル動画ファイルおよびミニ動画ファイルを同時に（すなわち同じ再生の進行で）視聴することができる。
このとき、フル動画ファイルとミニ動画ファイルは圧縮時に同じクロックを基準として各フレームが生成されるので、フル動画とミニ動画の各フレームの再生タイミングは、最初の１フレームの再生開始タイミングを合わせることにより、以降に再生されるフレームにおいては一致する。フル動画とミニ動画の最初の１フレームの再生タイミングは、それぞれ時間情報ファイル内の時間情報およびミニ動画ファイル内の時間情報を参照して、同じ時刻に対応する動画データから再生開始するようにすれば一致する。
また、図１４に示す様に、各連続データ領域の間にＰＣファイル等のデータが挟まれ（インターリーブされ）ても良い。
また、以上までの説明において、ポータブルビデオプレーヤ２は屋外で使用され、ＡＶデータ記録再生装置１は屋内で使用される、としたが、これに限られることがないことは言うまでもない。さらに、図１５に示すように、ポータブルビデオプレーヤ２とＡＶデータ記録再生装置１が接続されて使用されてもよい。
その場合、いずれか一方の装置から地方の装置が遠隔操作できる構成であれば、ＤＶＤ−ＲＡＭディスク１３１を各装置の間において挿入し直す必要がない。例えば、ＡＶデータ記録再生装置１の再生部１２１がフル動画ファイルおよびミニ動画ファイルの両方を取り出して、ミニ動画ファイルがポータブルビデオプレーヤ２に送られれば、ポータブルビデオプレーヤ２では、ミニ動画ファイルを復号するだけでよいので、さらにポーダブルビデオプレーヤ２におけるバッテリーの消耗を抑制することができる。例えば、居間において、ＡＶデータ記録再生装置で視聴していたが、ＤＶＤ−ＲＡＭディスクを取り出すことなく、寝室にあるポータブルビデオプレーヤ２から遠隔操作することにより、寝室において続きを視聴することができる、という使用形態等が考えられる。
また本実施の形態において、記憶媒体はＤＶＤ−ＲＡＭディスクであるものとしたが、特にこれに限定するものではなく、例えばＭＯ、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体であれば何でも良い。また、半導体メモリであっても良い。そのような場合も上記と同様の効果を得ることができる。
また本実施の形態において、読み書きヘッドはピックアップ１３０としているが、ＭＯの場合はピックアップ及び磁気ヘッドとなり、またハードディスクの場合は磁気ヘッドとなる。
また本実施の形態において、放送番組はＡＶデータ記録再生装置内でＭＰＥＧ２およびＭＰＥＧ４で圧縮するものとしたが、デジタル放送波の場合は、放送波に含まれるＭＰＥＧ２圧縮ストリームおよびＭＰＥＧ４圧縮ストリームをトランスポートストリームのまま、別々のファイルに記録しても良い。また一方、１つのファイルに記録しても良い。だたし後者の場合、図４の同時録画識別情報には同一のファイル名が登録される。
また本実施の形態において、３の再生中断情報はＤＶＤ−ＲＡＭディスク１３１等の記録媒体に記録されるものとしたが、ＡＶデータ記録再生装置に内蔵されたフラッシュメモリに記録されても良い。ただしこの場合、識別子と一緒にどの記録媒体の再生を中断したのかを識別するためにメディア識別子を一緒にフラッシュメモリに記録する必要がある。
また本実施の形態において、図４に示す同時録画識別情報はＤＶＤ−ＲＡＭディスク１３１等の記録媒体上に記録されるものとしたが、ＡＶデータ記録再生装置に内蔵されたフラッシュメモリに記録されても良い。ただし、この場合識別子と一緒にどのＤＶＤ−ＲＡＭディスク上の動画ファイル名かを識別するためにメディア識別子を一緒にフラッシュメモリに記録する必要がある。
また本実施の形態において、ミニ動画を再生する場合はミニ動画のビットレートに応じてＤＶＤ−ＲＡＭドライブの回転数を落して小電力化を図っても良い。
また本実施の形態において、ミニ動画をＭＰＥＧ４ビデオストリームを含むＭＰ４ストリームへ圧縮したが、ＭＰＥＧ−ＴＳストリーム等であっても良い。また、連続したＪＰＥＧストリームをストリーム（Ｍｏｔｉｏｎ  ＪＰＥＧストリーム）を含むＱｕｉｃｋＴｉｍｅファイル、または  Ｍｏｔｉｏｎ  ＪＰＥＧ  ２０００規格準拠のストリームを含むファイルを生成しても良い。
さらに、本発明の圧縮方式は、２種類の圧縮方式に限らず、互いに異なる３種類以上の圧縮方式であってもよい。その場合は、それぞれの圧縮方式に適合した復号部を有する装置で復号されれば、上記と同様の効果が得られる。
また本実施の形態において、ＡＶデータ記録再生装置１は本発明の再生装置の一例であるとしたが、複数の異なる圧縮方式で圧縮された信号、および複数の異なる圧縮方式で圧縮された信号の互いの対応関係を示す記録管理情報を記録媒体に記録する場合においては、本発明の記録装置の一例でもある。この場合、本発明の記録装置は、上記の機能を有していればよいので、再生機能が無い場合も考えられる。
また、以上までの説明において、ポータブルビデオプレーヤ２は、信号を複数の異なる圧縮方式で圧縮する機能、および圧縮した信号を記録する記録機能が無くてもよい。すなわち、ポータブルビデオプレーヤ２は、再生専用機であってもよい。ただし、上述したように、再生中断信号を記録媒体に記録するための記録機能を有することが必要である。
さらに、本発明の再生装置は、ＡＶデータ記録再生装置１の機能およびポータブルビデオ再生装置２の機能が合体された単一の装置である構成も考えられる。すなわち、屋内で視聴する場合は、電源ライン、および大画面ＴＶ３に接続してＡＶデータ記録再生装置１として使用され、屋外に持ち出した時には、バッテリーで駆動してポータブルビデオプレーヤ２として動作する構成も考えられる。そのような場合でも上記と同様の効果を得ることができる。
また、各圧縮データはＡＶデータ記録再生装置１に内蔵されたフラッシュメモリに記録されても良い。
また、以上までの説明では、本発明の記録媒体に記録されるのは放送番組を例として挙げたがこれに限定されるものでないことは言うまでもない。
尚、本発明のプログラムは、上述した本発明の再生装置または記録装置の全部又は一部の手段（又は、装置、素子等）の機能をコンピュータにより実行させるためのプログラムであって、コンピュータと協働して動作するプログラムである。
又、本発明の記録媒体は、上述した本発明の再生装置または記録装置の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
尚、本発明の上記「一部の手段（又は、装置、素子等）」とは、それらの複数の手段の内の、一つ又は幾つかの手段を意味する。
又、本発明の上記「手段（又は、装置、素子等）の機能」とは、前記手段の全部又は一部の機能を意味する。
又、本発明のプログラムの一利用形態は、コンピュータにより読み取り可能な記録媒体に記録され、コンピュータと協働して動作する態様であっても良い。
又、本発明のプログラムの一利用形態は、伝送媒体中を伝送し、コンピュータにより読みとられ、コンピュータと協働して動作する態様であっても良い。
又、記録媒体としては、ＲＯＭ等が含まれ、伝送媒体としては、インターネット等の伝送媒体、光・電波・音波等が含まれる。
又、上述した本発明のコンピュータは、ＣＰＵ等の純然たるハードウェアに限らず、ファームウェアや、ＯＳ、更に周辺機器を含むものであっても良い。
尚、以上説明した様に、本発明の構成は、ソフトウェア的に実現しても良いし、ハードウェア的に実現しても良い。
また、以上までの説明におけるＤＶＤ−ＲＡＭ等の記録媒体に記録されたデータ構造も本発明の範囲に含まれる。この場合データ構造としては、データベース、データフォーマット、データテーブル、データリスト、データの種類などを含む。
以上のように本発明の再生装置、記録装置によれば、放送番組を屋外と屋内の両方で効率的に視聴できる。すなわち、屋外の視聴時においては、記録再生装置のバッテリーの消耗を抑え、かつ、屋内においては同じ番組の続きを大画面ＴＶで容易に切り替えて視聴できる。
【産業上の利用可能性】  本発明の記録再生システムは、想定した視聴形態が変化した場合でも、それぞれの視聴形態に適した条件で映像および／または音声を視聴することができるという効果を有し、再生装置等として有用である。
【図１】
2004019612.tif 000003
【図２】
2004019612.tif 000004
【図３】
2004019612.tif 000005
【図４】
2004019612.tif 000006
【図５】
2004019612.tif 000007
【図６】
2004019612.tif 000008
【図７】
2004019612.tif 000009
【図８】
2004019612.tif 000010
【図９】
2004019612.tif 000011
【図１０】
2004019612.tif 000012
【図１１】
2004019612.tif 000013
【図１２】
2004019612.tif 000014
【図１３】
2004019612.tif 000015
【図１４】
2004019612.tif 000016
【図１５】
2004019612.tif 000017
【図１６】
2004019612.tif 000018
【手続補正書】
【提出日】平成16年6月23日(2004.6.23)
【手続補正１】
【補正対象書類名】明細書
【補正対象項目名】全文
【補正方法】変更
【補正の内容】
【書類名】  明細書
【特許請求の範囲】
【請求項１】  複数の異なる圧縮方式で圧縮された信号、および前記複数の異なる圧縮方式で圧縮された信号の互いの対応関係を示す記録管理情報がそれぞれ記録されている記録媒体から前記いずれかの信号を取り出すための再生部と、
前記記録媒体から取り出された信号を復号化する復号部と、
前記再生部における再生中断情報を含む再生管理情報を前記記録管理情報に対応させて前記記録媒体に記録する記録部とを備える再生装置。
【請求項２】  前記再生中断情報は、前記信号の再生が開始されてからの経過時間である、請求項１に記載の再生装置。
【発明の詳細な説明】
【０００１】
【発明の属する技術分野】
本発明は、光ディスク等の記録媒体を使って動画像を記録／再生する再生装置に関する。
【０００２】
【従来の技術】
映像を低いビットレートで圧縮する方法として、ＭＰＥＧ２規格（ＩＳＯ／ＩＥＣ  １３８１８−１）で規定されているシステムストリームがある。このシステムストリームには、プログラムストリーム（ＰＳ）、トランスポートストリーム（ＴＳ）、及びＰＥＳストリームの３種類が規定されている。
【０００３】
また、さらに低いビットレートで圧縮する方法として、ＭＰＥＧ４規格（ＩＳＯ／ＩＥＣ  １４４９６−１）で規定されているシステムストリームもある。このシステムストリームには、プログラムストリーム（ＰＳ）、トランスポートストリーム（ＴＳ）、Ｈ．２２３ストリーム、ＲＴＰストリーム、およびＭＰ４ストリームの５種類が規定されている。
【０００４】
一方、磁気テープに代わる映像記録媒体としてＤＶＤ−ＲＡＭやＭＯ等の光ディスクが注目を浴びてきている。図１６に、従来のＤＶＤ−ＲＡＭディスクを使った映像のＡＶデータ記録再生装置３００の構成図を示す。図１６において、映像信号入力部１００及び音声信号入力部１０２から入力した信号から各々圧縮部３０１でプログラムストリームが作成され、作成されたプログラムストリームは記録部３２０及びピックアップ１３０を経由してＤＶＤ−ＲＡＭディスク１３１へ書き込まれる。再生時は、ピックアップ１３０及び再生部３２１を経由して取り出されたプログラムストリームは復号部３１１で映像信号と音声信号に復号され、復号された映像信号と音声信号は映像信号出力部１１０及び音声信号出力部１１２へ出力される。圧縮部３０１は、ＭＰＥＧ２およびＭＰＥＧ２よりも低ビットレートで圧縮することができ、復号部３１１は、ＭＰＥＧ２で圧縮された信号またはＭＰＥＧ２よりも低いビットレートで圧縮された信号を復号することができる。
【０００５】
記録時には、記録制御部３４１が記録部３２０の制御を行なう。また、連続データ領域検出部３４０は、記録制御部３４１の指示によって、論理ブロック管理部１４３で管理されるセクタの使用状況を調べて、物理的に連続する空き領域を検出する。記録された映像信号ファイルを削除する際には、記録制御部３４１が記録部３２０及び再生部３２１を制御して削除処理を実施する。
【０００６】
このように、従来は、ユーザーは、例えばＭＰＥＧ２で圧縮された信号をＡＶデータ記録再生装置３００において再生し、テレビ等の表示装置に接続して映像および音声を視聴していた。
【０００７】
また近年、さらに低ビットレートで映像を視聴することができるポータブルビデオプレーヤが登場してきている。このようなポータブルビデオプレーヤ４００の構成も図１６に示すＡＶデータ記録再生装置３００の構成と同様であるが、ポータブルプレーヤ４００は、携帯して視聴できるように電源としてバッテリー（図示せず）が使用されている。
【０００８】
従って、例えば放送番組を録画するとき、ユーザーは、その番組をテレビ画面を介して視聴する場合は、その番組をＭＰＥＧ２で映像信号および音声信号を圧縮して記録媒体に記録（以下、ＭＰＥＧ２で録画、という。）していた。また、その番組をポータブルビデオプレーヤ４００で視聴する場合には、ＭＰＥＧ２よりも低ビットレートで映像信号および音声信号を圧縮して記録（低ビットレートで録画、という。）していた。また、ＡＶデータ記録再生装置３００においても、ポータブルビデオプレーヤ４００においても、その再生を中断したときは、再生を中断した装置において、中断した続きを視聴することができるレジューム機能が備えられていた(例えば、特許文献１参照。)。
【特許文献１】  特開２００１−３４４８７４号公報
【０００９】
【発明が解決しようとする課題】
しかし、ユーザが、最初は番組をポータブルビデオプレーヤ４００で視聴するつもりで、低ビットレートで番組を録画し、屋外でポーダブルビデオプレーヤ４００を用いて録画された番組を途中まで視聴したが、続きを自宅で視聴する場合が考えられる。このような場合、番組は低ビットレートでしか記録媒体には録画されていないので、ポータブルビデオプレーヤ４００の画面よるはるかに大きな画面を有する自宅のテレビ画面を介して番組を視聴しようとしても、高精彩な画質で視聴することができないという問題があった。
【００１０】
また、逆に番組を自宅のテレビで視聴するつもりで、ＭＰＥＧ２で記録媒体に録画していても、自宅で途中まで視聴したが、続きを屋外でポータブルビデオプレーヤ４００を用いて視聴する場合が考えられる。このような場合、番組はＭＰＥＧ２でしか記録媒体に録画されていないので、ポータブルプレーヤ４００においてＭＰＥＧ２で録画された信号を復号することになる。ＭＰＥＧ２で録画された信号は、低ビットレートで録画された信号に比べて、記録媒体からの読み出しのための電力、および復号するときの消費電力がはるかに大きい。従って、ポータブルビデオプレーヤ４００のバッテリーが消耗しやすい、という問題があった。
【００１１】
このように、番組を記録するときに視聴形態を特定していたので、想定していた視聴形態が変更されたとき、それぞれの視聴形態に適した条件（画質、ビットレート、消費電力等）で視聴することが困難であった。
【００１２】
上記の課題を考慮し、本発明は、想定した視聴形態が変化した場合でも、それぞれの視聴形態に適した条件で映像および／または音声を視聴することができる、再生装置を提供することを目的とする。
【００１３】
【課題を解決するための手段】
上記課題を解決するために、第１の本発明は、複数の異なる圧縮方式で圧縮された信号、および前記複数の異なる圧縮方式で圧縮された信号の互いの対応関係を示す記録管理情報がそれぞれ記録されている記録媒体から前記いずれかの信号を取り出すための再生部と、
前記記録媒体から取り出された信号を復号化する復号部と、
前記再生部における再生中断情報を含む再生管理情報を前記記録管理情報に対応させて前記記録媒体に記録する記録部とを備える再生装置である。
【００１４】
第２の本発明は、前記再生中断情報は、前記信号の再生が開始されてからの経過時間である、第１の本発明の再生装置である。
【００１５】
第３の本発明は、その駆動がバッテリーによりなされる、第１の本発明の再生装置である。
【００１６】
第４の本発明は、ＭＰＥＧ２で圧縮された信号を復号した信号を表示するのに適合している、第１の本発明の再生装置である。
【００１７】
第５の本発明は、複数の異なる圧縮方式で圧縮された信号、および前記複数の異なる圧縮方式で圧縮された信号の互いの対応関係を示す記録管理情報、第１の本発明の再生装置によって記録されている前記再生管理情報がそれぞれ記録されている記録媒体から前記いずれかの信号、前記記録管理情報、および前記再生管理情報を取り出すための再生部と、
前記記録媒体から取り出されたいずれかの信号を復号化する復号部とを備え、
前記記録媒体から取り出されたいずれかの信号は、前記再生部および／または前記復号部に適合しており、
前記再生部は、前記記録管理情報および前記再生管理情報に基づいて、前記再生管理情報に含まれる前記再生中断情報に対応する信号以降の信号を前記記録媒体から取り出す再生装置である。
【００１８】
第６の本発明は、前記複数の圧縮方式は、ＭＰＥＧ２およびＭＰＥＧ４であり、
前記記録管理情報は、前記ＭＰＥＧ２で圧縮された信号および前記ＭＰＥＧ４で圧縮された信号を対応づける情報であり、
前記再生中断情報に対応する信号以降の信号の圧縮方式は、第１の本発明の再生装置において再生されていた信号の圧縮方式とは異なる圧縮方式である、第５の本発明の再生装置である。
【００１９】
第７の本発明は、複数の異なる圧縮方式で圧縮された信号、および前記複数の異なる圧縮方式で圧縮された信号の互いの対応関係を示す記録管理情報を記録媒体に記録する記録装置である。
【００２０】
第８の本発明は、前記記録部は、前記ＭＰＥＧ２で圧縮された信号および前記ＭＰＥＧ４で圧縮された信号を、交互に配列されたストリームとして前記記録媒体に記録する、第７の本発明の記録装置である。
【００２１】
第９の本発明は、前記ＭＰＥＧ２で圧縮された信号ストリームは、少なくとも第１の所定の連続データ領域を有して前記記録媒体に記録され、前記ＭＰＥＧ４で圧縮された信号ストリームは、少なくとも第２の所定の連続データ領域を有して前記記録媒体に記録される、第８の本発明の記録装置である。
【００２２】
第１０の本発明は、前記記録媒体は、光ディスクまたは磁気ディスクであり、前記記録媒体に記録された信号を取り出すための、第１または５の本発明の再生装置の再生部は、前記記録媒体から信号を読み出すためのヘッドを有しており、
前記第１または第２の所定の連続データ領域は、
【００２３】
【数１】
Ｖｏ×Ｔｊ×Ｖｒ／（Ｖｒ−Ｖｏ）、（Ｖｏ：前記ヘッドからの前記各信号の送り出し速度（Ｍｂｐｓ）、Ｔｊ：前記ヘッドの最大シーク時間（秒）、Ｖｒ：前記ヘッドへの前記記録媒体から前記各信号のデータ読み出し速度（Ｍｂｐｓ））で表される、第９の本発明の記録装置である。
【００２４】
第１１の本発明は、前記再生部において前記ＭＰＥＧ２で圧縮された信号ストリームを再生する時間、および前記ＭＰＥＧ４で圧縮された信号ストリームを再生する時間が等しくなるように、前記記録部は、前記ＭＰＥＧ２で圧縮された信号ストリームおよび前記ＭＰＥＧ４で圧縮された信号ストリームを前記記録媒体に記録する、第１０の本発明の記録装置である。
【００２５】
第１２の本発明は、複数の異なる圧縮方式で圧縮された信号、および前記複数の異なる圧縮方式で圧縮された信号の互いの対応関係を示す記録管理情報を記録媒体に記録する工程と、
前記記録媒体から前記いずれかの信号を取り出す工程と、
再生中断情報を含む再生管理情報を前記記録管理情報に対応させて前記記録媒体に記録する工程と、
前記再生管理情報が記録された前記記録媒体から前記記録管理情報および前記再生管理情報を取り出す工程と、
前記記録管理情報および前記再生管理情報に基づいて、前記再生管理情報に含まれる前記再生中断情報に対応する信号以降の信号を、前記再生管理情報が記録された前記記録媒体から取り出す工程と、
前記再生中断情報に対応する信号以降の信号を復号する工程と、
前記再生中断情報に対応する信号以降の信号は、前記再生工程および／または前記復号工程に適合している、記録再生方法である。
【００２６】
第１３の本発明は、第１の本発明の再生装置の、前記記録媒体から前記いずれかの信号を取り出すための再生部と、前記記録媒体から取り出された信号を復号化する復号部としてコンピュータを機能させるためのプログラムである。
【００２７】
第１４の本発明は、第５の本発明の再生装置の、前記記録媒体から前記いずれかの信号、前記記録管理情報、および前記再生管理情報を取り出すための再生部と、前記記録媒体から取り出された信号を復号する復号部としてコンピュータを機能させるためのプログラムである。
【００２８】
第１５の本発明は、第１３または１４の本発明のプログラムを担持させた記録媒体であって、コンピュータにより処理可能な記録媒体である。
【００２９】
第１６の本発明は、信号が複数の異なる圧縮方式で圧縮されて記録媒体に別々に記録されており、前記複数の異なる圧縮方式で圧縮された信号のそれぞれの対応関係を示す管理情報、およびその再生に際して再生中断情報を前記管理情報に対応させて記録することができるデータ構造である。
【００３０】
本発明によれば、想定した視聴形態が変化した場合でも、それぞれの視聴形態に適した条件で映像および／または音声を視聴することができる、再生装置を提供することができる。
【００３１】
【発明を実施するための最良の形態】
以下、本発明の実施の形態について図面を参照しながら説明する。図１は、本発明の再生装置の一例であるＡＶデータ記録再生装置１のブロック構成図である。図１において、映像信号入力部１００及び音声信号入力部１０２から入力した信号は、ＭＰＥＧ２圧縮部１０１で圧縮されてＭＰＥＧ２ビデオストリームを含むプログラムストリームが作成される。また同じ信号がＭＰＥＧ４圧縮部１０３で圧縮されてＭＰＥＧ４ビデオストリームを含むＭＰ４ストリームが作成される。これらの圧縮された信号は、記録部１２０及びピックアップ１３０を経由して本発明の記録媒体の一例であるＤＶＤ−ＲＡＭディスク１３１へそれぞれ別々に書き込まれる。ＭＰＥＧ４圧縮部１０３においては、映像信号の画素数が１／４へ縮小された後で圧縮処理が実施される。ここでＭＰＥＧ２圧縮部１０１が出力するプログラムストリームのビットレートは一例として約９Ｍｂｐｓ、ＭＰＥＧ４圧縮部１０３が出力するＭＰ４ストリームのビットレートは一例として約０．５Ｍｂｐｓである。
【００３２】
再生時は、ユーザの選択によりＭＰＥＧ２ビデオストリームを含むプログラムストリームまたはＭＰＥＧ４ビデオストリームを含むＭＰ４ストリームのいずれかが再生される。具体的にはピックアップ１３０及び本発明の再生部の一例である再生部１２１を経由してプログラムストリームが取り出された場合はＭＰＥＧ２復号部１１１で映像信号と音声信号に復号され、復号された信号は映像信号出力部１１０及び音声信号出力部１１２へ出力される。また、ＭＰ４ストリームが取り出された場合はＭＰＥＧ４復号部１１３で映像信号と音声信号に復号され、復号された信号は映像信号出力部１１０および音声信号出力部１１２へ出力される。
【００３３】
図２は、本実施の形態のAVデータ記録再生装置１の使用例の概略を説明する図である。ポータブルビデオプレーヤ２は、本発明の再生装置の別の一例であり、その構成は、AVデータ記録再生装置１の構成と同様であるのでその説明を省略する。ポータブルビデオプレーヤ２は、バッテリー（図示せず）を搭載しており、その駆動をバッテリーによってもすることができる。上記のプログラムストリームおよびＭＰ４ストリームが記録されたＤＶＤ−ＲＡＭディスク１３１を、ＡＶデータ記録再生装置１およびポータブル機器２のいずれか一方で再生を中断した場合、残りの映像を他方の装置において、その装置に最もふさわしい様式で視聴することができる。
【００３４】
具体的には、図３（ａ）に示すように、ユーザーが屋内でＡＶデータ記録再生装置１を使用してＤＶＤ−ＲＡＭディスクに録画された放送番組の視聴を途中で中断した場合でも、中断した番組の続きを、ポータブルプレーヤ２において、そのバッテリーの消耗を抑制しながら、視聴することができる。
【００３５】
また、これとは逆に、図３（ｂ）に示すように、ユーザが屋外でポータブルビデオプレーヤ２を使用してＤＶＤ−ＲＡＭディスク１３１に録画された放送番組の視聴を、途中で中断した場合でも、中断した番組の続きを、ＡＶデータ記録再生装置１において、高精細な画質で視聴することができる。
【００３６】
次に、本実施の形態のＡＶデータ記録再生装置１の具体的な動作を説明する。図４（ａ）に示す様に、ＭＰＥＧ２ビデオストリームを含むプログラムストリーム（以下、フル動画ストリームという。）は、フル動画ファイルＭＯＶ００１．ＭＰＧとしてＤＶＤ−ＲＡＭディスク１３１に記録される。このとき、フル動画ファイルに対応して時間情報ファイルも記録される。また、ＭＰＥＧ４ビデオストリームを含むＭＰ４ストリーム（以下、ミニ動画ストリームという。）は、ミニ動画ファイルＭＯＶ００１．ＭＰ４としてＤＶＤ−ＲＡＭディスクに記録される。ここで、ミニ動画ストリームに対応する時間情報はミニ動画ファイルのヘッダ部分に記録される。
【００３７】
このように同じ映像信号および音声信号を相異なるビットレートおよび画素数で別々のファイルとして記録し、図４（ｃ）に示すような記録管理ファイル内に、両方のファイル名を含んだ記録管理情報として同時録画識別情報を格納する。また、番組を識別するための識別子（図４の例ではＳＩＭＬ＃１）も記録する。これにより、どの番組がどの２つの動画ファイルに格納されたかを識別することができる。このようにして記録された放送番組を視聴する際に、例えば、屋外でポータブルビデオプレーヤ２を使用する場合は、ミニ動画ファイルを選択することにより、または自動的に選択がなされ、再生、復号がされる。そして、ユーザーは、例えば比較的小さな３インチ程度の液晶画面（映像信号出力部１１０の一部に相当）およびヘッドホン（音声信号出力部１１２の一部に相当）を使い記録された放送番組を視聴する。また、例えばＡＶデータ記録再生装置１に大画面ＴＶ３を接続して視聴する場合は、フル動画ファイルを選択することにより、または自動的に選択がなされ、再生、復号がされる。
【００３８】
次に、ＤＶＤ−ＲＡＭディスク１３１に記録された番組を、屋内で大画面ＴＶ３で視聴しており、途中から屋外でポータブルビデオプレーヤ２を用いて続きを視聴する場合の動作について説明する。
【００３９】
ＡＶデータ記録再生装置１を用いて、ＤＶＤ−ＲＡＭディスク１３１に記録された放送番組を視聴中に一旦視聴を中止する場合は、再生部１２１から記録制御部１４１を介して記録部１２０に再生の中断が伝達され、記録部１２０は、番組の先頭からの視聴経過時間を再生中断情報としてＤＶＤ−ＲＡＭディスク１３１に記録する。例えば番組の先頭から１０分経過した時に視聴を中断した場合は、記録部１２０は、１０分という数値および視聴中の放送番組の識別子を再生中断情報として図４（ｂ）に示す再生管理ファイルに記録する。
【００４０】
その後、ユーザが屋外に出かけ屋外でポータブルビデオプレーヤ２で番組の続きを視聴再開する場合は、ＡＶデータ記録再生装置１から取り出したＤＶＤ−ＲＡＭディスク１３１をポータブルビデオプレーヤ２にセットする。そしてユーザーは、ポータブルビデオプレーヤ２においてミニ動画ファイルを使用した視聴を選択する、または自動的にミニ動画ファイルが選択される。そして、再生部１２１は、再生中断情報をＤＶＤ─ＲＡＭディスク１３１上から読み出す。読み出された再生中断情報は、再生制御部１４２に渡され、再生制御部１４２は、再生中断情報に含まれている放送番組の識別子をキーとして、ミニ動画ファイルのファイル名をいちはやく割り出し、さらに再生中断情報に含まれる経過時間およびミニ動画ファイルのヘッダ−に含まれる時間情報を参照して、該当するミニ動画ファイルの再生中断個所を検出する。そして、再生制御部１４２は、再生部１２１に該当ミニ動画ファイルの再生中断箇所から再生を再開するよう指示を出す。
【００４１】
以上の動作により、ユーザが屋内でＡＶデータ記録再生装置１を使用してＤＶＤ−ＲＡＭディスク１３１に録画された放送番組の視聴を、途中で中断した場合でも、中断した番組の続きをポータブルビデオプレーヤ２においてその消費電力を著しく低減して視聴することができる。例えば、２４Ｍｂｐｓの転送速度を有するＤＶＤ─ＲＡＭ上に記録された９Ｍｂｐｓのフル動画ファイルを再生する場合と、１Ｍｂｐｓのミニ動画ファイルを再生する場合を比較すると、ミニ動画ファイルを再生して復号する場合はフル動画ファイルを再生して復号する場合に比べて消費電力を１／４に下げることができる。すなわち、記録媒体から取り出されたＭＰＥＧ４で圧縮された信号は、再生部１２１および／または復号部１１１、１１３において消費電力を削減することができるという点で適合しているといえる。すなわち、ＭＰＥＧ４で圧縮された信号は、ポーダル機器で再生するのに適している。
【００４２】
また、これとは逆に、ＤＶＤ−ＲＡＭディスク１３１に記録された番組を、屋外でポータブルビデオプレーヤ２で視聴しており、途中から屋内でＡＶデータ記録再生装置１を用いて大画面で続きを視聴する場合の動作について説明する。
【００４３】
ポータブルビデオプレーヤ２を用いて、ＤＶＤ−ＲＡＭディスク１３１に記録された放送番組を視聴中に一旦視聴を中止する場合は、再生部１２１から記録制御部１４１を介して記録部１２０に再生の中断が伝達され、記録部１２０は、番組の先頭からの視聴経過時間を再生中断情報としてＤＶＤ−ＲＡＭディスク１３１に記録する。例えば番組の先頭から１０分経過した時に視聴を中断した場合は、記録部１２０は、１０分という数値および視聴中の放送番組の識別子を再生中断情報として図４（ｂ）に示す再生管理ファイルに記録する。
【００４４】
その後、ユーザが屋内に戻り屋内のＴＶで番組の続きを視聴再開する場合は、ポータブルビデオプレーヤ２からＤＶＤ−ＲＡＭディスク１３１を取り出し、ＡＶデータ記録再生装置１にセットする。そしてユーザーは、ＡＶデータ記録再生装置１においてフル動画ファイルを使用した視聴を選択する、または自動的にフル動画ファイルが選択される。そして、再生部１２１は、再生中断情報をＤＶＤ─ＲＡＭディスク１３１上から読み出す。読み出された再生中断情報は、再生制御部１４２に渡され、再生制御部１４２は、再生中断情報に含まれている放送番組の識別子をキーとして、フル動画ファイルのファイル名をいちはやく割り出し、さらに再生中断情報に含まれる経過時間および時間情報ファイルＭＯＶ００１．ＩＦＯを参照して、該当するフル動画ファイルの再生中断個所を検出する。そして、再生制御部１４２は、再生部１２１に該当フル動画ファイルの再生中断箇所から再生を再開するよう指示を出す。
【００４５】
以上の動作により、ユーザが屋外でポータブルビデオプレーヤ２を使用してＤＶＤ−ＲＡＭディスク１３１に録画された放送番組の視聴を、途中で中断した場合でも、中断した番組の続きを、ＡＶデータ記録再生装置１において視聴することができる。この場合、ＭＰＥＧ２で圧縮した信号は、復号したときに大画面で表示するために適合しているため、高精細な画質で視聴することができる。
【００４６】
さらにユーザーがいずれかの装置において番組の続きの視聴を再開する場合には、ユーザがフル動画（またはミニ動画）ファイルのファイル名を指定し、かつ、再生を中断した該当個所までスキップするといったわずらわしい動作をしなくとも、容易に続きの動画を視聴することができる。
【００４７】
図５は、以上の説明におけるフル動画ファイル、ミニ動画ファイル、時間情報ファイル、記録管理フィル、再生管理フィルのディレクトリの構成の一例を示す。
【００４８】
図６は、ＤＶＤ−ＲＡＭディスク１３１に記録されるフル動画ファイル（ＭＯＶ００１．ＭＰＧ）の構成の一例を示す。ＤＶＤ−ＲＡＭディスク１３１は２Ｋバイトのセクタから構成され、１６個のセクタを１つの論理ブロックとして取り扱い、この論理ブロックごとに誤り訂正符号を付与してＤＶＤ−ＲＡＭディスク１３１へ記録する。さらに最大記録レート換算で１１秒分以上の物理的に連続する論理ブロックを１つの連続データ領域として確保し、この領域へ０．４〜１秒分のＭＰＥＧストリームからなる単位ビデオパケット（Ｖｉｄｅｏ  ＯＢｊｅｃｔ  ＵＮＩＴ：以下、「ＶＯＢＵ」という。）を順に記録する。１つのＶＯＢＵは２Ｋバイト単位のＭＰＥＧプログラムストリームの下位階層であるパックから構成される。パックは、ビデオ圧縮データが格納されたビデオパック（Ｖ＿ＰＣＫ）と、オーディオ圧縮データが格納されたオーディオパック（Ａ＿ＰＣＫ）の２種類から構成される。また、１つのＶＯＢＵには、対応する時間のＶ＿ＰＣＫが全て含まれている。さらに、１つのＶＯＢＵには、タイミング的に必要となる音声フレームを含むＡ＿ＴＳＰが全て含まれている。すなわち、ＶＯＢＵ内において映像フレーム及び音声フレームは完結している。
【００４９】
ＡＶデータ記録再生装置１の連続データ領域検出部３４０は、１つの連続データ領域の残りが最大記録レート換算で３秒分を切った時点で、次の連続データ領域の再検出を行なう。そして、１つの連続データ領域が一杯になると、記録部１２０は次の連続データ領域に書き込みを行なう。
【００５０】
図７に、時間情報ファイルＭＯＶ００１．ＩＦＯの構成例を示す。フル動画ストリームの再生時におけるファイル先頭からの経過時間とファイル先頭からのデータアドレス（パック数）との対応を示す時間情報がフル動画ファイルとは別に時間情報ファイルＭＯＶ００１．ＩＦＯとして記録媒体１３１に格納される。
【００５１】
一方、ミニ動画ストリームは、ミニ動画ファイルＭＯＶ００１．ＭＰ４としてＤＶＤ−ＲＡＭディスク１３１に記録される。このミニ動画ファイルの構成例を図８に示す。ミニ動画ファイルにおいては、再生時におけるファイル先頭からの経過時間とファイル先頭からのデータアドレスとを示す時間情報は、ファイルのヘッダ部分に格納されている。ＭＰ４ファイルのヘッダは、アトム構造と呼ばれるデータ構造からなり、その中に種々の属性が格納されている。時間情報は、図９に示すように、Ｓａｍｐｌｅ  Ｔａｂｌｅ  Ａｔｏｍに格納されている。
【００５２】
これらの時間情報を参照することにより、例えば１０分後の映像に対応するそれぞれの動画ファイルの格納アドレスを再生制御部１４２は、簡単に知ることができる。例えば、図７に示す例では、一例として経過時間に対応するＶＯＢＵ再生時間（フィールド数）が求められ、その積算値に対応するＶＯＢＵデータサイズが決定される。また、図９に示す例においては、経過時間に対応するｖｉｄｅｏ  ｆｒａｍｅ周期（時間）が求められ、これに対応するｖｉｄｅｏ  ｆｒａｍｅ  ｓｉｚｅ（バイト数）が決定される。このような動作により、再生が中断された以降の信号のアドレスが決定される。ここで、時間情報ファイルＭＯＶ００１．ＩＦＯに格納される時間情報、およびミニ動画ファイルのヘッダに格納される時間情報は、本発明の記録管理情報に一例として対応する。また、各動画ファイルにおけるファイル先頭は、映像信号および音声信号が開始される位置である。
【００５３】
図１０は、ＤＶＤ−ＲＡＭディスク１３１上の記録内容がＵＤＦ（Ｕｎｉｖｅｒｓａｌ  Ｄｉｓｋ  Ｆｏｒｍａｔ）ファイルシステムもしくはＩＳＯ／ＩＥＣ  １３３４６（Ｖｏｌｕｍｅ  ａｎｄｆｉｌｅ  ｓｔｒｕｃｔｕｒｅ  ｏｆ  ｗｒｉｔｅ−  ｏｎｃｅ  ａｎｄ  ｒｅｗｒｉｔａｂｌｅ  ｍｅｄｉａ  ｕｓｉｎｇ  ｎｏｎ−ｓｅｑｕｅｎｔｉａｌｒｅｃｏｒｄｉｎｇ  ｆｏｒ  ｉｎｆｏｒｍａｔｉｏｎ  ｉｎｔｅｒｃｈａｎｇｅ）ファイルシステムによって管理されている状態を示す図である。図１０では、連続して記録された１つのＭＰＥＧプログラムストリームがファイルＶＲ＿ＭＯＶＩＥ．ＶＲＯとして記録されている。このファイルは、ファイル名及びファイルエントリの位置が、ＦＩＤ（Ｆｉｌｅ  Ｉｄｅｎｔｉｆｉｅｒ  Ｄｅｓｃｒｉｐｔｏｒ）で管理されている。そして、ファイル名はファイル・アイデンティファイア欄にＶＲ＿ＭＯＶＩＥ．ＶＲＯとして設定され、ファイルエントリの位置は、ＩＣＢ欄にファイルエントリの先頭セクタ番号として設定される。
【００５４】
なお、ＵＤＦ規格はＩＳＯ／ＩＥＣ  １３３４６規格の実装規約に相当する。また、ＤＶＤ−ＲＡＭドライブを１３９４インタフェース及びＳＢＰ−２（Ｓｅｒｉａｌ  Ｂｕｓ  Ｐｒｏｔｏｃｏｌ）プロトコルを介してパソコンへ接続することにより、ＵＤＦに準拠した形態で書きこんだファイルをパソコンからも１つのファイルとして扱うことが可能である。
【００５５】
また、ファイルエントリは、アロケーションディスクリプタを使ってデータが格納されている連続データ領域（ＣＤＡ：Ｃｏｎｔｉｇｕｏｕｓ  Ｄａｔａ  Ａｒｅａ）ａ、ｂ、ｃを管理する。具体的には、記録制御部３４１が連続データ領域ａへの記録中に不良論理ブロックを見つけると、当該論理ブロックをスキップして、連続データ領域ｂの先頭から書き込みを継続する。次に、記録制御部３４１が連続データ領域ｂへの記録中にＰＣファイルの記録領域とぶつかることを検出した場合には、連続データ領域ｃの先頭から書き込みを継続する。この結果、ファイルＶＲ＿ＭＯＶＩＥ．ＶＲＯは連続データ領域ａ、ｂ、ｃから構成されることになる。
【００５６】
また、アロケーションディスクリプタの記述規則として、図１０のアロケーションディスクリプタａ、ｂ、ｃが参照するデータの開始位置はセクタの先頭に一致し、かつ最後尾のアロケーションディスクリプタｃ以外のアロケーションディスクリプタａ、ｂが参照するデータのデータサイズは１セクタの整数倍である必要がある。
【００５７】
また、１つのＶＯＢＵのデータサイズは、映像が可変ビットレートであれば最大記録レート以下の範囲で変動する。映像が固定ビットレートであればＶＯＢＵのデータサイズはほぼ一定である。
【００５８】
また、記録内容の再生時は、ＤＶＤ−ＲＡＭディスク１３１等の相変化光ディスクからのデータの読み出しと読み出したデータのＭＰＥＧ２復号部への出力を同時に実施する。このとき、データの出力速度よりもデータの読出速度の方が高速となるように設定し、再生すべきデータが無くなることのないように制御を行う。したがって、連続したデータ読み出し及び連続したデータ出力を続けると、データ読み出し速度とデータ出力速度との速度差分だけ出力すべきデータを余分に確保できることになる。すなわち、ピックアップ１３０のジャンプによりデータ読み出しが途絶える間の出力データとして、このような余分に確保できるデータを使うことにより、連続再生を実現することができる。
【００５９】
具体的には、ＤＶＤ─ＲＡＭディスク１３１からのデータ読み出し速度が１１Ｍｂｐｓ、ＭＰＥＧ２復号部へのデータ出力速度が最大８Ｍｂｐｓ、ピックアップ１３０の最大移動時間が３秒の場合、ピックアップ１３０が移動中の２４Ｍビットのデータが余分な出力データとして必要になる。かかる余分なデータを確保するためには、８秒間の連続読み出しが必要になる。すなわち２４Ｍビットをデータ読み出し速度１１Ｍｂｐｓとデータ出力速度８Ｍｂｐｓの差で割った時間だけ連続読み出しする必要がある。
【００６０】
したがって、８秒間の連続読み出しの間に８８Ｍビット分、すなわち１１秒分の出力データを読み出すことになるので、１１秒分以上の連続データ領域を確保することで、連続データ再生を保証することが可能となる。
【００６１】
なお、連続データ領域の途中には、数個の不良論理ブロックがあっても良い。ただし、この場合には、再生時にかかる不良論理ブロックを読み込むのに必要な読み出し時間を見越して、連続データ領域を１１秒分よりも少し多めに確保する必要が有る。
【００６２】
上記の説明を一般化すると、ピックアップ１３０の最大シーク時間をＴｊ（秒）、ピックアップ１３０のデータ出力速度をＶｏ（Ｍｂｐｓ）、ピックアップ１３０のデータ読み出し速度をＶｒ（Ｍｂｐｓ）とすると、連続データ領域の最小サイズは、以下、
【００６３】
【数２】
連続データ領域の最小サイズ  ＝  Ｖｏ×Ｔｊ×Ｖｒ／（Ｖｒ−Ｖｏ）
で表すことができる。ここで、Ｖｏ、Ｖｒは、ＭＰＥＧ２の場合とＭＰＥＧ４の場合とで異なり、それぞれ圧縮方式に対して、適切な連続データ領域の最小サイズである、本発明の第１の所定の連続データ領域、および本発明の第２の所定の連続データ領域が決定される。また、図１１は上式の関係を図示したものである。このように連続データ領域が決定されることにより、図１２に示すように、２つの動画ストリームが交互に記録されている場合でも、データがフリーズすることなく各データを取り出すことができる。
【００６４】
ここで、連続データ再生が保障される連続データ領域は、ＭＰＥＧ４に比べてＭＰＥＧ２の方が大きくなる。そこで、例えば、ＭＰＥＧ２において連続再生が保障される１１〜１２秒分のフル動画データと、同じく１１〜１２秒分のミニ動画データを交互に記録することにより、両方の動画データの連続再生が可能となる。またこのとき、ミニ動画は、１１〜１２秒分のより長い単位で記録されるので、ミニ動画の各フレームの出画遅延時間は、ピックアップのシーク処理が不要となるケースが増えることにより、短くて済む。ミニ動画は、データサイズが小さいことからも、全データをメモり上に配置でき、これにより記録済みの全フレームを使った滑らかな高速再生（例えば２倍速再生等）の実現が可能になる。フル動画の同様のケースでは、データサイズが大きいのでフレームデータをメモリ上に置くのは困難であり、高速再生時は、例えばディスク上の特定フレーム（例えばIフレームのみ）の再生により実現されるので、ミニ動画の場合と比較すると滑らかさに劣る。また、ミニ動画はデータサイズが小さいので逆方向の１倍速再生や２倍速再生等も可能になる。また、コマ送りやコマ戻し等特殊再生の処理もメモリ上にデータがあれば高速かつ容易に実現できる。
【００６５】
ただし、この場合、動画データとミニ動画データは２つの連続データ領域を１つの組として、その組内では物理的に分離しないようにした方がよい。また、ミニ動画データの連続データ領域の方がフル動画の連続データよりも物理的にブロック番号のオーダーで前の方に位置していたほうが良い。同時再生時において、両者の再生すべきデータがより早く読み出し可能となるからである。これにより、同時再生時の最初の出画時間をより短縮化できる。
【００６６】
各連続データ領域は、それぞれのデータサイズが上式の関係を満たせば、図１３に示すように、物理的に連続していなくてもよい。ただし、映像および音声がフリーズすることなく連続的に再生可能である様に、ＭＰＥＧ２の場合は、第１の所定の連続データ領域（ＣＤＡ）を有して、ＭＰＥＧ２の場合は、第２の所定の連続データ領域を有して、これらの連続データ領域においては物理的に連続してそれぞれのファイルを記録する必要がある。これにより、２つのファイルを同時に記録する際のピックアップ１３０のシーク動作を減らすことができる。
【００６７】
なお、それぞれのデータの再生時間が同じになるように、それぞれのデータ領域が記録されている場合は、フル動画とミニ動画を同時に再生することができる。すなわち、例えば、図１、２における再生部１２１がＤＶＤ−ＲＡＭディスク１３１からフル動画ファイルおよびミニ動画ファイルの両方を取り出し、ＭＰＥＧ２復号部１１１およびＭＰＥＧ４復号部１１３がそれぞれの動画ファイルを復号し、復号されたそれぞれの映像信号および音声信号をポータブルビデオプレーヤ２の表示部およびＡＶデータ記録再生装置１に接続された表示装置３に出力することができれば、フル動画ファイルおよびミニ動画ファイルを同時に（すなわち同じ再生の進行で）視聴することができる。
【００６８】
このとき、フル動画ファイルとミニ動画ファイルは圧縮時に同じクロックを基準として各フレームが生成されるので、フル動画とミニ動画の各フレームの再生タイミングは、最初の１フレームの再生開始タイミングを合わせることにより、以降に再生されるフレームにおいては一致する。フル動画とミニ動画の最初の１フレームの再生タイミングは、それぞれ時間情報ファイル内の時間情報およびミニ動画ファイル内の時間情報を参照して、同じ時刻に対応する動画データから再生開始するようにすれば一致する。
【００６９】
また、図１４に示す様に、各連続データ領域の間にＰＣファイル等のデータが挟まれ（インターリーブされ）ても良い。
【００７０】
また、以上までの説明において、ポータブルビデオプレーヤ２は屋外で使用され、ＡＶデータ記録再生装置１は屋内で使用される、としたが、これに限られることがないことは言うまでもない。さらに、図１５に示すように、ポータブルビデオプレーヤ２とＡＶデータ記録再生装置１が接続されて使用されてもよい。
【００７１】
その場合、いずれか一方の装置から地方の装置が遠隔操作できる構成であれば、ＤＶＤ−ＲＡＭディスク１３１を各装置の間において挿入し直す必要がない。例えば、ＡＶデータ記録再生装置１の再生部１２１がフル動画ファイルおよびミニ動画ファイルの両方を取り出して、ミニ動画ファイルがポータブルビデオプレーヤ２に送られれば、ポータブルビデオプレーヤ２では、ミニ動画ファイルを復号するだけでよいので、さらにポーダブルビデオプレーヤ２におけるバッテリーの消耗を抑制することができる。例えば、居間において、ＡＶデータ記録再生装置で視聴していたが、ＤＶＤ−ＲＡＭディスクを取り出すことなく、寝室にあるポータブルビデオプレーヤ２から遠隔操作することにより、寝室において続きを視聴することができる、という使用形態等が考えられる。
【００７２】
また本実施の形態において、記憶媒体はＤＶＤ─ＲＡＭディスクであるものとしたが、特にこれに限定するものではなく、例えばＭＯ、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体であれば何でも良い。また、半導体メモリであっても良い。そのような場合も上記と同様の効果を得ることができる。
【００７３】
また本実施の形態において、読み書きヘッドはピックアップ１３０としているが、ＭＯの場合はピックアップ及び磁気ヘッドとなり、またハードディスクの場合は磁気ヘッドとなる。
【００７４】
また本実施の形態において、放送番組はＡＶデータ記録再生装置内でＭＰＥＧ２およびＭＰＥＧ４で圧縮するものとしたが、デジタル放送波の場合は、放送波に含まれるＭＰＥＧ２圧縮ストリームおよびＭＰＥＧ４圧縮ストリームをトランスポートストリームのまま、別々のファイルに記録しても良い。また一方、１つのファイルに記録しても良い。だたし後者の場合、図４の同時録画識別情報には同一のファイル名が登録される。
【００７５】
また本実施の形態において、３の再生中断情報はＤＶＤ─ＲＡＭディスク１３１等の記録媒体に記録されるものとしたが、ＡＶデータ記録再生装置に内蔵されたフラッシュメモリに記録されても良い。ただしこの場合、識別子と一緒にどの記録媒体の再生を中断したのかを識別するためにメディア識別子を一緒にフラッシュメモリに記録する必要がある。
【００７６】
また本実施の形態において、図４に示す同時録画識別情報はＤＶＤ─ＲＡＭディスク１３１等の記録媒体上に記録されるものとしたが、ＡＶデータ記録再生装置に内蔵されたフラッシュメモリに記録されても良い。ただし、この場合識別子と一緒にどのＤＶＤ─ＲＡＭディスク上の動画ファイル名かを識別するためにメディア識別子を一緒にフラッシュメモリに記録する必要がある。
【００７７】
また本実施の形態において、ミニ動画を再生する場合はミニ動画のビットレートに応じてＤＶＤ─ＲＡＭドライブの回転数を落して小電力化を図っても良い。
【００７８】
また本実施の形態において、ミニ動画をＭＰＥＧ４ビデオストリームを含むＭＰ４ストリームへ圧縮したが、ＭＰＥＧ─ＴＳストリーム等であっても良い。また、連続したＪＰＥＧストリームをストリーム（Ｍｏｔｉｏｎ  ＪＰＥＧストリーム）を含むＱｕｉｃｋＴｉｍｅファイル、または  Ｍｏｔｉｏｎ  ＪＰＥＧ  ２０００規格準拠のストリームを含むファイルを生成しても良い。
【００７９】
さらに、本発明の圧縮方式は、２種類の圧縮方式に限らず、互いに異なる３種類以上の圧縮方式であってもよい。その場合は、それぞれの圧縮方式に適合した復号部を有する装置で復号されれば、上記と同様の効果が得られる。
【００８０】
また本実施の形態において、ＡＶデータ記録再生装置１は本発明の再生装置の一例であるとしたが、複数の異なる圧縮方式で圧縮された信号、および複数の異なる圧縮方式で圧縮された信号の互いの対応関係を示す記録管理情報を記録媒体に記録する場合においては、本発明の記録装置の一例でもある。この場合、本発明の記録装置は、上記の機能を有していればよいので、再生機能が無い場合も考えられる。
【００８１】
また、以上までの説明において、ポータブルビデオプレーヤ２は、信号を複数の異なる圧縮方式で圧縮する機能、および圧縮した信号を記録する記録機能が無くてもよい。すなわち、ポータブルビデオプレーヤ２は、再生専用機であってもよい。ただし、上述したように、再生中断信号を記録媒体に記録するための記録機能を有することが必要である。
【００８２】
さらに、本発明の再生装置は、ＡＶデータ記録再生装置１の機能およびポータブルビデオ再生装置２の機能が合体された単一の装置である構成も考えられる。すなわち、屋内で視聴する場合は、電源ライン、および大画面ＴＶ３に接続してＡＶデータ記録再生装置１として使用され、屋外に持ち出した時には、バッテリーで駆動してポータブルビデオプレーヤ２として動作する構成も考えられる。そのような場合でも上記と同様の効果を得ることができる。
【００８３】
また、各圧縮データはＡＶデータ記録再生装置１に内蔵されたフラッシュメモリに記録されても良い。
【００８４】
また、以上までの説明では、本発明の記録媒体に記録されるのは放送番組を例として挙げたがこれに限定されるものでないことは言うまでもない。
【００８５】
尚、本発明のプログラムは、上述した本発明の再生装置または記録装置の全部又は一部の手段（又は、装置、素子等）の機能をコンピュータにより実行させるためのプログラムであって、コンピュータと協働して動作するプログラムである。
【００８６】
又、本発明の記録媒体は、上述した本発明の再生装置または記録装置の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００８７】
尚、本発明の上記「一部の手段（又は、装置、素子等）」とは、それらの複数の手段の内の、一つ又は幾つかの手段を意味する。
【００８８】
又、本発明の上記「手段（又は、装置、素子等）の機能」とは、前記手段の全部又は一部の機能を意味する。
【００８９】
又、本発明のプログラムの一利用形態は、コンピュータにより読み取り可能な記録媒体に記録され、コンピュータと協働して動作する態様であっても良い。
【００９０】
又、本発明のプログラムの一利用形態は、伝送媒体中を伝送し、コンピュータにより読みとられ、コンピュータと協働して動作する態様であっても良い。
【００９１】
又、記録媒体としては、ＲＯＭ等が含まれ、伝送媒体としては、インターネット等の伝送媒体、光・電波・音波等が含まれる。
【００９２】
又、上述した本発明のコンピュータは、ＣＰＵ等の純然たるハードウェアに限らず、ファームウェアや、ＯＳ、更に周辺機器を含むものであっても良い。
【００９３】
尚、以上説明した様に、本発明の構成は、ソフトウェア的に実現しても良いし、ハードウェア的に実現しても良い。
【００９４】
また、以上までの説明におけるＤＶＤ−ＲＡＭ等の記録媒体に記録されたデータ構造も本発明の範囲に含まれる。この場合データ構造としては、データベース、データフォーマット、データテーブル、データリスト、データの種類などを含む。
【００９５】
以上のように本発明の再生装置、記録装置によれば、放送番組を屋外と屋内の両方で効率的に視聴できる。すなわち、屋外の視聴時においては、記録再生装置のバッテリーの消耗を抑え、かつ、屋内においては同じ番組の続きを大画面ＴＶで容易に切り替えて視聴できる。
【００９６】
【発明の効果】
本発明の記録再生システムは、想定した視聴形態が変化した場合でも、それぞれの視聴形態に適した条件で映像および／または音声を視聴することができるという効果を有し、再生装置等として有用である。
【図面の簡単な説明】
【図１】
本発明の実施の形態のＡＶデータ記録再生装置の構成図
【図２】
本発明の実施の形態のＡＶデータ記録再生装置の使用例示す概略図
【図３】
本発明の実施の形態のＡＶデータ記録再生装置の使用状況の概略説明図
【図４】
本発明の実施の形態のＡＶデータ記録再生装置による記録形態の説明図
【図５】
本発明の実施の形態のＡＶデータ記録再生装置による記録形態の説明図
【図６】
本発明の実施の形態のＡＶデータ記録再生装置で作成されるフル動画ストリームの構成図
【図７】
本発明の実施の形態のＡＶデータ記録再生装置で作成される時間情報ファイルの構成図
【図８】
本発明の実施の形態のＡＶデータ記録再生装置で作成されるミニ動画ファイルの構成図
【図９】
本発明の実施の形態のＡＶデータ記録再生装置で作成されるミニ動画ファイルの時間情報ファイルの構成図
【図１０】
本発明の実施の形態のＡＶデータ記録再生装置で作成される各動画ストリームの構成図
【図１１】
本発明の実施の形態のＡＶデータ記録再生装置で作成される動画ストリームの連続データ領域の説明図
【図１２】
本発明の実施の形態のＡＶデータ記録再生装置で作成される動画ストリームの連続データの説明図
【図１３】
本発明の実施の形態のＡＶデータ記録再生装置で作成される動画ストリームの連続データの説明図
【図１４】
本発明の実施の形態のＡＶデータ記録再生装置で作成される動画ストリームの連続データの説明図
【図１５】
本発明の記録再生システムの使用状況を説明する概略図
【図１６】
従来のＡＶデータ記録再生装置の構成図
【符号の説明】
１００  映像信号入力部
１０１  ＭＰＥＧ２圧縮部
１０２  音声信号入力部
１０３  ＭＰＥＧ４圧縮部
１１０  映像信号出力部
１１１  ＭＰＥＧ２復号部
１１２  音声信号出力部
１１３  ＭＰＥＧ４復号部
１３０  ピックアップ
１３１  ＤＶＤ−ＲＡＭディスク
１４３  論理ブロック管理部
３２０  記録部
３２１  再生部
３４０  連続データ領域検出部
３４１  記録制御部
３４２  再生制御部
【手続補正書】
【提出日】平成17年6月2日(2005.6.2)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】
本発明は、光ディスク等の記録媒体を使って動画像を記録／再生する再生装置に関する。
【背景技術】
【０００２】
映像を低いビットレートで圧縮する方法として、ＭＰＥＧ２規格（ＩＳＯ／ＩＥＣ  １３８１８−１）で規定されているシステムストリームがある。このシステムストリームには、プログラムストリーム（ＰＳ）、トランスポートストリーム（ＴＳ）、及びＰＥＳストリームの３種類が規定されている。
【０００３】
また、さらに低いビットレートで圧縮する方法として、ＭＰＥＧ４規格（ＩＳＯ／ＩＥＣ  １４４９６−１）で規定されているシステムストリームもある。このシステムストリームには、プログラムストリーム（ＰＳ）、トランスポートストリーム（ＴＳ）、Ｈ．２２３ストリーム、ＲＴＰストリーム、およびＭＰ４ストリームの５種類が規定されている。
【０００４】
一方、磁気テープに代わる映像記録媒体としてＤＶＤ−ＲＡＭやＭＯ等の光ディスクが注目を浴びてきている。図１６に、従来のＤＶＤ−ＲＡＭディスクを使った映像のＡＶデータ記録再生装置３００の構成図を示す。図１６において、映像信号入力部１００及び音声信号入力部１０２から入力した信号から各々圧縮部３０１でプログラムストリームが作成され、作成されたプログラムストリームは記録部３２０及びピックアップ１３０を経由してＤＶＤ−ＲＡＭディスク１３１へ書き込まれる。再生時は、ピックアップ１３０及び再生部３２１を経由して取り出されたプログラムストリームは復号部３１１で映像信号と音声信号に復号され、復号された映像信号と音声信号は映像信号出力部１１０及び音声信号出力部１１２へ出力される。圧縮部３０１は、ＭＰＥＧ２およびＭＰＥＧ２よりも低ビットレートで圧縮することができ、復号部３１１は、ＭＰＥＧ２で圧縮された信号またはＭＰＥＧ２よりも低いビットレートで圧縮された信号を復号することができる。
【０００５】
記録時には、記録制御部３４１が記録部３２０の制御を行なう。また、連続データ領域検出部３４０は、記録制御部３４１の指示によって、論理ブロック管理部１４３で管理されるセクタの使用状況を調べて、物理的に連続する空き領域を検出する。記録された映像信号ファイルを削除する際には、記録制御部３４１が記録部３２０及び再生部３２１を制御して削除処理を実施する。
【０００６】
このように、従来は、ユーザーは、例えばＭＰＥＧ２で圧縮された信号をＡＶデータ記録再生装置３００において再生し、テレビ等の表示装置に接続して映像および音声を視聴していた。
【０００７】
また近年、さらに低ビットレートで映像を視聴することができるポータブルビデオプレーヤが登場してきている。このようなポータブルビデオプレーヤ４００の構成も図１６に示すＡＶデータ記録再生装置３００の構成と同様であるが、ポータブルプレーヤ４００は、携帯して視聴できるように電源としてバッテリー（図示せず）が使用されている。
【０００８】
従って、例えば放送番組を録画するとき、ユーザーは、その番組をテレビ画面を介して視聴する場合は、その番組をＭＰＥＧ２で映像信号および音声信号を圧縮して記録媒体に記録（以下、ＭＰＥＧ２で録画、という。）していた。また、その番組をポータブルビデオプレーヤ４００で視聴する場合には、ＭＰＥＧ２よりも低ビットレートで映像信号および音声信号を圧縮して記録（低ビットレートで録画、という。）していた。また、ＡＶデータ記録再生装置３００においても、ポータブルビデオプレーヤ４００においても、その再生を中断したときは、再生を中断した装置において、中断した続きを視聴することができるレジューム機能が備えられていた(例えば、特許文献１参照。)。
【特許文献１】特開２００１−３４４８７４号公報
【発明の開示】
【発明が解決しようとする課題】
【０００９】
しかし、ユーザが、最初は番組をポータブルビデオプレーヤ４００で視聴するつもりで、低ビットレートで番組を録画し、屋外でポーダブルビデオプレーヤ４００を用いて録画された番組を途中まで視聴したが、続きを自宅で視聴する場合が考えられる。このような場合、番組は低ビットレートでしか記録媒体には録画されていないので、ポータブルビデオプレーヤ４００の画面よるはるかに大きな画面を有する自宅のテレビ画面を介して番組を視聴しようとしても、高精彩な画質で視聴することができないという問題があった。
【００１０】
また、逆に番組を自宅のテレビで視聴するつもりで、ＭＰＥＧ２で記録媒体に録画していても、自宅で途中まで視聴したが、続きを屋外でポータブルビデオプレーヤ４００を用いて視聴する場合が考えられる。このような場合、番組はＭＰＥＧ２でしか記録媒体に録画されていないので、ポータブルプレーヤ４００においてＭＰＥＧ２で録画された信号を復号することになる。ＭＰＥＧ２で録画された信号は、低ビットレートで録画された信号に比べて、記録媒体からの読み出しのための電力、および復号するときの消費電力がはるかに大きい。従って、ポータブルビデオプレーヤ４００のバッテリーが消耗しやすい、という問題があった。
【００１１】
このように、番組を記録するときに視聴形態を特定していたので、想定していた視聴形態が変更されたとき、それぞれの視聴形態に適した条件（画質、ビットレート、消費電力等）で視聴することが困難であった。
【００１２】
上記の課題を考慮し、本発明は、想定した視聴形態が変化した場合でも、それぞれの視聴形態に適した条件で映像および／または音声を視聴することができる、再生装置を提供することを目的とする。
【課題を解決するための手段】
【００１３】
上記課題を解決するために、第１の本発明は、複数の異なる圧縮方式で圧縮された信号、および前記複数の異なる圧縮方式で圧縮された信号の互いの対応関係を示す記録管理情報がそれぞれ記録されている記録媒体から前記いずれかの信号を取り出すための再生部と、
前記記録媒体から取り出された信号を復号化する復号部と、
前記再生部における再生中断情報を含む再生管理情報を前記記録管理情報に対応させて前記記録媒体に記録する記録部とを備える再生装置である。
【００１４】
第２の本発明は、前記再生中断情報は、前記信号の再生が開始されてからの経過時間である、第１の本発明の再生装置である。
【００１５】
第３の本発明は、その駆動がバッテリーによりなされる、第１の本発明の再生装置である。
【００１６】
第４の本発明は、ＭＰＥＧ２で圧縮された信号を復号した信号を表示するのに適合している、第１の本発明の再生装置である。
【００１７】
第５の本発明は、複数の異なる圧縮方式で圧縮された信号、および前記複数の異なる圧縮方式で圧縮された信号の互いの対応関係を示す記録管理情報、第１の本発明の再生装置によって記録されている前記再生管理情報がそれぞれ記録されている記録媒体から前記いずれかの信号、前記記録管理情報、および前記再生管理情報を取り出すための再生部と、
前記記録媒体から取り出されたいずれかの信号を復号化する復号部とを備え、
前記記録媒体から取り出されたいずれかの信号は、前記再生部および／または前記復号部に適合しており、
前記再生部は、前記記録管理情報および前記再生管理情報に基づいて、前記再生管理情報に含まれる前記再生中断情報に対応する信号以降の信号を前記記録媒体から取り出す再生装置である。
【００１８】
第６の本発明は、前記複数の圧縮方式は、ＭＰＥＧ２およびＭＰＥＧ４であり、
前記記録管理情報は、前記ＭＰＥＧ２で圧縮された信号および前記ＭＰＥＧ４で圧縮された信号を対応づける情報であり、
前記再生中断情報に対応する信号以降の信号の圧縮方式は、第１の本発明の再生装置において再生されていた信号の圧縮方式とは異なる圧縮方式である、第５の本発明の再生装置である。
【００１９】
第７の本発明は、複数の異なる圧縮方式で圧縮された信号、および前記複数の異なる圧縮方式で圧縮された信号の互いの対応関係を示す記録管理情報を記録媒体に記録する記録装置である。
【００２０】
第８の本発明は、前記記録部は、前記ＭＰＥＧ２で圧縮された信号および前記ＭＰＥＧ４で圧縮された信号を、交互に配列されたストリームとして前記記録媒体に記録する、第７の本発明の記録装置である。
【００２１】
第９の本発明は、前記ＭＰＥＧ２で圧縮された信号ストリームは、少なくとも第１の所定の連続データ領域を有して前記記録媒体に記録され、前記ＭＰＥＧ４で圧縮された信号ストリームは、少なくとも第２の所定の連続データ領域を有して前記記録媒体に記録される、第８の本発明の記録装置である。
【００２２】
第１０の本発明は、前記記録媒体は、光ディスクまたは磁気ディスクであり、前記記録媒体に記録された信号を取り出すための、第１または５の本発明の再生装置の再生部は、前記記録媒体から信号を読み出すためのヘッドを有しており、
前記第１または第２の所定の連続データ領域は、
（数１）
Ｖｏ×Ｔｊ×Ｖｒ／（Ｖｒ−Ｖｏ）、（Ｖｏ：前記ヘッドからの前記各信号の送り出し速度（Ｍｂｐｓ）、Ｔｊ：前記ヘッドの最大シーク時間（秒）、Ｖｒ：前記ヘッドへの前記記録媒体から前記各信号のデータ読み出し速度（Ｍｂｐｓ））で表される、第９の本発明の記録装置である。
【００２３】
第１１の本発明は、前記再生部において前記ＭＰＥＧ２で圧縮された信号ストリームを再生する時間、および前記ＭＰＥＧ４で圧縮された信号ストリームを再生する時間が等しくなるように、前記記録部は、前記ＭＰＥＧ２で圧縮された信号ストリームおよび前記ＭＰＥＧ４で圧縮された信号ストリームを前記記録媒体に記録する、第１０の本発明の記録装置である。
【００２４】
第１２の本発明は、複数の異なる圧縮方式で圧縮された信号、および前記複数の異なる圧縮方式で圧縮された信号の互いの対応関係を示す記録管理情報を記録媒体に記録する工程と、
前記記録媒体から前記いずれかの信号を取り出す工程と、
再生中断情報を含む再生管理情報を前記記録管理情報に対応させて前記記録媒体に記録する工程と、
前記再生管理情報が記録された前記記録媒体から前記記録管理情報および前記再生管理情報を取り出す工程と、
前記記録管理情報および前記再生管理情報に基づいて、前記再生管理情報に含まれる前記再生中断情報に対応する信号以降の信号を、前記再生管理情報が記録された前記記録媒体から取り出す工程と、
前記再生中断情報に対応する信号以降の信号を復号する工程と、
前記再生中断情報に対応する信号以降の信号は、前記再生工程および／または前記復号工程に適合している、記録再生方法である。
【００２５】
第１３の本発明は、第１の本発明の再生装置の、前記記録媒体から前記いずれかの信号を取り出すための再生部と、前記記録媒体から取り出された信号を復号化する復号部としてコンピュータを機能させるためのプログラムである。
【００２６】
第１４の本発明は、第５の本発明の再生装置の、前記記録媒体から前記いずれかの信号、前記記録管理情報、および前記再生管理情報を取り出すための再生部と、前記記録媒体から取り出された信号を復号する復号部としてコンピュータを機能させるためのプログラムである。
【００２７】
第１５の本発明は、第１３または１４の本発明のプログラムを担持させた記録媒体であって、コンピュータにより処理可能な記録媒体である。
【００２８】
第１６の本発明は、信号が複数の異なる圧縮方式で圧縮されて記録媒体に別々に記録されており、前記複数の異なる圧縮方式で圧縮された信号のそれぞれの対応関係を示す管理情報、およびその再生に際して再生中断情報を前記管理情報に対応させて記録することができるデータ構造である。
【００２９】
本発明によれば、想定した視聴形態が変化した場合でも、それぞれの視聴形態に適した条件で映像および／または音声を視聴することができる、再生装置を提供することができる。
【発明の効果】
【００３０】
本発明の記録再生システムは、想定した視聴形態が変化した場合でも、それぞれの視聴形態に適した条件で映像および／または音声を視聴することができるという効果を有し、再生装置等として有用である。
【発明を実施するための最良の形態】
【００３１】
以下、本発明の実施の形態について図面を参照しながら説明する。図１は、本発明の再生装置の一例であるＡＶデータ記録再生装置１のブロック構成図である。図１において、映像信号入力部１００及び音声信号入力部１０２から入力した信号は、ＭＰＥＧ２圧縮部１０１で圧縮されてＭＰＥＧ２ビデオストリームを含むプログラムストリームが作成される。また同じ信号がＭＰＥＧ４圧縮部１０３で圧縮されてＭＰＥＧ４ビデオストリームを含むＭＰ４ストリームが作成される。これらの圧縮された信号は、記録部１２０及びピックアップ１３０を経由して本発明の記録媒体の一例であるＤＶＤ−ＲＡＭディスク１３１へそれぞれ別々に書き込まれる。ＭＰＥＧ４圧縮部１０３においては、映像信号の画素数が１／４へ縮小された後で圧縮処理が実施される。ここでＭＰＥＧ２圧縮部１０１が出力するプログラムストリームのビットレートは一例として約９Ｍｂｐｓ、ＭＰＥＧ４圧縮部１０３が出力するＭＰ４ストリームのビットレートは一例として約０．５Ｍｂｐｓである。
【００３２】
再生時は、ユーザの選択によりＭＰＥＧ２ビデオストリームを含むプログラムストリームまたはＭＰＥＧ４ビデオストリームを含むＭＰ４ストリームのいずれかが再生される。具体的にはピックアップ１３０及び本発明の再生部の一例である再生部１２１を経由してプログラムストリームが取り出された場合はＭＰＥＧ２復号部１１１で映像信号と音声信号に復号され、復号された信号は映像信号出力部１１０及び音声信号出力部１１２へ出力される。また、ＭＰ４ストリームが取り出された場合はＭＰＥＧ４復号部１１３で映像信号と音声信号に復号され、復号された信号は映像信号出力部１１０および音声信号出力部１１２へ出力される。
【００３３】
図２は、本実施の形態のAVデータ記録再生装置１の使用例の概略を説明する図である。ポータブルビデオプレーヤ２は、本発明の再生装置の別の一例であり、その構成は、AVデータ記録再生装置１の構成と同様であるのでその説明を省略する。ポータブルビデオプレーヤ２は、バッテリー（図示せず）を搭載しており、その駆動をバッテリーによってもすることができる。上記のプログラムストリームおよびＭＰ４ストリームが記録されたＤＶＤ−ＲＡＭディスク１３１を、ＡＶデータ記録再生装置１およびポータブル機器２のいずれか一方で再生を中断した場合、残りの映像を他方の装置において、その装置に最もふさわしい様式で視聴することができる。
【００３４】
具体的には、図３（ａ）に示すように、ユーザーが屋内でＡＶデータ記録再生装置１を使用してＤＶＤ−ＲＡＭディスクに録画された放送番組の視聴を途中で中断した場合でも、中断した番組の続きを、ポータブルプレーヤ２において、そのバッテリーの消耗を抑制しながら、視聴することができる。
【００３５】
また、これとは逆に、図３（ｂ）に示すように、ユーザが屋外でポータブルビデオプレーヤ２を使用してＤＶＤ−ＲＡＭディスク１３１に録画された放送番組の視聴を、途中で中断した場合でも、中断した番組の続きを、ＡＶデータ記録再生装置１において、高精細な画質で視聴することができる。
【００３６】
次に、本実施の形態のＡＶデータ記録再生装置１の具体的な動作を説明する。図４（ａ）に示す様に、ＭＰＥＧ２ビデオストリームを含むプログラムストリーム（以下、フル動画ストリームという。）は、フル動画ファイルＭＯＶ００１．ＭＰＧとしてＤＶＤ−ＲＡＭディスク１３１に記録される。このとき、フル動画ファイルに対応して時間情報ファイルも記録される。また、ＭＰＥＧ４ビデオストリームを含むＭＰ４ストリーム（以下、ミニ動画ストリームという。）は、ミニ動画ファイルＭＯＶ００１．ＭＰ４としてＤＶＤ−ＲＡＭディスクに記録される。ここで、ミニ動画ストリームに対応する時間情報はミニ動画ファイルのヘッダ部分に記録される。
【００３７】
このように同じ映像信号および音声信号を相異なるビットレートおよび画素数で別々のファイルとして記録し、図４（ｃ）に示すような記録管理ファイル内に、両方のファイル名を含んだ記録管理情報として同時録画識別情報を格納する。また、番組を識別するための識別子（図４の例ではＳＩＭＬ＃１）も記録する。これにより、どの番組がどの２つの動画ファイルに格納されたかを識別することができる。このようにして記録された放送番組を視聴する際に、例えば、屋外でポータブルビデオプレーヤ２を使用する場合は、ミニ動画ファイルを選択することにより、または自動的に選択がなされ、再生、復号がされる。そして、ユーザーは、例えば比較的小さな３インチ程度の液晶画面（映像信号出力部１１０の一部に相当）およびヘッドホン（音声信号出力部１１２の一部に相当）を使い記録された放送番組を視聴する。また、例えばＡＶデータ記録再生装置１に大画面ＴＶ３を接続して視聴する場合は、フル動画ファイルを選択することにより、または自動的に選択がなされ、再生、復号がされる。
【００３８】
次に、ＤＶＤ−ＲＡＭディスク１３１に記録された番組を、屋内で大画面ＴＶ３で視聴しており、途中から屋外でポータブルビデオプレーヤ２を用いて続きを視聴する場合の動作について説明する。
【００３９】
ＡＶデータ記録再生装置１を用いて、ＤＶＤ−ＲＡＭディスク１３１に記録された放送番組を視聴中に一旦視聴を中止する場合は、再生部１２１から記録制御部１４１を介して記録部１２０に再生の中断が伝達され、記録部１２０は、番組の先頭からの視聴経過時間を再生中断情報としてＤＶＤ−ＲＡＭディスク１３１に記録する。例えば番組の先頭から１０分経過した時に視聴を中断した場合は、記録部１２０は、１０分という数値および視聴中の放送番組の識別子を再生中断情報として図４（ｂ）に示す再生管理ファイルに記録する。
【００４０】
その後、ユーザが屋外に出かけ屋外でポータブルビデオプレーヤ２で番組の続きを視聴再開する場合は、ＡＶデータ記録再生装置１から取り出したＤＶＤ−ＲＡＭディスク１３１をポータブルビデオプレーヤ２にセットする。そしてユーザーは、ポータブルビデオプレーヤ２においてミニ動画ファイルを使用した視聴を選択する、または自動的にミニ動画ファイルが選択される。そして、再生部１２１は、再生中断情報をＤＶＤ─ＲＡＭディスク１３１上から読み出す。読み出された再生中断情報は、再生制御部１４２に渡され、再生制御部１４２は、再生中断情報に含まれている放送番組の識別子をキーとして、ミニ動画ファイルのファイル名をいちはやく割り出し、さらに再生中断情報に含まれる経過時間およびミニ動画ファイルのヘッダ−に含まれる時間情報を参照して、該当するミニ動画ファイルの再生中断個所を検出する。そして、再生制御部１４２は、再生部１２１に該当ミニ動画ファイルの再生中断箇所から再生を再開するよう指示を出す。
【００４１】
以上の動作により、ユーザが屋内でＡＶデータ記録再生装置１を使用してＤＶＤ−ＲＡＭディスク１３１に録画された放送番組の視聴を、途中で中断した場合でも、中断した番組の続きをポータブルビデオプレーヤ２においてその消費電力を著しく低減して視聴することができる。例えば、２４Ｍｂｐｓの転送速度を有するＤＶＤ─ＲＡＭ上に記録された９Ｍｂｐｓのフル動画ファイルを再生する場合と、１Ｍｂｐｓのミニ動画ファイルを再生する場合を比較すると、ミニ動画ファイルを再生して復号する場合はフル動画ファイルを再生して復号する場合に比べて消費電力を１／４に下げることができる。すなわち、記録媒体から取り出されたＭＰＥＧ４で圧縮された信号は、再生部１２１および／または復号部１１１、１１３において消費電力を削減することができるという点で適合しているといえる。すなわち、ＭＰＥＧ４で圧縮された信号は、ポーダル機器で再生するのに適している。
【００４２】
また、これとは逆に、ＤＶＤ−ＲＡＭディスク１３１に記録された番組を、屋外でポータブルビデオプレーヤ２で視聴しており、途中から屋内でＡＶデータ記録再生装置１を用いて大画面で続きを視聴する場合の動作について説明する。
【００４３】
ポータブルビデオプレーヤ２を用いて、ＤＶＤ−ＲＡＭディスク１３１に記録された放送番組を視聴中に一旦視聴を中止する場合は、再生部１２１から記録制御部１４１を介して記録部１２０に再生の中断が伝達され、記録部１２０は、番組の先頭からの視聴経過時間を再生中断情報としてＤＶＤ−ＲＡＭディスク１３１に記録する。例えば番組の先頭から１０分経過した時に視聴を中断した場合は、記録部１２０は、１０分という数値および視聴中の放送番組の識別子を再生中断情報として図４（ｂ）に示す再生管理ファイルに記録する。 
【００４４】
その後、ユーザが屋内に戻り屋内のＴＶで番組の続きを視聴再開する場合は、ポータブルビデオプレーヤ２からＤＶＤ−ＲＡＭディスク１３１を取り出し、ＡＶデータ記録再生装置１にセットする。そしてユーザーは、ＡＶデータ記録再生装置１においてフル動画ファイルを使用した視聴を選択する、または自動的にフル動画ファイルが選択される。そして、再生部１２１は、再生中断情報をＤＶＤ─ＲＡＭディスク１３１上から読み出す。読み出された再生中断情報は、再生制御部１４２に渡され、再生制御部１４２は、再生中断情報に含まれている放送番組の識別子をキーとして、フル動画ファイルのファイル名をいちはやく割り出し、さらに再生中断情報に含まれる経過時間および時間情報ファイルＭＯＶ００１．ＩＦＯを参照して、該当するフル動画ファイルの再生中断個所を検出する。そして、再生制御部１４２は、再生部１２１に該当フル動画ファイルの再生中断箇所から再生を再開するよう指示を出す。
【００４５】
以上の動作により、ユーザが屋外でポータブルビデオプレーヤ２を使用してＤＶＤ−ＲＡＭディスク１３１に録画された放送番組の視聴を、途中で中断した場合でも、中断した番組の続きを、ＡＶデータ記録再生装置１において視聴することができる。この場合、ＭＰＥＧ２で圧縮した信号は、復号したときに大画面で表示するために適合しているため、高精細な画質で視聴することができる。
【００４６】
さらにユーザーがいずれかの装置において番組の続きの視聴を再開する場合には、ユーザがフル動画（またはミニ動画）ファイルのファイル名を指定し、かつ、再生を中断した該当個所までスキップするといったわずらわしい動作をしなくとも、容易に続きの動画を視聴することができる。
【００４７】
図５は、以上の説明におけるフル動画ファイル、ミニ動画ファイル、時間情報ファイル、記録管理フィル、再生管理フィルのディレクトリの構成の一例を示す。
【００４８】
図６は、ＤＶＤ−ＲＡＭディスク１３１に記録されるフル動画ファイル（ＭＯＶ００１．ＭＰＧ）の構成の一例を示す。ＤＶＤ−ＲＡＭディスク１３１は２Ｋバイトのセクタから構成され、１６個のセクタを１つの論理ブロックとして取り扱い、この論理ブロックごとに誤り訂正符号を付与してＤＶＤ−ＲＡＭディスク１３１へ記録する。さらに最大記録レート換算で１１秒分以上の物理的に連続する論理ブロックを１つの連続データ領域として確保し、この領域へ０．４〜１秒分のＭＰＥＧストリームからなる単位ビデオパケット（Ｖｉｄｅｏ  ＯＢｊｅｃｔ  ＵＮＩＴ：以下、「ＶＯＢＵ」という。）を順に記録する。１つのＶＯＢＵは２Ｋバイト単位のＭＰＥＧプログラムストリームの下位階層であるパックから構成される。パックは、ビデオ圧縮データが格納されたビデオパック（Ｖ＿ＰＣＫ）と、オーディオ圧縮データが格納されたオーディオパック（Ａ＿ＰＣＫ）の２種類から構成される。また、１つのＶＯＢＵには、対応する時間のＶ＿ＰＣＫが全て含まれている。さらに、１つのＶＯＢＵには、タイミング的に必要となる音声フレームを含むＡ＿ＴＳＰが全て含まれている。すなわち、ＶＯＢＵ内において映像フレーム及び音声フレームは完結している。
【００４９】
ＡＶデータ記録再生装置１の連続データ領域検出部３４０は、１つの連続データ領域の残りが最大記録レート換算で３秒分を切った時点で、次の連続データ領域の再検出を行なう。そして、１つの連続データ領域が一杯になると、記録部１２０は次の連続データ領域に書き込みを行なう。
【００５０】
図７に、時間情報ファイルＭＯＶ００１．ＩＦＯの構成例を示す。フル動画ストリームの再生時におけるファイル先頭からの経過時間とファイル先頭からのデータアドレス（パック数）との対応を示す時間情報がフル動画ファイルとは別に時間情報ファイルＭＯＶ００１．ＩＦＯとして記録媒体１３１に格納される。
【００５１】
一方、ミニ動画ストリームは、ミニ動画ファイルＭＯＶ００１．ＭＰ４としてＤＶＤ−ＲＡＭディスク１３１に記録される。このミニ動画ファイルの構成例を図８に示す。ミニ動画ファイルにおいては、再生時におけるファイル先頭からの経過時間とファイル先頭からのデータアドレスとを示す時間情報は、ファイルのヘッダ部分に格納されている。ＭＰ４ファイルのヘッダは、アトム構造と呼ばれるデータ構造からなり、その中に種々の属性が格納されている。時間情報は、図９に示すように、Ｓａｍｐｌｅ  Ｔａｂｌｅ  Ａｔｏｍに格納されている。
【００５２】
これらの時間情報を参照することにより、例えば１０分後の映像に対応するそれぞれの動画ファイルの格納アドレスを再生制御部１４２は、簡単に知ることができる。例えば、図７に示す例では、一例として経過時間に対応するＶＯＢＵ再生時間（フィールド数）が求められ、その積算値に対応するＶＯＢＵデータサイズが決定される。また、図９に示す例においては、経過時間に対応するｖｉｄｅｏ  ｆｒａｍｅ周期（時間）が求められ、これに対応するｖｉｄｅｏ  ｆｒａｍｅ  ｓｉｚｅ（バイト数）が決定される。このような動作により、再生が中断された以降の信号のアドレスが決定される。ここで、時間情報ファイルＭＯＶ００１．ＩＦＯに格納される時間情報、およびミニ動画ファイルのヘッダに格納される時間情報は、本発明の記録管理情報に一例として対応する。また、各動画ファイルにおけるファイル先頭は、映像信号および音声信号が開始される位置である。
【００５３】
図１０は、ＤＶＤ−ＲＡＭディスク１３１上の記録内容がＵＤＦ（Ｕｎｉｖｅｒｓａｌ  Ｄｉｓｋ  Ｆｏｒｍａｔ）ファイルシステムもしくはＩＳＯ／ＩＥＣ  １３３４６（Ｖｏｌｕｍｅ  ａｎｄｆｉｌｅ  ｓｔｒｕｃｔｕｒｅ  ｏｆ  ｗｒｉｔｅ−  ｏｎｃｅ  ａｎｄ  ｒｅｗｒｉｔａｂｌｅ  ｍｅｄｉａ  ｕｓｉｎｇ  ｎｏｎ−ｓｅｑｕｅｎｔｉａｌｒｅｃｏｒｄｉｎｇ  ｆｏｒ  ｉｎｆｏｒｍａｔｉｏｎ  ｉｎｔｅｒｃｈａｎｇｅ）ファイルシステムによって管理されている状態を示す図である。図１０では、連続して記録された１つのＭＰＥＧプログラムストリームがファイルＶＲ＿ＭＯＶＩＥ．ＶＲＯとして記録されている。このファイルは、ファイル名及びファイルエントリの位置が、ＦＩＤ（Ｆｉｌｅ  Ｉｄｅｎｔｉｆｉｅｒ  Ｄｅｓｃｒｉｐｔｏｒ）で管理されている。そして、ファイル名はファイル・アイデンティファイア欄にＶＲ＿ＭＯＶＩＥ．ＶＲＯとして設定され、ファイルエントリの位置は、ＩＣＢ欄にファイルエントリの先頭セクタ番号として設定される。
【００５４】
なお、ＵＤＦ規格はＩＳＯ／ＩＥＣ  １３３４６規格の実装規約に相当する。また、ＤＶＤ−ＲＡＭドライブを１３９４インタフェース及びＳＢＰ−２（Ｓｅｒｉａｌ  Ｂｕｓ  Ｐｒｏｔｏｃｏｌ）プロトコルを介してパソコンへ接続することにより、ＵＤＦに準拠した形態で書きこんだファイルをパソコンからも１つのファイルとして扱うことが可能である。
【００５５】
また、ファイルエントリは、アロケーションディスクリプタを使ってデータが格納されている連続データ領域（ＣＤＡ：Ｃｏｎｔｉｇｕｏｕｓ  Ｄａｔａ  Ａｒｅａ）ａ、ｂ、ｃを管理する。具体的には、記録制御部３４１が連続データ領域ａへの記録中に不良論理ブロックを見つけると、当該論理ブロックをスキップして、連続データ領域ｂの先頭から書き込みを継続する。次に、記録制御部３４１が連続データ領域ｂへの記録中にＰＣファイルの記録領域とぶつかることを検出した場合には、連続データ領域ｃの先頭から書き込みを継続する。この結果、ファイルＶＲ＿ＭＯＶＩＥ．ＶＲＯは連続データ領域ａ、ｂ、ｃから構成されることになる。
【００５６】
また、アロケーションディスクリプタの記述規則として、図１０のアロケーションディスクリプタａ、ｂ、ｃが参照するデータの開始位置はセクタの先頭に一致し、かつ最後尾のアロケーションディスクリプタｃ以外のアロケーションディスクリプタａ、ｂが参照するデータのデータサイズは１セクタの整数倍である必要がある。
【００５７】
また、１つのＶＯＢＵのデータサイズは、映像が可変ビットレートであれば最大記録レート以下の範囲で変動する。映像が固定ビットレートであればＶＯＢＵのデータサイズはほぼ一定である。
【００５８】
また、記録内容の再生時は、ＤＶＤ−ＲＡＭディスク１３１等の相変化光ディスクからのデータの読み出しと読み出したデータのＭＰＥＧ２復号部への出力を同時に実施する。このとき、データの出力速度よりもデータの読出速度の方が高速となるように設定し、再生すべきデータが無くなることのないように制御を行う。したがって、連続したデータ読み出し及び連続したデータ出力を続けると、データ読み出し速度とデータ出力速度との速度差分だけ出力すべきデータを余分に確保できることになる。すなわち、ピックアップ１３０のジャンプによりデータ読み出しが途絶える間の出力データとして、このような余分に確保できるデータを使うことにより、連続再生を実現することができる。
【００５９】
具体的には、ＤＶＤ─ＲＡＭディスク１３１からのデータ読み出し速度が１１Ｍｂｐｓ、ＭＰＥＧ２復号部へのデータ出力速度が最大８Ｍｂｐｓ、ピックアップ１３０の最大移動時間が３秒の場合、ピックアップ１３０が移動中の２４Ｍビットのデータが余分な出力データとして必要になる。かかる余分なデータを確保するためには、８秒間の連続読み出しが必要になる。すなわち２４Ｍビットをデータ読み出し速度１１Ｍｂｐｓとデータ出力速度８Ｍｂｐｓの差で割った時間だけ連続読み出しする必要がある。
【００６０】
したがって、８秒間の連続読み出しの間に８８Ｍビット分、すなわち１１秒分の出力データを読み出すことになるので、１１秒分以上の連続データ領域を確保することで、連続データ再生を保証することが可能となる。
【００６１】
なお、連続データ領域の途中には、数個の不良論理ブロックがあっても良い。ただし、この場合には、再生時にかかる不良論理ブロックを読み込むのに必要な読み出し時間を見越して、連続データ領域を１１秒分よりも少し多めに確保する必要が有る。
【００６２】
上記の説明を一般化すると、ピックアップ１３０の最大シーク時間をＴｊ（秒）、ピックアップ１３０のデータ出力速度をＶｏ（Ｍｂｐｓ）、ピックアップ１３０のデータ読み出し速度をＶｒ（Ｍｂｐｓ）とすると、連続データ領域の最小サイズは、以下、
（数２）
連続データ領域の最小サイズ  ＝  Ｖｏ×Ｔｊ×Ｖｒ／（Ｖｒ−Ｖｏ）
で表すことができる。ここで、Ｖｏ、Ｖｒは、ＭＰＥＧ２の場合とＭＰＥＧ４の場合とで異なり、それぞれ圧縮方式に対して、適切な連続データ領域の最小サイズである、本発明の第１の所定の連続データ領域、および本発明の第２の所定の連続データ領域が決定される。また、図１１は上式の関係を図示したものである。このように連続データ領域が決定されることにより、図１２に示すように、２つの動画ストリームが交互に記録されている場合でも、データがフリーズすることなく各データを取り出すことができる。
【００６３】
ここで、連続データ再生が保障される連続データ領域は、ＭＰＥＧ４に比べてＭＰＥＧ２の方が大きくなる。そこで、例えば、ＭＰＥＧ２において連続再生が保障される１１〜１２秒分のフル動画データと、同じく１１〜１２秒分のミニ動画データを交互に記録することにより、両方の動画データの連続再生が可能となる。またこのとき、ミニ動画は、１１〜１２秒分のより長い単位で記録されるので、ミニ動画の各フレームの出画遅延時間は、ピックアップのシーク処理が不要となるケースが増えることにより、短くて済む。ミニ動画は、データサイズが小さいことからも、全データをメモり上に配置でき、これにより記録済みの全フレームを使った滑らかな高速再生（例えば２倍速再生等）の実現が可能になる。フル動画の同様のケースでは、データサイズが大きいのでフレームデータをメモリ上に置くのは困難であり、高速再生時は、例えばディスク上の特定フレーム（例えばIフレームのみ）の再生により実現されるので、ミニ動画の場合と比較すると滑らかさに劣る。また、ミニ動画はデータサイズが小さいので逆方向の１倍速再生や２倍速再生等も可能になる。また、コマ送りやコマ戻し等特殊再生の処理もメモリ上にデータがあれば高速かつ容易に実現できる。
【００６４】
ただし、この場合、動画データとミニ動画データは２つの連続データ領域を１つの組として、その組内では物理的に分離しないようにした方がよい。また、ミニ動画データの連続データ領域の方がフル動画の連続データよりも物理的にブロック番号のオーダーで前の方に位置していたほうが良い。同時再生時において、両者の再生すべきデータがより早く読み出し可能となるからである。これにより、同時再生時の最初の出画時間をより短縮化できる。
【００６５】
各連続データ領域は、それぞれのデータサイズが上式の関係を満たせば、図１３に示すように、物理的に連続していなくてもよい。ただし、映像および音声がフリーズすることなく連続的に再生可能である様に、ＭＰＥＧ２の場合は、第１の所定の連続データ領域（ＣＤＡ）を有して、ＭＰＥＧ２の場合は、第２の所定の連続データ領域を有して、これらの連続データ領域においては物理的に連続してそれぞれのファイルを記録する必要がある。これにより、２つのファイルを同時に記録する際のピックアップ１３０のシーク動作を減らすことができる。
【００６６】
なお、それぞれのデータの再生時間が同じになるように、それぞれのデータ領域が記録されている場合は、フル動画とミニ動画を同時に再生することができる。すなわち、例えば、図１、２における再生部１２１がＤＶＤ−ＲＡＭディスク１３１からフル動画ファイルおよびミニ動画ファイルの両方を取り出し、ＭＰＥＧ２復号部１１１およびＭＰＥＧ４復号部１１３がそれぞれの動画ファイルを復号し、復号されたそれぞれの映像信号および音声信号をポータブルビデオプレーヤ２の表示部およびＡＶデータ記録再生装置１に接続された表示装置３に出力することができれば、フル動画ファイルおよびミニ動画ファイルを同時に（すなわち同じ再生の進行で）視聴することができる。
【００６７】
このとき、フル動画ファイルとミニ動画ファイルは圧縮時に同じクロックを基準として各フレームが生成されるので、フル動画とミニ動画の各フレームの再生タイミングは、最初の１フレームの再生開始タイミングを合わせることにより、以降に再生されるフレームにおいては一致する。フル動画とミニ動画の最初の１フレームの再生タイミングは、それぞれ時間情報ファイル内の時間情報およびミニ動画ファイル内の時間情報を参照して、同じ時刻に対応する動画データから再生開始するようにすれば一致する。
【００６８】
また、図１４に示す様に、各連続データ領域の間にＰＣファイル等のデータが挟まれ（インターリーブされ）ても良い。
【００６９】
また、以上までの説明において、ポータブルビデオプレーヤ２は屋外で使用され、ＡＶデータ記録再生装置１は屋内で使用される、としたが、これに限られることがないことは言うまでもない。さらに、図１５に示すように、ポータブルビデオプレーヤ２とＡＶデータ記録再生装置１が接続されて使用されてもよい。
【００７０】
その場合、いずれか一方の装置から地方の装置が遠隔操作できる構成であれば、ＤＶＤ−ＲＡＭディスク１３１を各装置の間において挿入し直す必要がない。例えば、ＡＶデータ記録再生装置１の再生部１２１がフル動画ファイルおよびミニ動画ファイルの両方を取り出して、ミニ動画ファイルがポータブルビデオプレーヤ２に送られれば、ポータブルビデオプレーヤ２では、ミニ動画ファイルを復号するだけでよいので、さらにポーダブルビデオプレーヤ２におけるバッテリーの消耗を抑制することができる。例えば、居間において、ＡＶデータ記録再生装置で視聴していたが、ＤＶＤ−ＲＡＭディスクを取り出すことなく、寝室にあるポータブルビデオプレーヤ２から遠隔操作することにより、寝室において続きを視聴することができる、という使用形態等が考えられる。
【００７１】
また本実施の形態において、記憶媒体はＤＶＤ─ＲＡＭディスクであるものとしたが、特にこれに限定するものではなく、例えばＭＯ、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体であれば何でも良い。また、半導体メモリであっても良い。そのような場合も上記と同様の効果を得ることができる。
【００７２】
また本実施の形態において、読み書きヘッドはピックアップ１３０としているが、ＭＯの場合はピックアップ及び磁気ヘッドとなり、またハードディスクの場合は磁気ヘッドとなる。
【００７３】
また本実施の形態において、放送番組はＡＶデータ記録再生装置内でＭＰＥＧ２およびＭＰＥＧ４で圧縮するものとしたが、デジタル放送波の場合は、放送波に含まれるＭＰＥＧ２圧縮ストリームおよびＭＰＥＧ４圧縮ストリームをトランスポートストリームのまま、別々のファイルに記録しても良い。また一方、１つのファイルに記録しても良い。だたし後者の場合、図４の同時録画識別情報には同一のファイル名が登録される。
【００７４】
また本実施の形態において、３の再生中断情報はＤＶＤ─ＲＡＭディスク１３１等の記録媒体に記録されるものとしたが、ＡＶデータ記録再生装置に内蔵されたフラッシュメモリに記録されても良い。ただしこの場合、識別子と一緒にどの記録媒体の再生を中断したのかを識別するためにメディア識別子を一緒にフラッシュメモリに記録する必要がある。
【００７５】
また本実施の形態において、図４に示す同時録画識別情報はＤＶＤ─ＲＡＭディスク１３１等の記録媒体上に記録されるものとしたが、ＡＶデータ記録再生装置に内蔵されたフラッシュメモリに記録されても良い。ただし、この場合識別子と一緒にどのＤＶＤ─ＲＡＭディスク上の動画ファイル名かを識別するためにメディア識別子を一緒にフラッシュメモリに記録する必要がある。
【００７６】
また本実施の形態において、ミニ動画を再生する場合はミニ動画のビットレートに応じてＤＶＤ─ＲＡＭドライブの回転数を落して小電力化を図っても良い。
【００７７】
また本実施の形態において、ミニ動画をＭＰＥＧ４ビデオストリームを含むＭＰ４ストリームへ圧縮したが、ＭＰＥＧ─ＴＳストリーム等であっても良い。また、連続したＪＰＥＧストリームをストリーム（Ｍｏｔｉｏｎ  ＪＰＥＧストリーム）を含むＱｕｉｃｋＴｉｍｅファイル、または  Ｍｏｔｉｏｎ  ＪＰＥＧ  ２０００規格準拠のストリームを含むファイルを生成しても良い。
【００７８】
さらに、本発明の圧縮方式は、２種類の圧縮方式に限らず、互いに異なる３種類以上の圧縮方式であってもよい。その場合は、それぞれの圧縮方式に適合した復号部を有する装置で復号されれば、上記と同様の効果が得られる。
【００７９】
また本実施の形態において、ＡＶデータ記録再生装置１は本発明の再生装置の一例であるとしたが、複数の異なる圧縮方式で圧縮された信号、および複数の異なる圧縮方式で圧縮された信号の互いの対応関係を示す記録管理情報を記録媒体に記録する場合においては、本発明の記録装置の一例でもある。この場合、本発明の記録装置は、上記の機能を有していればよいので、再生機能が無い場合も考えられる。
【００８０】
また、以上までの説明において、ポータブルビデオプレーヤ２は、信号を複数の異なる圧縮方式で圧縮する機能、および圧縮した信号を記録する記録機能が無くてもよい。すなわち、ポータブルビデオプレーヤ２は、再生専用機であってもよい。ただし、上述したように、再生中断信号を記録媒体に記録するための記録機能を有することが必要である。
【００８１】
さらに、本発明の再生装置は、ＡＶデータ記録再生装置１の機能およびポータブルビデオ再生装置２の機能が合体された単一の装置である構成も考えられる。すなわち、屋内で視聴する場合は、電源ライン、および大画面ＴＶ３に接続してＡＶデータ記録再生装置１として使用され、屋外に持ち出した時には、バッテリーで駆動してポータブルビデオプレーヤ２として動作する構成も考えられる。そのような場合でも上記と同様の効果を得ることができる。
【００８２】
また、各圧縮データはＡＶデータ記録再生装置１に内蔵されたフラッシュメモリに記録されても良い。
【００８３】
また、以上までの説明では、本発明の記録媒体に記録されるのは放送番組を例として挙げたがこれに限定されるものでないことは言うまでもない。
【００８４】
尚、本発明のプログラムは、上述した本発明の再生装置または記録装置の全部又は一部の手段（又は、装置、素子等）の機能をコンピュータにより実行させるためのプログラムであって、コンピュータと協働して動作するプログラムである。
【００８５】
又、本発明の記録媒体は、上述した本発明の再生装置または記録装置の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００８６】
尚、本発明の上記「一部の手段（又は、装置、素子等）」とは、それらの複数の手段の内の、一つ又は幾つかの手段を意味する。
【００８７】
又、本発明の上記「手段（又は、装置、素子等）の機能」とは、前記手段の全部又は一部の機能を意味する。 
【００８８】
又、本発明のプログラムの一利用形態は、コンピュータにより読み取り可能な記録媒体に記録され、コンピュータと協働して動作する態様であっても良い。
【００８９】
又、本発明のプログラムの一利用形態は、伝送媒体中を伝送し、コンピュータにより読みとられ、コンピュータと協働して動作する態様であっても良い。
【００９０】
又、記録媒体としては、ＲＯＭ等が含まれ、伝送媒体としては、インターネット等の伝送媒体、光・電波・音波等が含まれる。
【００９１】
又、上述した本発明のコンピュータは、ＣＰＵ等の純然たるハードウェアに限らず、ファームウェアや、ＯＳ、更に周辺機器を含むものであっても良い。
【００９２】
尚、以上説明した様に、本発明の構成は、ソフトウェア的に実現しても良いし、ハードウェア的に実現しても良い。
【００９３】
また、以上までの説明におけるＤＶＤ−ＲＡＭ等の記録媒体に記録されたデータ構造も本発明の範囲に含まれる。この場合データ構造としては、データベース、データフォーマット、データテーブル、データリスト、データの種類などを含む。
【００９４】
以上のように本発明の再生装置、記録装置によれば、放送番組を屋外と屋内の両方で効率的に視聴できる。すなわち、屋外の視聴時においては、記録再生装置のバッテリーの消耗を抑え、かつ、屋内においては同じ番組の続きを大画面ＴＶで容易に切り替えて視聴できる。
【産業上の利用可能性】
【００９５】
発明にかかる再生装置は、想定した視聴形態が変化した場合でも、それぞれの視聴形態に適した条件で映像および／または音声を視聴することができるという効果を有し、光ディスク等の記録媒体を使って動画像を記録／再生する再生装置等として有用である。
【図面の簡単な説明】
【００９６】
【図１】本発明の実施の形態のＡＶデータ記録再生装置の構成図
【図２】本発明の実施の形態のＡＶデータ記録再生装置の使用例示す概略図
【図３】本発明の実施の形態のＡＶデータ記録再生装置の使用状況の概略説明図
【図４】本発明の実施の形態のＡＶデータ記録再生装置による記録形態の説明図
【図５】本発明の実施の形態のＡＶデータ記録再生装置による記録形態の説明図
【図６】本発明の実施の形態のＡＶデータ記録再生装置で作成されるフル動画ストリームの構成図
【図７】本発明の実施の形態のＡＶデータ記録再生装置で作成される時間情報ファイルの構成図
【図８】本発明の実施の形態のＡＶデータ記録再生装置で作成されるミニ動画ファイルの構成図
【図９】本発明の実施の形態のＡＶデータ記録再生装置で作成されるミニ動画ファイルの時間情報ファイルの構成図
【図１０】本発明の実施の形態のＡＶデータ記録再生装置で作成される各動画ストリームの構成図
【図１１】本発明の実施の形態のＡＶデータ記録再生装置で作成される動画ストリームの連続データ領域の説明図
【図１２】本発明の実施の形態のＡＶデータ記録再生装置で作成される動画ストリームの連続データの説明図
【図１３】本発明の実施の形態のＡＶデータ記録再生装置で作成される動画ストリームの連続データの説明図
【図１４】本発明の実施の形態のＡＶデータ記録再生装置で作成される動画ストリームの連続データの説明図
【図１５】本発明の記録再生システムの使用状況を説明する概略図
【図１６】従来のＡＶデータ記録再生装置の構成図
【符号の説明】
【００９７】
１００  映像信号入力部
１０１  ＭＰＥＧ２圧縮部
１０２  音声信号入力部
１０３  ＭＰＥＧ４圧縮部
１１０  映像信号出力部
１１１  ＭＰＥＧ２復号部
１１２  音声信号出力部
１１３  ＭＰＥＧ４復号部
１３０  ピックアップ
１３１  ＤＶＤ−ＲＡＭディスク
１４３  論理ブロック管理部
３２０  記録部
３２１  再生部
３４０  連続データ領域検出部
３４１  記録制御部
３４２  再生制御部
【手続補正２】
【補正対象書類名】手続補正書
【補正対象項目名】手続補正２
【補正方法】追加
【補正の内容】
【手続補正２】
【補正対象書類名】特許請求の範囲
【補正対象項目名】全文
【補正方法】変更
【補正の内容】
【特許請求の範囲】
【請求項１】
複数の異なる圧縮方式で圧縮された信号、および前記複数の異なる圧縮方式で圧縮された信号の互いの対応関係を示す記録管理情報がそれぞれ記録されている記録媒体から前記いずれかの信号を取り出すための再生部と、
前記記録媒体から取り出された信号を復号化する復号部と、
前記再生部における再生中断情報を含む再生管理情報を前記記録管理情報に対応させて前記記録媒体に記録する記録部とを備える再生装置。
【請求項２】
前記再生中断情報は、前記信号の再生が開始されてからの経過時間である、請求項１に記載の再生装置。
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
複数の異なる条件で圧縮された同じ内容の信号、および前記複数の異なる条件で圧縮された同じ内容の信号の互いの対応関係を示す記録管理情報がそれぞれ記録されている記録媒体から前記いずれかの信号を取り出すための再生部と、
前記記録媒体から取り出された前記いずれかの信号を復号化する復号部と、
前記記録媒体からの信号の再生の中途を示す再生中途情報を含む再生管理情報を前記記録管理情報に対応させて記録する記録部とを備える、再生装置。
【請求項２】
前記記録部は、前記再生管理情報を前記記録媒体に記録する、請求項１に記載の再生装置。
【請求項３】
内蔵されたフラッシュメモリをさらに備え、
前記再生管理情報は、前記フラッシュメモリに記録される、請求項１に記載の再生装置。
【請求項４】
前記再生部は、さらに、前記再生管理情報を前記フラッシュメモリから取り出し、前記記録管理情報および前記再生管理情報に基づいて、前記再生管理情報に含まれる前記再生中途情報に対応する信号以降の信号を前記記録媒体から取り出す、請求項３に記載の再生装置。
【請求項５】
前記再生中途情報は、前記信号の再生が開始されてからの経過時間に関する、請求項１から４のいずれかに記載の再生装置。
【請求項６】
前記記録部は、さらに、前記記録管理情報および前記再生管理情報に対応させて前記記録媒体の識別情報を前記フラッシュメモリに記録する、請求項３に記載の再生装置。
【請求項７】
前記再生部は、さらに、前記記録管理情報、前記再生管理情報、および前記記録媒体の識別情報を取り出し、
前記記録媒体から取り出されたいずれかの信号は、前記再生部および／または前記復号部に適合しており、
前記再生部は、さらに、前記記録管理情報、前記再生管理情報、および前記記録媒体の識別情報に基づいて、前記再生管理情報に含まれる前記再生中途情報に対応する信号以降の信号を前記記録媒体から取り出す、請求項６に記載の再生装置。
【請求項８】
前記異なる条件とは、異なるビットレート、異なる画素数、または異なる圧縮方式に関する、請求項１に記載の再生装置。
【請求項９】
前記複数の異なる条件で圧縮された同じ内容の信号は、それぞれが連続して再生可能となる様に記録媒体上へ記録されている、請求項１に記載の再生装置。
【請求項１０】
前記複数の異なる条件で圧縮された同じ内容の信号は、所定サイズ以上の連続データ領域内にそれぞれ記録されている、請求項１に記載の再生装置。
【請求項１１】
前記記録媒体は、光ディスク、光磁気ディスク、または磁気ディスクであり、
前記再生部は、前記記録媒体から信号を読み出すためのヘッドを有しており、
前記所定サイズは、
（数１）
Ｖｏ×Ｔｊ×Ｖｒ／（Ｖｒ−Ｖｏ）、
（Ｖｏ：前記復号部へのデータ出力速度（Ｍｂｐｓ）、Ｔｊ：前記ヘッドの最大シーク時間（秒）、Ｖｒ：前記ヘッドの前記記録媒体から前記各信号のデータ読み出し速度（Ｍｂｐｓ））
で表される、請求項１０に記載の再生装置。
【請求項１２】
前記複数の異なる条件で圧縮された同じ内容の信号は、所定サイズ以上の連続データ領域内にそれぞれ記録され、
前記連続データ領域は、交互に繰り返し配列して記録されている、請求項１に記載の再生装置。
【請求項１３】
前記所定サイズ以上の連続データ領域に記録されている、前記複数の異なる条件で圧縮されている信号の再生時間は、同じである、請求項１０、または１２に記載の再生装置。
【請求項１４】
前記復号部は、さらに、前記記録媒体から取り出された前記複数の異なる条件で圧縮された信号を復号化する、請求項１２に記載の再生装置。
【請求項１５】
前記異なる圧縮方式は、それぞれＭＰＥＧ２およびＭＰＥＧ４である、請求項８に記載の再生装置。
【請求項１６】
複数の異なる条件で圧縮された同じ内容の信号、および前記複数の異なる条件で圧縮された同じ内容の信号の互いの対応関係を示す記録管理情報を記録媒体に記録する記録部と、
前記記録媒体に記録された信号を取り出すための再生部と、
前記記録媒体から取り出された信号を復号化する復号部とを備え、
前記記録部は、前記複数の異なる条件で圧縮された同じ内容の信号を、所定サイズ以上の連続データ領域内にそれぞれ記録し、前記連続データ領域を交互に繰り返し配列して前記記録媒体に記録する、記録装置。
【請求項１７】
前記記録媒体は、光ディスク、光磁気ディスク、または磁気ディスクであり、
前記再生部は、前記記録媒体から信号を読み出すためのヘッドを有しており、
前記所定サイズは、
（数１）
Ｖｏ×Ｔｊ×Ｖｒ／（Ｖｒ−Ｖｏ）、
（Ｖｏ：前記復号部へのデータ出力速度（Ｍｂｐｓ）、Ｔｊ：前記ヘッドの最大シーク時間（秒）、Ｖｒ：前記ヘッドの前記記録媒体から前記各信号のデータ読み出し速度（Ｍｂｐｓ））
で表される、請求項１６に記載の記録装置。
【請求項１８】
複数の異なる条件で圧縮された信号、および前記複数の異なる条件で圧縮された信号の互いの対応関係を示す記録管理情報がそれぞれ記録されている記録媒体から前記いずれかの信号を取り出す再生部と、
前記いずれかの信号を復号化する復号部と、
前記いずれかの信号を送るための送信部と、
前記送られた信号を復号化する遠隔復号部とを備え、
前記再生部は、前記取り出した信号を前記復号部、または前記送信部へ出力し、前記復号部または前記遠隔復号部における復号化に関する再生中途情報を含む再生管理情報を前記記録管理情報に対応させて記録する記録再生システム。
【請求項１９】
前記再生部は、前記取り出した信号を前記遠隔復号部に送信することができ、前記送信の際に、前記記録管理情報および前記再生管理情報に基づいて、前記再生管理情報に含まれる前記再生中途情報に対応する信号以降の信号を送信する、請求項１８の記録再生システム。
【請求項２０】
複数の異なる条件で圧縮された同じ内容の信号、および前記複数の異なる条件で圧縮された同じ内容の信号の互いの対応関係を示す記録管理情報がそれぞれ記録されている記録媒体から前記いずれかの信号を取り出す工程と、
前記記録媒体から取り出された前記いずれかの信号を復号化する工程と、
前記記録媒体からの信号の再生の中途を示す再生中途情報を含む再生管理情報を前記記録管理情報に対応させて記録する工程とを備える、再生方法。
【請求項２１】
前記再生管理情報を前記記録管理情報に対応させて記録する工程は、前記再生管理情報を前記記録管理情報に対応させて、フラッシュメモリに記録する工程であり、
前記再生管理情報を前記フラッシュメモリから取り出す工程と、
前記記録管理情報および前記再生管理情報に基づいて、前記再生管理情報に含まれる前記再生中途情報に対応する信号以降の信号を前記記録媒体から取り出す工程とをさらに備える、請求項２０に記載の再生方法。
【請求項２２】
請求項１に記載の再生装置の、前記記録媒体から前記いずれかの信号を取り出すための再生部と、前記記録媒体から取り出された前記いずれかの信号を復号化する復号部と、前記再生管理情報を前記記録管理情報に対応させて記録する記録部としてコンピュータを機能させるための、プログラム。
【請求項２３】
請求項４に記載の再生装置の、前記再生管理情報を前記フラッシュメモリから取り出し、前記記録管理情報および前記再生管理情報に基づいて、前記再生管理情報に含まれる前記再生中途情報に対応する信号以降の信号を前記記録媒体から取り出す再生部としてコンピュータを機能させるための、プログラム。
【請求項２４】
請求項２２、または２３に記載のプログラムを担持させた記録媒体であって、コンピュータにより処理可能な、記録媒体。
【請求項２５】
同じ内容の信号が複数の異なる条件で圧縮されて記録媒体に別々に記録されており、前記複数の異なる条件で圧縮された同じ内容の信号のそれぞれの対応関係を示す記録管理情報、および記録媒体からの信号の再生の中途を示す再生中途情報を含む再生管理情報を前記記録管理情報に対応させて記録することができる、データ構造。
【手続補正２】
【補正対象書類名】明細書
【補正対象項目名】全文
【補正方法】変更
【補正の内容】
【発明の詳細な説明】
【技術分野】
【０００１】
本発明は、光ディスク等の記録媒体を使って動画像を記録／再生する再生装置に関する。
【背景技術】
【０００２】
映像を低いビットレートで圧縮する方法として、ＭＰＥＧ２規格（ＩＳＯ／ＩＥＣ  １３８１８−１）で規定されているシステムストリームがある。このシステムストリームには、プログラムストリーム（ＰＳ）、トランスポートストリーム（ＴＳ）、及びＰＥＳストリームの３種類が規定されている。
【０００３】
また、さらに低いビットレートで圧縮する方法として、ＭＰＥＧ４規格（ＩＳＯ／ＩＥＣ  １４４９６−１）で規定されているシステムストリームもある。このシステムストリームには、プログラムストリーム（ＰＳ）、トランスポートストリーム（ＴＳ）、Ｈ．２２３ストリーム、ＲＴＰストリーム、およびＭＰ４ストリームの５種類が規定されている。
【０００４】
一方、磁気テープに代わる映像記録媒体としてＤＶＤ−ＲＡＭやＭＯ等の光ディスクが注目を浴びてきている。図１６に、従来のＤＶＤ−ＲＡＭディスクを使った映像のＡＶデータ記録再生装置３００の構成図を示す。図１６において、映像信号入力部１００及び音声信号入力部１０２から入力した信号から各々圧縮部３０１でプログラムストリームが作成され、作成されたプログラムストリームは記録部３２０及びピックアップ１３０を経由してＤＶＤ−ＲＡＭディスク１３１へ書き込まれる。再生時は、ピックアップ１３０及び再生部３２１を経由して取り出されたプログラムストリームは復号部３１１で映像信号と音声信号に復号され、復号された映像信号と音声信号は映像信号出力部１１０及び音声信号出力部１１２へ出力される。圧縮部３０１は、ＭＰＥＧ２およびＭＰＥＧ２よりも低ビットレートで圧縮することができ、復号部３１１は、ＭＰＥＧ２で圧縮された信号またはＭＰＥＧ２よりも低いビットレートで圧縮された信号を復号することができる。
【０００５】
記録時には、記録制御部３４１が記録部３２０の制御を行なう。また、連続データ領域検出部３４０は、記録制御部３４１の指示によって、論理ブロック管理部１４３で管理されるセクタの使用状況を調べて、物理的に連続する空き領域を検出する。記録された映像信号ファイルを削除する際には、記録制御部３４１が記録部３２０及び再生部３２１を制御して削除処理を実施する。
【０００６】
このように、従来は、ユーザーは、例えばＭＰＥＧ２で圧縮された信号をＡＶデータ記録再生装置３００において再生し、テレビ等の表示装置に接続して映像および音声を視聴していた。
【０００７】
また近年、さらに低ビットレートで映像を視聴することができるポータブルビデオプレーヤが登場してきている。このようなポータブルビデオプレーヤ４００の構成も図１６に示すＡＶデータ記録再生装置３００の構成と同様であるが、ポータブルプレーヤ４００は、携帯して視聴できるように電源としてバッテリー（図示せず）が使用されている。
【０００８】
従って、例えば放送番組を録画するとき、ユーザーは、その番組をテレビ画面を介して視聴する場合は、その番組をＭＰＥＧ２で映像信号および音声信号を圧縮して記録媒体に記録（以下、ＭＰＥＧ２で録画、という。）していた。また、その番組をポータブルビデオプレーヤ４００で視聴する場合には、ＭＰＥＧ２よりも低ビットレートで映像信号および音声信号を圧縮して記録（低ビットレートで録画、という。）していた。また、ＡＶデータ記録再生装置３００においても、ポータブルビデオプレーヤ４００においても、その再生を中断したときは、再生を中断した装置において、中断した続きを視聴することができるレジューム機能が備えられていた(例えば、特許文献１参照。)。
【特許文献１】特開２００１−３４４８７４号公報
【発明の開示】
【発明が解決しようとする課題】
【０００９】
しかし、ユーザが、最初は番組をポータブルビデオプレーヤ４００で視聴するつもりで、低ビットレートで番組を録画し、屋外でポーダブルビデオプレーヤ４００を用いて録画された番組を途中まで視聴したが、続きを自宅で視聴する場合が考えられる。このような場合、番組は低ビットレートでしか記録媒体には録画されていないので、ポータブルビデオプレーヤ４００の画面よるはるかに大きな画面を有する自宅のテレビ画面を介して番組を視聴しようとしても、高精彩な画質で視聴することができないという問題があった。
【００１０】
また、逆に番組を自宅のテレビで視聴するつもりで、ＭＰＥＧ２で記録媒体に録画していても、自宅で途中まで視聴したが、続きを屋外でポータブルビデオプレーヤ４００を用いて視聴する場合が考えられる。このような場合、番組はＭＰＥＧ２でしか記録媒体に録画されていないので、ポータブルプレーヤ４００においてＭＰＥＧ２で録画された信号を復号することになる。ＭＰＥＧ２で録画された信号は、低ビットレートで録画された信号に比べて、記録媒体からの読み出しのための電力、および復号するときの消費電力がはるかに大きい。従って、ポータブルビデオプレーヤ４００のバッテリーが消耗しやすい、という問題があった。
【００１１】
このように、番組を記録するときに視聴形態を特定していたので、想定していた視聴形態が変更されたとき、それぞれの視聴形態に適した条件（画質、ビットレート、消費電力等）で視聴することが困難であった。
【００１２】
上記の課題を考慮し、本発明は、想定した視聴形態が変化した場合でも、それぞれの視聴形態に適した条件で映像および／または音声を視聴することができる、再生装置を提供することを目的とする。
【課題を解決するための手段】
【００１３】
上記課題を解決するために、第１の本発明は、複数の異なる条件で圧縮された同じ内容の信号、および前記複数の異なる条件で圧縮された同じ内容の信号の互いの対応関係を示す記録管理情報がそれぞれ記録されている記録媒体から前記いずれかの信号を取り出すための再生部と、
前記記録媒体から取り出された前記いずれかの信号を復号化する復号部と、
前記記録媒体からの信号の再生の中途を示す再生中途情報を含む再生管理情報を前記記録管理情報に対応させて記録する記録部とを備える、再生装置である。
【００１４】
第２の本発明は、前記記録部は、前記再生管理情報を前記記録媒体に記録する、第１の本発明の再生装置である。
【００１５】
第３の本発明は、内蔵されたフラッシュメモリをさらに備え、
前記再生管理情報は、前記フラッシュメモリに記録される、第１の本発明の再生装置である。
【００１６】
第４の本発明は、前記再生部は、さらに、前記再生管理情報を前記フラッシュメモリから取り出し、前記記録管理情報および前記再生管理情報に基づいて、前記再生管理情報に含まれる前記再生中途情報に対応する信号以降の信号を前記記録媒体から取り出す、第３の本発明の再生装置である。
【００１７】
第５の本発明は、前記再生中途情報は、前記信号の再生が開始されてからの経過時間に関する、第１から４のいずれかの本発明の再生装置である。
【００１８】
第６の本発明は、前記記録部は、さらに、前記記録管理情報および前記再生管理情報に対応させて前記記録媒体の識別情報を前記フラッシュメモリに記録する、第３の本発明の再生装置である。
【００１９】
第７の本発明は、前記再生部は、さらに、前記記録管理情報、前記再生管理情報、および前記記録媒体の識別情報を取り出し、
前記記録媒体から取り出されたいずれかの信号は、前記再生部および／または前記復号部に適合しており、
前記再生部は、さらに、前記記録管理情報、前記再生管理情報、および前記記録媒体の識別情報に基づいて、前記再生管理情報に含まれる前記再生中途情報に対応する信号以降の信号を前記記録媒体から取り出す、第６の本発明の再生装置である。
【００２０】
第８の本発明は、前記異なる条件とは、異なるビットレート、異なる画素数、または異なる圧縮方式に関する、第１の本発明の再生装置である。
【００２１】
第９の本発明は、前記複数の異なる条件で圧縮された同じ内容の信号は、それぞれが連続して再生可能となる様に記録媒体上へ記録されている、第１の本発明の再生装置である。
【００２２】
第１０の本発明は、前記複数の異なる条件で圧縮された同じ内容の信号は、所定サイズ以上の連続データ領域内にそれぞれ記録されている、第１の本発明の再生装置である。
【００２３】
第１１の本発明は、前記記録媒体は、光ディスク、光磁気ディスク、または磁気ディスクであり、
前記再生部は、前記記録媒体から信号を読み出すためのヘッドを有しており、
前記所定サイズは、
（数１）
Ｖｏ×Ｔｊ×Ｖｒ／（Ｖｒ−Ｖｏ）、
（Ｖｏ：前記復号部へのデータ出力速度（Ｍｂｐｓ）、Ｔｊ：前記ヘッドの最大シーク時間（秒）、Ｖｒ：前記ヘッドの前記記録媒体から前記各信号のデータ読み出し速度（Ｍｂｐｓ））
で表される、第１０の本発明の再生装置である。
【００２４】
第１２の本発明は、前記複数の異なる条件で圧縮された同じ内容の信号は、所定サイズ以上の連続データ領域内にそれぞれ記録され、
前記連続データ領域は、交互に繰り返し配列して記録されている、第１の本発明の再生装置である。
【００２５】
第１３の本発明は、前記所定サイズ以上の連続データ領域に記録されている、前記複数の異なる条件で圧縮されている信号の再生時間は、同じである、第１０、または１２の本発明の再生装置である。
【００２６】
第１４の本発明は、前記復号部は、さらに、前記記録媒体から取り出された前記複数の異なる条件で圧縮された信号を復号化する、第１２の本発明の再生装置である。
【００２７】
第１５の本発明は、前記異なる圧縮方式は、それぞれＭＰＥＧ２およびＭＰＥＧ４である、第８の本発明の再生装置である。
【００２８】
第１６の本発明は、複数の異なる条件で圧縮された同じ内容の信号、および前記複数の異なる条件で圧縮された同じ内容の信号の互いの対応関係を示す記録管理情報を記録媒体に記録する記録部と、
前記記録媒体に記録された信号を取り出すための再生部と、
前記記録媒体から取り出された信号を復号化する復号部とを備え、
前記記録部は、前記複数の異なる条件で圧縮された同じ内容の信号を、所定サイズ以上の連続データ領域内にそれぞれ記録し、前記連続データ領域を交互に繰り返し配列して前記記録媒体に記録する、記録装置である。
【００２９】
第１７の本発明は、前記記録媒体は、光ディスク、光磁気ディスク、または磁気ディスクであり、
前記再生部は、前記記録媒体から信号を読み出すためのヘッドを有しており、
前記所定サイズは、
（数１）
Ｖｏ×Ｔｊ×Ｖｒ／（Ｖｒ−Ｖｏ）、
（Ｖｏ：前記復号部へのデータ出力速度（Ｍｂｐｓ）、Ｔｊ：前記ヘッドの最大シーク時間（秒）、Ｖｒ：前記ヘッドの前記記録媒体から前記各信号のデータ読み出し速度（Ｍｂｐｓ））
で表される、第１６の本発明の記録装置である。
【００３０】
第１８の本発明は、複数の異なる条件で圧縮された信号、および前記複数の異なる条件で圧縮された信号の互いの対応関係を示す記録管理情報がそれぞれ記録されている記録媒体から前記いずれかの信号を取り出す再生部と、
前記いずれかの信号を復号化する復号部と、
前記いずれかの信号を送るための送信部と、
前記送られた信号を復号化する遠隔復号部とを備え、
前記再生部は、前記取り出した信号を前記復号部、または前記送信部へ出力し、前記復号部または前記遠隔復号部における復号化に関する再生中途情報を含む再生管理情報を前記記録管理情報に対応させて記録する記録再生システムである。
【００３１】
第１９の本発明は、前記再生部は、前記取り出した信号を前記遠隔復号部に送信することができ、前記送信の際に、前記記録管理情報および前記再生管理情報に基づいて、前記再生管理情報に含まれる前記再生中途情報に対応する信号以降の信号を送信する、第１８の本発明の記録再生システムである。
【００３２】
第２０の本発明は、複数の異なる条件で圧縮された同じ内容の信号、および前記複数の異なる条件で圧縮された同じ内容の信号の互いの対応関係を示す記録管理情報がそれぞれ記録されている記録媒体から前記いずれかの信号を取り出す工程と、
前記記録媒体から取り出された前記いずれかの信号を復号化する工程と、
前記記録媒体からの信号の再生の中途を示す再生中途情報を含む再生管理情報を前記記録管理情報に対応させて記録する工程とを備える、再生方法である。
【００３３】
第２１の本発明は、前記再生管理情報を前記記録管理情報に対応させて記録する工程は、前記再生管理情報を前記記録管理情報に対応させて、フラッシュメモリに記録する工程であり、
前記再生管理情報を前記フラッシュメモリから取り出す工程と、
前記記録管理情報および前記再生管理情報に基づいて、前記再生管理情報に含まれる前記再生中途情報に対応する信号以降の信号を前記記録媒体から取り出す工程とをさらに備える、第２０の本発明の再生方法である。
【００３４】
第２２の本発明は、第１の本発明の再生装置の、前記記録媒体から前記いずれかの信号を取り出すための再生部と、前記記録媒体から取り出された前記いずれかの信号を復号化する復号部と、前記再生管理情報を前記記録管理情報に対応させて記録する記録部としてコンピュータを機能させるための、プログラムである。
【００３５】
第２３の本発明は、第４の本発明の再生装置の、前記再生管理情報を前記フラッシュメモリから取り出し、前記記録管理情報および前記再生管理情報に基づいて、前記再生管理情報に含まれる前記再生中途情報に対応する信号以降の信号を前記記録媒体から取り出す再生部としてコンピュータを機能させるための、プログラムである。
【００３６】
第２４の本発明は、第２２、または２３の本発明のプログラムを担持させた記録媒体であって、コンピュータにより処理可能な、記録媒体である。
【００３７】
第２５の本発明は、同じ内容の信号が複数の異なる条件で圧縮されて記録媒体に別々に記録されており、前記複数の異なる条件で圧縮された同じ内容の信号のそれぞれの対応関係を示す記録管理情報、および記録媒体からの信号の再生の中途を示す再生中途情報を含む再生管理情報を前記記録管理情報に対応させて記録することができる、データ構造である。
【００３８】
本発明によれば、想定した視聴形態が変化した場合でも、それぞれの視聴形態に適した条件で映像および／または音声を視聴することができる、再生装置を提供することができる。
【発明の効果】
【００３９】
本発明の記録再生システムは、想定した視聴形態が変化した場合でも、それぞれの視聴形態に適した条件で映像および／または音声を視聴することができるという効果を有し、再生装置等として有用である。
【発明を実施するための最良の形態】
【００４０】
以下、本発明の実施の形態について図面を参照しながら説明する。図１は、本発明の再生装置の一例であるＡＶデータ記録再生装置１のブロック構成図である。図１において、映像信号入力部１００及び音声信号入力部１０２から入力した信号は、ＭＰＥＧ２圧縮部１０１で圧縮されてＭＰＥＧ２ビデオストリームを含むプログラムストリームが作成される。また同じ信号がＭＰＥＧ４圧縮部１０３で圧縮されてＭＰＥＧ４ビデオストリームを含むＭＰ４ストリームが作成される。これらの圧縮された信号は、記録部１２０及びピックアップ１３０を経由して本発明の記録媒体の一例であるＤＶＤ−ＲＡＭディスク１３１へそれぞれ別々に書き込まれる。ＭＰＥＧ４圧縮部１０３においては、映像信号の画素数が１／４へ縮小された後で圧縮処理が実施される。ここでＭＰＥＧ２圧縮部１０１が出力するプログラムストリームのビットレートは一例として約９Ｍｂｐｓ、ＭＰＥＧ４圧縮部１０３が出力するＭＰ４ストリームのビットレートは一例として約０．５Ｍｂｐｓである。
【００４１】
再生時は、ユーザの選択によりＭＰＥＧ２ビデオストリームを含むプログラムストリームまたはＭＰＥＧ４ビデオストリームを含むＭＰ４ストリームのいずれかが再生される。具体的にはピックアップ１３０及び本発明の再生部の一例である再生部１２１を経由してプログラムストリームが取り出された場合はＭＰＥＧ２復号部１１１で映像信号と音声信号に復号され、復号された信号は映像信号出力部１１０及び音声信号出力部１１２へ出力される。また、ＭＰ４ストリームが取り出された場合はＭＰＥＧ４復号部１１３で映像信号と音声信号に復号され、復号された信号は映像信号出力部１１０および音声信号出力部１１２へ出力される。
【００４２】
図２は、本実施の形態のAVデータ記録再生装置１の使用例の概略を説明する図である。ポータブルビデオプレーヤ２は、本発明の再生装置の別の一例であり、その構成は、AVデータ記録再生装置１の構成と同様であるのでその説明を省略する。ポータブルビデオプレーヤ２は、バッテリー（図示せず）を搭載しており、その駆動をバッテリーによってもすることができる。上記のプログラムストリームおよびＭＰ４ストリームが記録されたＤＶＤ−ＲＡＭディスク１３１を、ＡＶデータ記録再生装置１およびポータブル機器２のいずれか一方で再生を中断した場合、残りの映像を他方の装置において、その装置に最もふさわしい様式で視聴することができる。
【００４３】
具体的には、図３（ａ）に示すように、ユーザーが屋内でＡＶデータ記録再生装置１を使用してＤＶＤ−ＲＡＭディスクに録画された放送番組の視聴を途中で中断した場合でも、中断した番組の続きを、ポータブルプレーヤ２において、そのバッテリーの消耗を抑制しながら、視聴することができる。
【００４４】
また、これとは逆に、図３（ｂ）に示すように、ユーザが屋外でポータブルビデオプレーヤ２を使用してＤＶＤ−ＲＡＭディスク１３１に録画された放送番組の視聴を、途中で中断した場合でも、中断した番組の続きを、ＡＶデータ記録再生装置１において、高精細な画質で視聴することができる。
【００４５】
次に、本実施の形態のＡＶデータ記録再生装置１の具体的な動作を説明する。図４（ａ）に示す様に、ＭＰＥＧ２ビデオストリームを含むプログラムストリーム（以下、フル動画ストリームという。）は、フル動画ファイルＭＯＶ００１．ＭＰＧとしてＤＶＤ−ＲＡＭディスク１３１に記録される。このとき、フル動画ファイルに対応して時間情報ファイルも記録される。また、ＭＰＥＧ４ビデオストリームを含むＭＰ４ストリーム（以下、ミニ動画ストリームという。）は、ミニ動画ファイルＭＯＶ００１．ＭＰ４としてＤＶＤ−ＲＡＭディスクに記録される。ここで、ミニ動画ストリームに対応する時間情報はミニ動画ファイルのヘッダ部分に記録される。
【００４６】
このように同じ映像信号および音声信号を相異なるビットレートおよび画素数で別々のファイルとして記録し、図４（ｃ）に示すような記録管理ファイル内に、両方のファイル名を含んだ記録管理情報として同時録画識別情報を格納する。また、番組を識別するための識別子（図４の例ではＳＩＭＬ＃１）も記録する。これにより、どの番組がどの２つの動画ファイルに格納されたかを識別することができる。このようにして記録された放送番組を視聴する際に、例えば、屋外でポータブルビデオプレーヤ２を使用する場合は、ミニ動画ファイルを選択することにより、または自動的に選択がなされ、再生、復号がされる。そして、ユーザーは、例えば比較的小さな３インチ程度の液晶画面（映像信号出力部１１０の一部に相当）およびヘッドホン（音声信号出力部１１２の一部に相当）を使い記録された放送番組を視聴する。また、例えばＡＶデータ記録再生装置１に大画面ＴＶ３を接続して視聴する場合は、フル動画ファイルを選択することにより、または自動的に選択がなされ、再生、復号がされる。
【００４７】
次に、ＤＶＤ−ＲＡＭディスク１３１に記録された番組を、屋内で大画面ＴＶ３で視聴しており、途中から屋外でポータブルビデオプレーヤ２を用いて続きを視聴する場合の動作について説明する。
【００４８】
ＡＶデータ記録再生装置１を用いて、ＤＶＤ−ＲＡＭディスク１３１に記録された放送番組を視聴中に一旦視聴を中止する場合は、再生部１２１から記録制御部１４１を介して記録部１２０に再生の中断が伝達され、記録部１２０は、番組の先頭からの視聴経過時間を再生中断情報としてＤＶＤ−ＲＡＭディスク１３１に記録する。例えば番組の先頭から１０分経過した時に視聴を中断した場合は、記録部１２０は、１０分という数値および視聴中の放送番組の識別子を再生中断情報として図４（ｂ）に示す再生管理ファイルに記録する。
【００４９】
その後、ユーザが屋外に出かけ屋外でポータブルビデオプレーヤ２で番組の続きを視聴再開する場合は、ＡＶデータ記録再生装置１から取り出したＤＶＤ−ＲＡＭディスク１３１をポータブルビデオプレーヤ２にセットする。そしてユーザーは、ポータブルビデオプレーヤ２においてミニ動画ファイルを使用した視聴を選択する、または自動的にミニ動画ファイルが選択される。そして、再生部１２１は、再生中断情報をＤＶＤ─ＲＡＭディスク１３１上から読み出す。読み出された再生中断情報は、再生制御部１４２に渡され、再生制御部１４２は、再生中断情報に含まれている放送番組の識別子をキーとして、ミニ動画ファイルのファイル名をいちはやく割り出し、さらに再生中断情報に含まれる経過時間およびミニ動画ファイルのヘッダ−に含まれる時間情報を参照して、該当するミニ動画ファイルの再生中断個所を検出する。そして、再生制御部１４２は、再生部１２１に該当ミニ動画ファイルの再生中断箇所から再生を再開するよう指示を出す。
【００５０】
以上の動作により、ユーザが屋内でＡＶデータ記録再生装置１を使用してＤＶＤ−ＲＡＭディスク１３１に録画された放送番組の視聴を、途中で中断した場合でも、中断した番組の続きをポータブルビデオプレーヤ２においてその消費電力を著しく低減して視聴することができる。例えば、２４Ｍｂｐｓの転送速度を有するＤＶＤ─ＲＡＭ上に記録された９Ｍｂｐｓのフル動画ファイルを再生する場合と、１Ｍｂｐｓのミニ動画ファイルを再生する場合を比較すると、ミニ動画ファイルを再生して復号する場合はフル動画ファイルを再生して復号する場合に比べて消費電力を１／４に下げることができる。すなわち、記録媒体から取り出されたＭＰＥＧ４で圧縮された信号は、再生部１２１および／または復号部１１１、１１３において消費電力を削減することができるという点で適合しているといえる。すなわち、ＭＰＥＧ４で圧縮された信号は、ポーダル機器で再生するのに適している。
【００５１】
また、これとは逆に、ＤＶＤ−ＲＡＭディスク１３１に記録された番組を、屋外でポータブルビデオプレーヤ２で視聴しており、途中から屋内でＡＶデータ記録再生装置１を用いて大画面で続きを視聴する場合の動作について説明する。
【００５２】
ポータブルビデオプレーヤ２を用いて、ＤＶＤ−ＲＡＭディスク１３１に記録された放送番組を視聴中に一旦視聴を中止する場合は、再生部１２１から記録制御部１４１を介して記録部１２０に再生の中断が伝達され、記録部１２０は、番組の先頭からの視聴経過時間を再生中断情報としてＤＶＤ−ＲＡＭディスク１３１に記録する。例えば番組の先頭から１０分経過した時に視聴を中断した場合は、記録部１２０は、１０分という数値および視聴中の放送番組の識別子を再生中断情報として図４（ｂ）に示す再生管理ファイルに記録する。
【００５３】
その後、ユーザが屋内に戻り屋内のＴＶで番組の続きを視聴再開する場合は、ポータブルビデオプレーヤ２からＤＶＤ−ＲＡＭディスク１３１を取り出し、ＡＶデータ記録再生装置１にセットする。そしてユーザーは、ＡＶデータ記録再生装置１においてフル動画ファイルを使用した視聴を選択する、または自動的にフル動画ファイルが選択される。そして、再生部１２１は、再生中断情報をＤＶＤ─ＲＡＭディスク１３１上から読み出す。読み出された再生中断情報は、再生制御部１４２に渡され、再生制御部１４２は、再生中断情報に含まれている放送番組の識別子をキーとして、フル動画ファイルのファイル名をいちはやく割り出し、さらに再生中断情報に含まれる経過時間および時間情報ファイルＭＯＶ００１．ＩＦＯを参照して、該当するフル動画ファイルの再生中断個所を検出する。そして、再生制御部１４２は、再生部１２１に該当フル動画ファイルの再生中断箇所から再生を再開するよう指示を出す。
【００５４】
以上の動作により、ユーザが屋外でポータブルビデオプレーヤ２を使用してＤＶＤ−ＲＡＭディスク１３１に録画された放送番組の視聴を、途中で中断した場合でも、中断した番組の続きを、ＡＶデータ記録再生装置１において視聴することができる。この場合、ＭＰＥＧ２で圧縮した信号は、復号したときに大画面で表示するために適合しているため、高精細な画質で視聴することができる。
【００５５】
さらにユーザーがいずれかの装置において番組の続きの視聴を再開する場合には、ユーザがフル動画（またはミニ動画）ファイルのファイル名を指定し、かつ、再生を中断した該当個所までスキップするといったわずらわしい動作をしなくとも、容易に続きの動画を視聴することができる。
【００５６】
図５は、以上の説明におけるフル動画ファイル、ミニ動画ファイル、時間情報ファイル、記録管理ファイル、再生管理ファイルのディレクトリの構成の一例を示す。
【００５７】
図６は、ＤＶＤ−ＲＡＭディスク１３１に記録されるフル動画ファイル（ＭＯＶ００１．ＭＰＧ）の構成の一例を示す。ＤＶＤ−ＲＡＭディスク１３１は２Ｋバイトのセクタから構成され、１６個のセクタを１つの論理ブロックとして取り扱い、この論理ブロックごとに誤り訂正符号を付与してＤＶＤ−ＲＡＭディスク１３１へ記録する。さらに最大記録レート換算で１１秒分以上の物理的に連続する論理ブロックを１つの連続データ領域として確保し、この領域へ０．４〜１秒分のＭＰＥＧストリームからなる単位ビデオパケット（Ｖｉｄｅｏ  ＯＢｊｅｃｔ  ＵＮＩＴ：以下、「ＶＯＢＵ」という。）を順に記録する。１つのＶＯＢＵは２Ｋバイト単位のＭＰＥＧプログラムストリームの下位階層であるパックから構成される。パックは、ビデオ圧縮データが格納されたビデオパック（Ｖ＿ＰＣＫ）と、オーディオ圧縮データが格納されたオーディオパック（Ａ＿ＰＣＫ）の２種類から構成される。また、１つのＶＯＢＵには、対応する時間のＶ＿ＰＣＫが全て含まれている。さらに、１つのＶＯＢＵには、タイミング的に必要となる音声フレームを含むＡ＿ＴＳＰが全て含まれている。すなわち、ＶＯＢＵ内において映像フレーム及び音声フレームは完結している。
【００５８】
ＡＶデータ記録再生装置１の連続データ領域検出部３４０は、１つの連続データ領域の残りが最大記録レート換算で３秒分を切った時点で、次の連続データ領域の再検出を行なう。そして、１つの連続データ領域が一杯になると、記録部１２０は次の連続データ領域に書き込みを行なう。
【００５９】
図７に、時間情報ファイルＭＯＶ００１．ＩＦＯの構成例を示す。フル動画ストリームの再生時におけるファイル先頭からの経過時間とファイル先頭からのデータアドレス（パック数）との対応を示す時間情報がフル動画ファイルとは別に時間情報ファイルＭＯＶ００１．ＩＦＯとして記録媒体１３１に格納される。
【００６０】
一方、ミニ動画ストリームは、ミニ動画ファイルＭＯＶ００１．ＭＰ４としてＤＶＤ−ＲＡＭディスク１３１に記録される。このミニ動画ファイルの構成例を図８に示す。ミニ動画ファイルにおいては、再生時におけるファイル先頭からの経過時間とファイル先頭からのデータアドレスとを示す時間情報は、ファイルのヘッダ部分に格納されている。ＭＰ４ファイルのヘッダは、アトム構造と呼ばれるデータ構造からなり、その中に種々の属性が格納されている。時間情報は、図９に示すように、Ｓａｍｐｌｅ  Ｔａｂｌｅ  Ａｔｏｍに格納されている。
【００６１】
これらの時間情報を参照することにより、例えば１０分後の映像に対応するそれぞれの動画ファイルの格納アドレスを再生制御部１４２は、簡単に知ることができる。例えば、図７に示す例では、一例として経過時間に対応するＶＯＢＵ再生時間（フィールド数）が求められ、その積算値に対応するＶＯＢＵデータサイズが決定される。また、図９に示す例においては、経過時間に対応するｖｉｄｅｏ  ｆｒａｍｅ周期（時間）が求められ、これに対応するｖｉｄｅｏ  ｆｒａｍｅ  ｓｉｚｅ（バイト数）が決定される。このような動作により、再生が中断された以降の信号のアドレスが決定される。ここで、時間情報ファイルＭＯＶ００１．ＩＦＯに格納される時間情報、およびミニ動画ファイルのヘッダに格納される時間情報は、本発明の記録管理情報に一例として対応する。また、各動画ファイルにおけるファイル先頭は、映像信号および音声信号が開始される位置である。
【００６２】
図１０は、ＤＶＤ−ＲＡＭディスク１３１上の記録内容がＵＤＦ（Ｕｎｉｖｅｒｓａｌ  Ｄｉｓｋ  Ｆｏｒｍａｔ）ファイルシステムもしくはＩＳＯ／ＩＥＣ  １３３４６（Ｖｏｌｕｍｅ  ａｎｄ  ｆｉｌｅ  ｓｔｒｕｃｔｕｒｅ  ｏｆ  ｗｒｉｔｅ−ｏｎｃｅ  ａｎｄ  ｒｅｗｒｉｔａｂｌｅ  ｍｅｄｉａ  ｕｓｉｎｇ  ｎｏｎ−ｓｅｑｕｅｎｔｉａｌｒｅｃｏｒｄｉｎｇ  ｆｏｒ  ｉｎｆｏｒｍａｔｉｏｎ  ｉｎｔｅｒｃｈａｎｇｅ）ファイルシステムによって管理されている状態を示す図である。図１０では、連続して記録された１つのＭＰＥＧプログラムストリームがファイルＶＲ＿ＭＯＶＩＥ．ＶＲＯとして記録されている。このファイルは、ファイル名及びファイルエントリの位置が、ＦＩＤ（Ｆｉｌｅ  Ｉｄｅｎｔｉｆｉｅｒ  Ｄｅｓｃｒｉｐｔｏｒ）で管理されている。そして、ファイル名はファイル・アイデンティファイア欄にＶＲ＿ＭＯＶＩＥ．ＶＲＯとして設定され、ファイルエントリの位置は、ＩＣＢ欄にファイルエントリの先頭セクタ番号として設定される。
【００６３】
なお、ＵＤＦ規格はＩＳＯ／ＩＥＣ  １３３４６規格の実装規約に相当する。また、ＤＶＤ−ＲＡＭドライブを１３９４インタフェース及びＳＢＰ−２（Ｓｅｒｉａｌ  Ｂｕｓ  Ｐｒｏｔｏｃｏｌ）プロトコルを介してパソコンへ接続することにより、ＵＤＦに準拠した形態で書きこんだファイルをパソコンからも１つのファイルとして扱うことが可能である。
【００６４】
また、ファイルエントリは、アロケーションディスクリプタを使ってデータが格納されている連続データ領域（ＣＤＡ：Ｃｏｎｔｉｎｕｏｕｓ  Ｄａｔａ  Ａｒｅａ）ａ、ｂ、ｃを管理する。具体的には、記録制御部３４１が連続データ領域ａへの記録中に不良論理ブロックを見つけると、当該論理ブロックをスキップして、連続データ領域ｂの先頭から書き込みを継続する。次に、記録制御部３４１が連続データ領域ｂへの記録中にＰＣファイルの記録領域とぶつかることを検出した場合には、連続データ領域ｃの先頭から書き込みを継続する。この結果、ファイルＶＲ＿ＭＯＶＩＥ．ＶＲＯは連続データ領域ａ、ｂ、ｃから構成されることになる。
【００６５】
また、アロケーションディスクリプタの記述規則として、図１０のアロケーションディスクリプタａ、ｂ、ｃが参照するデータの開始位置はセクタの先頭に一致し、かつ最後尾のアロケーションディスクリプタｃ以外のアロケーションディスクリプタａ、ｂが参照するデータのデータサイズは１セクタの整数倍である必要がある。
【００６６】
また、１つのＶＯＢＵのデータサイズは、映像が可変ビットレートであれば最大記録レート以下の範囲で変動する。映像が固定ビットレートであればＶＯＢＵのデータサイズはほぼ一定である。
【００６７】
また、記録内容の再生時は、ＤＶＤ−ＲＡＭディスク１３１等の相変化光ディスクからのデータの読み出しと読み出したデータのＭＰＥＧ２復号部への出力を同時に実施する。このとき、データの出力速度よりもデータの読出速度の方が高速となるように設定し、再生すべきデータが無くなることのないように制御を行う。したがって、連続したデータ読み出し及び連続したデータ出力を続けると、データ読み出し速度とデータ出力速度との速度差分だけ出力すべきデータを余分に確保できることになる。すなわち、ピックアップ１３０のジャンプによりデータ読み出しが途絶える間の出力データとして、このような余分に確保できるデータを使うことにより、連続再生を実現することができる。
【００６８】
具体的には、ＤＶＤ─ＲＡＭディスク１３１からのデータ読み出し速度が１１Ｍｂｐｓ、ＭＰＥＧ２復号部へのデータ出力速度が最大８Ｍｂｐｓ、ピックアップ１３０の最大移動時間が３秒の場合、ピックアップ１３０が移動中の２４Ｍビットのデータが余分な出力データとして必要になる。かかる余分なデータを確保するためには、８秒間の連続読み出しが必要になる。すなわち２４Ｍビットをデータ読み出し速度１１Ｍｂｐｓとデータ出力速度８Ｍｂｐｓの差で割った時間だけ連続読み出しする必要がある。
【００６９】
したがって、８秒間の連続読み出しの間に８８Ｍビット分、すなわち１１秒分の出力データを読み出すことになるので、１１秒分以上の連続データ領域を確保することで、連続データ再生を保証することが可能となる。
【００７０】
なお、連続データ領域の途中には、数個の不良論理ブロックがあっても良い。ただし、この場合には、再生時にかかる不良論理ブロックを読み込むのに必要な読み出し時間を見越して、１１秒分よりも少し多めの連続データ領域を確保する必要が有る。
【００７１】
上記の説明を一般化すると、ピックアップ１３０の最大シーク時間をＴｊ（秒）、ＭＰＥＧ２復号部へのデータ出力速度をＶｏ（Ｍｂｐｓ）、ピックアップ１３０のデータ読み出し速度をＶｒ（Ｍｂｐｓ）とすると、連続データ領域の最小サイズは、以下、
（数２）
連続データ領域の最小サイズ  ＝  Ｖｏ×Ｔｊ×Ｖｒ／（Ｖｒ−Ｖｏ）
で表すことができる。ここで、Ｖｏ、Ｖｒは、ＭＰＥＧ２の場合とＭＰＥＧ４の場合とで異なり、それぞれ圧縮方式に対して、適切な連続データ領域の最小サイズである、本発明の第１の所定の連続データ領域、および本発明の第２の所定の連続データ領域が決定される。また、図１１は上式の関係を図示したものである。このように連続データ領域が決定されることにより、図１２に示すように、２つの動画ストリームが交互に記録されている場合でも、データがフリーズすることなく各データを取り出すことができる。
【００７２】
ここで、連続データ再生が保障される連続データ領域は、ＭＰＥＧ４に比べてＭＰＥＧ２の方が大きくなる。そこで、例えば、ＭＰＥＧ２において連続再生が保障される１１〜１２秒分のフル動画データと、同じく１１〜１２秒分のミニ動画データを交互に記録することにより、両方の動画データの連続再生が可能となる。またこのとき、ミニ動画は、１１〜１２秒分のより長い単位で記録されるので、ミニ動画の各フレームの出画遅延時間は、ピックアップのシーク処理が不要となるケースが増えることにより、短くて済む。ミニ動画は、データサイズが小さいことからも、全データをメモリ上に配置でき、これにより記録済みの全フレームを使った滑らかな高速再生（例えば２倍速再生等）の実現が可能になる。フル動画の同様のケースでは、データサイズが大きいのでフレームデータをメモリ上に置くのは困難であり、高速再生時は、例えばディスク上の特定フレーム（例えばIフレームのみ）の再生により実現されるので、ミニ動画の場合と比較すると滑らかさに劣る。また、ミニ動画はデータサイズが小さいので逆方向の１倍速再生や２倍速再生等も可能になる。また、コマ送りやコマ戻し等特殊再生の処理もメモリ上にデータがあれば高速かつ容易に実現できる。
【００７３】
ただし、この場合、動画データとミニ動画データは２つの連続データ領域を１つの組として、その組内では物理的に分離しないようにした方がよい。また、ミニ動画データの連続データ領域の方がフル動画の連続データよりも物理的にブロック番号のオーダーで前の方に位置していたほうが良い。同時再生時において、両者の再生すべきデータがより早く読み出し可能となるからである。これにより、同時再生時の最初の出画時間をより短縮化できる。
【００７４】
各連続データ領域は、それぞれのデータサイズが上式の関係を満たせば、図１３に示すように、物理的に連続していなくてもよい。ただし、映像および音声がフリーズすることなく連続的に再生可能である様に、ＭＰＥＧ２の場合は、第１の所定の連続データ領域（ＣＤＡ）を有して、ＭＰＥＧ４の場合は、第２の所定の連続データ領域を有して、これらの連続データ領域においては物理的に連続してそれぞれのファイルを記録する必要がある。これにより、２つのファイルを同時に記録する際のピックアップ１３０のシーク動作を減らすことができる。
【００７５】
なお、それぞれのデータの再生時間が同じになるように、それぞれのデータ領域が記録されている場合は、フル動画とミニ動画を同時に再生することができる。すなわち、例えば、図１、２における再生部１２１がＤＶＤ−ＲＡＭディスク１３１からフル動画ファイルおよびミニ動画ファイルの両方を取り出し、ＭＰＥＧ２復号部１１１およびＭＰＥＧ４復号部１１３がそれぞれの動画ファイルを復号し、復号されたそれぞれの映像信号および音声信号をポータブルビデオプレーヤ２の表示部およびＡＶデータ記録再生装置１に接続された表示装置３に出力することができれば、フル動画ファイルおよびミニ動画ファイルを同時に（すなわち同じ再生の進行で）視聴することができる。
【００７６】
このとき、フル動画ファイルとミニ動画ファイルは圧縮時に同じクロックを基準として各フレームが生成されるので、フル動画とミニ動画の各フレームの再生タイミングは、最初の１フレームの再生開始タイミングを合わせることにより、以降に再生されるフレームにおいては一致する。フル動画とミニ動画の最初の１フレームの再生タイミングは、それぞれ時間情報ファイル内の時間情報およびミニ動画ファイル内の時間情報を参照して、同じ時刻に対応する動画データから再生開始するようにすれば一致する。
【００７７】
また、図１４に示す様に、各連続データ領域の間にＰＣファイル等のデータが挟まれ（インターリーブされ）ても良い。
【００７８】
また、以上までの説明において、ポータブルビデオプレーヤ２は屋外で使用され、ＡＶデータ記録再生装置１は屋内で使用される、としたが、これに限られることがないことは言うまでもない。さらに、図１５に示すように、ポータブルビデオプレーヤ２とＡＶデータ記録再生装置１が接続されて使用されてもよい。
【００７９】
その場合、いずれか一方の装置から他方の装置が遠隔操作できる構成であれば、ＤＶＤ−ＲＡＭディスク１３１を各装置の間において挿入し直す必要がない。例えば、ＡＶデータ記録再生装置１の再生部１２１がフル動画ファイルおよびミニ動画ファイルの両方を取り出して、ミニ動画ファイルがポータブルビデオプレーヤ２に送られれば、ポータブルビデオプレーヤ２では、ミニ動画ファイルを復号するだけでよいので、さらにポーダブルビデオプレーヤ２におけるバッテリーの消耗を抑制することができる。例えば、居間において、ＡＶデータ記録再生装置で視聴していたが、ＤＶＤ−ＲＡＭディスクを取り出すことなく、寝室にあるポータブルビデオプレーヤ２から遠隔操作することにより、寝室において続きを視聴することができる、という使用形態等が考えられる。
【００８０】
また本実施の形態において、記憶媒体はＤＶＤ─ＲＡＭディスクであるものとしたが、特にこれに限定するものではなく、例えばＭＯ、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体であれば何でも良い。また、半導体メモリであっても良い。そのような場合も上記と同様の効果を得ることができる。
【００８１】
また本実施の形態において、読み書きヘッドはピックアップ１３０としているが、ＭＯの場合はピックアップ及び磁気ヘッドとなり、またハードディスクの場合は磁気ヘッドとなる。
【００８２】
また本実施の形態において、放送番組はＡＶデータ記録再生装置内でＭＰＥＧ２およびＭＰＥＧ４で圧縮するものとしたが、デジタル放送波の場合は、放送波に含まれるＭＰＥＧ２圧縮ストリームおよびＭＰＥＧ４圧縮ストリームをトランスポートストリームのまま、別々のファイルに記録しても良い。また一方、１つのファイルに記録しても良い。だたし後者の場合、図４の同時録画識別情報には同一のファイル名が登録される。
【００８３】
また本実施の形態において、再生中断情報はＤＶＤ─ＲＡＭディスク１３１等の記録媒体に記録されるものとしたが、ＡＶデータ記録再生装置に内蔵されたフラッシュメモリに記録されても良い。ただしこの場合、識別子と一緒にどの記録媒体の再生を中断したのかを識別するためにメディア識別子を一緒にフラッシュメモリに記録する必要がある。
【００８４】
また本実施の形態において、図４に示す同時録画識別情報はＤＶＤ─ＲＡＭディスク１３１等の記録媒体上に記録されるものとしたが、ＡＶデータ記録再生装置に内蔵されたフラッシュメモリに記録されても良い。ただし、この場合識別子と一緒にどのＤＶＤ─ＲＡＭディスク上の動画ファイル名かを識別するためにメディア識別子を一緒にフラッシュメモリに記録する必要がある。
【００８５】
また本実施の形態において、ミニ動画を再生する場合はミニ動画のビットレートに応じてＤＶＤ─ＲＡＭドライブの回転数を落して小電力化を図っても良い。
【００８６】
また本実施の形態において、ミニ動画をＭＰＥＧ４ビデオストリームを含むＭＰ４ストリームへ圧縮したが、ＭＰＥＧ─ＴＳストリーム等であっても良い。また、連続したＪＰＥＧストリーム（Ｍｏｔｉｏｎ  ＪＰＥＧストリーム）を含むＱｕｉｃｋＴｉｍｅファイル、または  Ｍｏｔｉｏｎ  ＪＰＥＧ  ２０００規格準拠のストリームを含むファイルを生成しても良い。
【００８７】
さらに、本発明の圧縮方式は、２種類の圧縮方式に限らず、互いに異なる３種類以上の圧縮方式であってもよい。その場合は、それぞれの圧縮方式に適合した復号部を有する装置で復号されれば、上記と同様の効果が得られる。
【００８８】
また本実施の形態において、ＡＶデータ記録再生装置１は本発明の再生装置の一例であるとしたが、複数の異なる圧縮方式で圧縮された信号、および複数の異なる圧縮方式で圧縮された信号の互いの対応関係を示す記録管理情報を記録媒体に記録する場合においては、本発明の記録装置の一例でもある。この場合、本発明の記録装置は、上記の機能を有していればよいので、再生機能が無い場合も考えられる。
【００８９】
また、以上までの説明において、ポータブルビデオプレーヤ２は、信号を複数の異なる圧縮方式で圧縮する機能、および圧縮した信号を記録する記録機能が無くてもよい。すなわち、ポータブルビデオプレーヤ２は、再生専用機であってもよい。ただし、上述したように、再生中断信号を記録媒体に記録するための記録機能を有することが必要である。
【００９０】
さらに、本発明の再生装置は、ＡＶデータ記録再生装置１の機能およびポータブルビデオ再生装置２の機能が合体された単一の装置である構成も考えられる。すなわち、屋内で視聴する場合は、電源ライン、および大画面ＴＶ３に接続してＡＶデータ記録再生装置１として使用され、屋外に持ち出した時には、バッテリーで駆動してポータブルビデオプレーヤ２として動作する構成も考えられる。そのような場合でも上記と同様の効果を得ることができる。
【００９１】
また、各圧縮データはＡＶデータ記録再生装置１に内蔵されたフラッシュメモリに記録されても良い。
【００９２】
また、以上までの説明では、本発明の記録媒体に記録されるのは放送番組を例として挙げたがこれに限定されるものでないことは言うまでもない。
【００９３】
尚、本発明のプログラムは、上述した本発明の再生装置または記録装置の全部又は一部の手段（又は、装置、素子等）の機能をコンピュータにより実行させるためのプログラムであって、コンピュータと協働して動作するプログラムである。
【００９４】
又、本発明の記録媒体は、上述した本発明の再生装置または記録装置の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００９５】
尚、本発明の上記「一部の手段（又は、装置、素子等）」とは、それらの複数の手段の内の、一つ又は幾つかの手段を意味する。
【００９６】
又、本発明の上記「手段（又は、装置、素子等）の機能」とは、前記手段の全部又は一部の機能を意味する。
【００９７】
又、本発明のプログラムの一利用形態は、コンピュータにより読み取り可能な記録媒体に記録され、コンピュータと協働して動作する態様であっても良い。
【００９８】
又、本発明のプログラムの一利用形態は、伝送媒体中を伝送し、コンピュータにより読みとられ、コンピュータと協働して動作する態様であっても良い。
【００９９】
又、記録媒体としては、ＲＯＭ等が含まれ、伝送媒体としては、インターネット等の伝送媒体、光・電波・音波等が含まれる。
【０１００】
又、上述した本発明のコンピュータは、ＣＰＵ等の純然たるハードウェアに限らず、ファームウェアや、ＯＳ、更に周辺機器を含むものであっても良い。
【０１０１】
尚、以上説明した様に、本発明の構成は、ソフトウェア的に実現しても良いし、ハードウェア的に実現しても良い。
【０１０２】
また、以上までの説明におけるＤＶＤ−ＲＡＭ等の記録媒体に記録されたデータ構造も本発明の範囲に含まれる。この場合データ構造としては、データベース、データフォーマット、データテーブル、データリスト、データの種類などを含む。
【０１０３】
以上のように本発明の再生装置、記録装置によれば、放送番組を屋外と屋内の両方で効率的に視聴できる。すなわち、屋外の視聴時においては、記録再生装置のバッテリーの消耗を抑え、かつ、屋内においては同じ番組の続きを大画面ＴＶで容易に切り替えて視聴できる。
【０１０４】
本発明に関連する第１の発明は、複数の異なる圧縮方式で圧縮された信号、および前記複数の異なる圧縮方式で圧縮された信号の互いの対応関係を示す記録管理情報がそれぞれ記録されている記録媒体から前記いずれかの信号を取り出すための再生部と、
前記記録媒体から取り出された信号を復号化する復号部と、
前記再生部における再生中断情報を含む再生管理情報を前記記録管理情報に対応させて前記記録媒体に記録する記録部とを備える再生装置である。
【０１０５】
本発明に関連する第２の発明は、前記再生中断情報は、前記信号の再生が開始されてからの経過時間である、本発明に関連する第１の発明の再生装置である。
【０１０６】
本発明に関連する第３の発明は、その駆動がバッテリーによりなされる、本発明に関連する第１の発明の再生装置である。
【０１０７】
本発明に関連する第４の発明は、ＭＰＥＧ２で圧縮された信号を復号した信号を表示するのに適合している、本発明に関連する第１の発明の再生装置である。
【０１０８】
本発明に関連する第５の発明は、複数の異なる圧縮方式で圧縮された信号、および前記複数の異なる圧縮方式で圧縮された信号の互いの対応関係を示す記録管理情報、本発明に関連する第１の発明の再生装置によって記録されている前記再生管理情報がそれぞれ記録されている記録媒体から前記いずれかの信号、前記記録管理情報、および前記再生管理情報を取り出すための再生部と、
前記記録媒体から取り出されたいずれかの信号を復号化する復号部とを備え、
前記記録媒体から取り出されたいずれかの信号は、前記再生部および／または前記復号部に適合しており、
前記再生部は、前記記録管理情報および前記再生管理情報に基づいて、前記再生管理情報に含まれる前記再生中断情報に対応する信号以降の信号を前記記録媒体から取り出す再生装置である。
【０１０９】
本発明に関連する第６の発明は、前記複数の圧縮方式は、ＭＰＥＧ２およびＭＰＥＧ４であり、
前記記録管理情報は、前記ＭＰＥＧ２で圧縮された信号および前記ＭＰＥＧ４で圧縮された信号を対応づける情報であり、
前記再生中断情報に対応する信号以降の信号の圧縮方式は、本発明に関連する第１の発明の再生装置において再生されていた信号の圧縮方式とは異なる圧縮方式である、本発明に関連する第５の発明の再生装置である。
【０１１０】
本発明に関連する第７の発明は、複数の異なる圧縮方式で圧縮された信号、および前記複数の異なる圧縮方式で圧縮された信号の互いの対応関係を示す記録管理情報を記録媒体に記録する記録装置である。
【０１１１】
本発明に関連する第８の発明は、前記記録部は、前記ＭＰＥＧ２で圧縮された信号および前記ＭＰＥＧ４で圧縮された信号を、交互に配列されたストリームとして前記記録媒体に記録する、本発明に関連する第７の発明の記録装置である。
【０１１２】
本発明に関連する第９の発明は、前記ＭＰＥＧ２で圧縮された信号ストリームは、少なくとも第１の所定の連続データ領域を有して前記記録媒体に記録され、前記ＭＰＥＧ４で圧縮された信号ストリームは、少なくとも第２の所定の連続データ領域を有して前記記録媒体に記録される、本発明に関連する第８の発明の記録装置である。
【０１１３】
本発明に関連する第１０の発明は、前記記録媒体は、光ディスクまたは磁気ディスクであり、前記記録媒体に記録された信号を取り出すための、本発明に関連する第１または５の発明の再生装置の再生部は、前記記録媒体から信号を読み出すためのヘッドを有しており、
前記本発明に関連する第１の発明または第２の所定の連続データ領域は、
（数１）
Ｖｏ×Ｔｊ×Ｖｒ／（Ｖｒ−Ｖｏ）、（Ｖｏ：前記ヘッドからの前記各信号の送り出し速度（Ｍｂｐｓ）、Ｔｊ：前記ヘッドの最大シーク時間（秒）、Ｖｒ：前記ヘッドへの前記記録媒体から前記各信号のデータ読み出し速度（Ｍｂｐｓ））で表される、本発明に関連する第９の発明の記録装置である。
【０１１４】
本発明に関連する第１１の発明は、前記再生部において前記ＭＰＥＧ２で圧縮された信号ストリームを再生する時間、および前記ＭＰＥＧ４で圧縮された信号ストリームを再生する時間が等しくなるように、前記記録部は、前記ＭＰＥＧ２で圧縮された信号ストリームおよび前記ＭＰＥＧ４で圧縮された信号ストリームを前記記録媒体に記録する、本発明に関連する第１０の発明の記録装置である。
【０１１５】
本発明に関連する第１２の発明は、複数の異なる圧縮方式で圧縮された信号、および前記複数の異なる圧縮方式で圧縮された信号の互いの対応関係を示す記録管理情報を記録媒体に記録する工程と、
前記記録媒体から前記いずれかの信号を取り出す工程と、
再生中断情報を含む再生管理情報を前記記録管理情報に対応させて前記記録媒体に記録する工程と、
前記再生管理情報が記録された前記記録媒体から前記記録管理情報および前記再生管理情報を取り出す工程と、
前記記録管理情報および前記再生管理情報に基づいて、前記再生管理情報に含まれる前記再生中断情報に対応する信号以降の信号を、前記再生管理情報が記録された前記記録媒体から取り出す工程と、
前記再生中断情報に対応する信号以降の信号を復号する工程と、
前記再生中断情報に対応する信号以降の信号は、前記取り出す工程および／または前記復号工程に適合している、記録再生方法である。
【０１１６】
本発明に関連する第１３の発明は、本発明に関連する第１の発明の再生装置の、前記記録媒体から前記いずれかの信号を取り出すための再生部と、前記記録媒体から取り出された信号を復号化する復号部としてコンピュータを機能させるためのプログラムである。
【０１１７】
本発明に関連する第１４の発明は、本発明に関連する第５の発明の再生装置の、前記記録媒体から前記いずれかの信号、前記記録管理情報、および前記再生管理情報を取り出すための再生部と、前記記録媒体から取り出された信号を復号する復号部としてコンピュータを機能させるためのプログラムである。
【０１１８】
本発明に関連する第１５の発明は、本発明に関連する第１３または１４の発明のプログラムを担持させた記録媒体であって、コンピュータにより処理可能な記録媒体である。
【０１１９】
本発明に関連する第１６の発明は、信号が複数の異なる圧縮方式で圧縮されて記録媒体に別々に記録されており、前記複数の異なる圧縮方式で圧縮された信号のそれぞれの対応関係を示す管理情報、およびその再生に際して再生中断情報を前記管理情報に対応させて記録することができるデータ構造である。
【産業上の利用可能性】
【０１２０】
発明にかかる再生装置は、想定した視聴形態が変化した場合でも、それぞれの視聴形態に適した条件で映像および／または音声を視聴することができるという効果を有し、光ディスク等の記録媒体を使って動画像を記録／再生する再生装置等として有用である。
【図面の簡単な説明】
【０１２１】
【図１】本発明の実施の形態のＡＶデータ記録再生装置の構成図
【図２】本発明の実施の形態のＡＶデータ記録再生装置の使用例を示す概略図
【図３】本発明の実施の形態のＡＶデータ記録再生装置の使用状況の概略説明図
【図４】本発明の実施の形態のＡＶデータ記録再生装置による記録形態の説明図
【図５】本発明の実施の形態のＡＶデータ記録再生装置による記録形態の説明図
【図６】本発明の実施の形態のＡＶデータ記録再生装置で作成されるフル動画ストリームの構成図
【図７】本発明の実施の形態のＡＶデータ記録再生装置で作成される時間情報ファイルの構成図
【図８】本発明の実施の形態のＡＶデータ記録再生装置で作成されるミニ動画ファイルの構成図
【図９】本発明の実施の形態のＡＶデータ記録再生装置で作成されるミニ動画ファイルの時間情報ファイルの構成図
【図１０】本発明の実施の形態のＡＶデータ記録再生装置で作成される各動画ストリームの構成図
【図１１】本発明の実施の形態のＡＶデータ記録再生装置で作成される動画ストリームの連続データ領域の説明図
【図１２】本発明の実施の形態のＡＶデータ記録再生装置で作成される動画ストリームの連続データの説明図
【図１３】本発明の実施の形態のＡＶデータ記録再生装置で作成される動画ストリームの連続データの説明図
【図１４】本発明の実施の形態のＡＶデータ記録再生装置で作成される動画ストリームの連続データの説明図
【図１５】本発明の記録再生システムの使用状況を説明する概略図
【図１６】従来のＡＶデータ記録再生装置の構成図
【符号の説明】
【０１２２】
１００  映像信号入力部
１０１  ＭＰＥＧ２圧縮部
１０２  音声信号入力部
１０３  ＭＰＥＧ４圧縮部
１１０  映像信号出力部
１１１  ＭＰＥＧ２復号部
１１２  音声信号出力部
１１３  ＭＰＥＧ４復号部
１３０  ピックアップ
１３１  ＤＶＤ−ＲＡＭディスク
１４３  論理ブロック管理部
３２０  記録部
３２１  再生部
３４０  連続データ領域検出部
３４１  記録制御部
３４２  再生制御部
【国際調査報告】
2004019612.tif 000019
2004019612.tif 000020
2004019612.tif 000021
2004019612.tif 000022